(57)【要約】  本発明は、式（１）で示され、その式中、Ａ1およびＡ2が、同一もしくは異なってよく、かつＳまたはＳｅであり、Ｅが、特定のものから選択される半導体化合物、オリゴマーおよびポリマーを提供する。式（１）の化合物、オリゴマーおよびポリマーは、有機電界効果トランジスタなどの電子デバイスで使用するのに適している。
2013538257.tif 000002
【特許請求の範囲】
【請求項１】
式
【化１】
2013538257.tif 000118
［式中、
Ａ1およびＡ2は、同一または異なってよく、かつＳまたはＳｅであり、
Ｅは、
【化２】
2013538257.tif 000119
からなる群から選択され、
その式中、
Ｒ1およびＲ2は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ1−Ｒ6、−Ｘ2−Ａｒ1、−Ｘ2−Ａｒ2−Ａｒ1、−Ｘ2−Ａｒ2−Ｒ7または−Ｘ2−Ａｒ2−Ａｒ3−Ｒ7であり、その際、
Ｘ1は、それぞれの場合に、独立して、−Ｏ−、−［Ｚ1−Ｏ］a−、−［Ｏ−Ｚ1］a−Ｏ−、−Ｓ−、−［Ｚ1−Ｓ−］a−、−［Ｓ−Ｚ1］a−Ｓ−、−Ｓ（Ｏ）、−Ｃ（Ｏ）−、−Ｃ（Ｏ）Ｏ−、−Ｃ（Ｏ）ＮＲ8−、Ｃ（Ｏ）Ｓ−、−Ｏ（ＣＯ）−、−Ｓ（ＣＯ）−、−ＮＲ8Ｃ（Ｏ）−または−ＮＲ8−であり、その際、
Ｚ1は、それぞれの場合に、独立して、Ｃ1〜Ｃ6−アルキレン、Ｃ2〜Ｃ6−アルケニレンまたはＣ1〜Ｃ6−ハロアルキレンであり、
ａは、それぞれの場合に、独立して、１〜１０の整数であり、かつ
Ｒ8は、それぞれの場合に、独立して、Ｈ、Ｃ1〜Ｃ20−アルキルまたは−Ｚ2−Ｃ6〜Ｃ14−アリールであり、その際、
Ｚ2は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ6は、それぞれの場合に、独立して、Ｃ1〜Ｃ30−アルキル、Ｃ2〜Ｃ30−アルケニルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、−Ｓ（Ｏ）−、−Ｃ（Ｏ）−、−Ｃ（Ｏ）Ｏ−、−（ＣＯ）ＮＲ9、−Ｃ（Ｏ）Ｓ−、−Ｏ（ＣＯ）−、−Ｓ（ＣＯ）−、−ＮＲ9Ｃ（Ｏ）−、−ＮＲ9−、−Ｚ3−ＳｉＲ92−Ｚ4−、Ｃ1〜Ｃ30−アルキレン、Ｃ2〜Ｃ30−アルケニレン、Ｃ1〜Ｃ30−ハロアルキレンまたは共有結合であり、その際、
Ｚ3およびＺ4は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ9は、それぞれの場合に、独立して、Ｈ、Ｃ1〜Ｃ20−アルキルまたは−Ｚ5−Ｃ6〜Ｃ14−アリールであり、その際、
Ｚ5は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ1は、それぞれの場合に、独立して、Ｃ6〜Ｃ14−アリールまたは一価の５員ないし１４員の芳香族複素環式基であり、それらは、それぞれ任意に、１〜５個の置換基Ｒaで置換されており、それぞれのＲaは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ2およびＡｒ3は、それぞれの場合に、独立して、Ｃ6〜Ｃ14−アリーレンまたは二価の５員ないし１４員の芳香族複素環式基であり、それらは、それぞれ任意に、１〜４個の置換基Ｒbで置換されており、それぞれのＲbは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ7は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ3−Ａｒ4、−Ｘ3−Ａｒ5−Ａｒ4、−Ｘ3−Ａｒ5−Ｒ10または−Ｘ3−Ａｒ5−Ａｒ6−Ｒ10であり、その際、
Ｘ3は、それぞれの場合に、独立して、−Ｚ6−Ｏ−Ｚ7−、−Ｚ6−Ｓ−Ｚ7−、−Ｓ（Ｏ）−、−Ｃ（Ｏ）−、−Ｃ（Ｏ）Ｏ−、−（ＣＯ）ＮＲ11、−Ｃ（Ｏ）Ｓ−、−Ｏ（ＣＯ）−、−Ｓ（ＣＯ）−、−ＮＲ11Ｃ（Ｏ）−、−ＮＲ11−、−Ｚ6−ＳｉＲ112−Ｚ7−、Ｃ1〜Ｃ30−アルキレン、Ｃ2〜Ｃ30−アルケニレン、Ｃ1〜Ｃ30−ハロアルキレンまたは共有結合であり、その際、
Ｚ6およびＺ7は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ11は、それぞれの場合に、独立して、Ｈ、Ｃ1〜Ｃ20−アルキルまたは−Ｚ8−Ｃ6〜Ｃ14−アリールであり、その際、
Ｚ8は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ4は、それぞれの場合に、独立して、Ｃ6〜Ｃ14−アリールまたは一価の５員ないし１４員の芳香族複素環式基であり、それらは、それぞれ任意に、１〜５個の置換基Ｒcで置換されており、それぞれのＲcは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ5およびＡｒ6は、それぞれの場合に、独立して、Ｃ6〜Ｃ14−アリーレンまたは二価の５員ないし１４員の芳香族複素環式基であり、それらは、それぞれ任意に、１〜４個の置換基Ｒdで置換されており、それぞれのＲdは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ10は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｒ3、Ｒ4およびＲ5は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ4−Ｒ12、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ4は、それぞれの場合に、独立して、−［Ｚ9−Ｏ］b−、−［Ｚ9−Ｓ−］b−、−Ｓ（Ｏ）−、−Ｃ（Ｏ）−、−Ｃ（Ｏ）Ｏ−、−Ｃ（Ｏ）ＮＲ14−またはＣ（Ｏ）Ｓ−であり、その際、
Ｚ9は、それぞれの場合に、独立して、Ｃ1〜Ｃ6−アルキレン、Ｃ2〜Ｃ6−アルケニレンまたはＣ1〜Ｃ6−ハロアルキレンであり、
ｂは、それぞれの場合に、独立して、１〜１０の整数であり、かつ
Ｒ14は、それぞれの場合に、独立して、Ｈ、Ｃ1〜Ｃ20−アルキルまたは−Ｚ10−Ｃ6〜Ｃ14−アリールであり、その際、
Ｚ10は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ12は、それぞれの場合に、独立して、Ｃ1〜Ｃ30−アルキル、Ｃ2〜Ｃ30−アルケニルまたはＣ1〜Ｃ30−ハロアルキルであり、
Ｘ5は、それぞれの場合に、独立して、−Ｚ11−Ｏ−Ｚ12−、−Ｚ11−Ｓ−Ｚ12−、−Ｓ（Ｏ）−、−Ｃ（Ｏ）−、−Ｃ（Ｏ）Ｏ−、−（ＣＯ）ＮＲ15、−Ｃ（Ｏ）Ｓ−、−Ｚ11−ＳｉＲ152−Ｚ12−、Ｃ1〜Ｃ30−アルキレン、Ｃ2〜Ｃ30−アルケニレン、Ｃ1〜Ｃ30−ハロアルキレンまたは共有結合であり、その際、
Ｚ11は、それぞれの場合に、独立して、Ｃ1〜Ｃ6−アルキレン、Ｃ2〜Ｃ6−アルケニレンまたはＣ1〜Ｃ6−ハロアルキレンであり、
Ｚ12は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ15は、それぞれの場合に、独立して、Ｈ、Ｃ1〜Ｃ20−アルキルまたは−Ｚ13−Ｃ6〜Ｃ14−アリールであり、その際、
Ｚ13は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ6−Ａｒ10、−Ｘ6−Ａｒ11−Ａｒ10、−Ｘ6−Ａｒ11−Ｒ16または−Ｘ6−Ａｒ11−Ａｒ12−Ｒ17であり、その際、
Ｘ6は、それぞれの場合に、独立して、−Ｚ14−Ｏ−Ｚ15−、−Ｚ14−Ｓ−Ｚ15、−Ｓ（Ｏ）−、−Ｃ（Ｏ）−、−Ｃ（Ｏ）Ｏ−、−（ＣＯ）ＮＲ18、−Ｃ（Ｏ）Ｓ−、−Ｏ（ＣＯ）−、−Ｓ（ＣＯ）−、−ＮＲ18Ｃ（Ｏ）−、−ＮＲ18−、−Ｚ14−ＳｉＲ182−Ｚ15−、Ｃ1〜Ｃ30−アルキレン、Ｃ2〜Ｃ30−アルケニレン、Ｃ1〜Ｃ30−ハロアルキレンまたは共有結合であり、その際、
Ｚ14およびＺ15は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ18は、それぞれの場合に、独立して、Ｈ、Ｃ1〜Ｃ20−アルキルまたは−Ｚ16−Ｃ6〜Ｃ14−アリールであり、その際、
Ｚ16は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ10は、それぞれの場合に、独立して、Ｃ6〜Ｃ14−アリールまたは一価の５員ないし１４員の芳香族複素環式基であり、それらは、それぞれ任意に、１〜５個の置換基Ｒgで置換されており、それぞれのＲgは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ11およびＡｒ12は、それぞれの場合に、独立して、Ｃ6〜Ｃ14−アリーレンまたは二価の５員ないし１４員の芳香族複素環式基であり、それらは、それぞれ任意に、１〜４個の置換基Ｒhで置換されており、それぞれのＲhは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ17は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｒ19は、ＯまたはＣ（ＣＮ）2であり、かつ
Ｒ20およびＲ21は、同一または異なり、かつＲ22またはＣＮであり、その際、
Ｒ22は、Ｒ1と同じ意味を有し、
Ｇ1およびＧ2は、同一または異なっており、かつフェニレンまたは単環式の二価の５員ないし８員の芳香族複素環式基であり、そのフェニレンおよび単環式の二価の５員ないし８員の芳香族複素環式基は、任意に、１〜４個の置換基Ｒiで置換されており、それぞれのＲiは、独立して、ハロゲン、−ＣＮ、−ＮＯ2、ＯＨ、Ｃ1〜Ｃ30−アルキル、Ｃ2〜Ｃ30−アルケニル、Ｃ2〜Ｃ30−アルキニル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ5〜Ｃ10−シクロアルケニル、−Ｚ17−Ｃ8〜Ｃ10−シクロアルキニル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ2〜Ｃ30−アルケニル、Ｃ2〜Ｃ30−アルキニル、Ｃ3〜Ｃ10−シクロアルキル、Ｃ5〜Ｃ10−シクロアルケニル、Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮ、−ＮＯ2、*＝Ｏ、−ＯＨ、−ＮＨ2、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）mＨ、−Ｓ（Ｏ）m−Ｃ1〜Ｃ20−アルキル、−Ｓ（Ｏ）2ＯＨ、−Ｓ（Ｏ）m−ＯＣ1〜Ｃ20−アルキル、−Ｓ（Ｏ）m−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）ＯＨ、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）mＮＨ2、−Ｓ（Ｏ）mＮＨ（Ｃ1〜Ｃ20−アルキル）、−Ｓ（Ｏ）mＮ（Ｃ1〜Ｃ20−アルキル）2、−Ｓ（Ｏ）mＮＨ（Ｃ6〜Ｃ14−アリール）、−Ｓ（Ｏ）mＮ（Ｃ1〜Ｃ20−アルキル）−Ｃ6〜Ｃ14−アリール、−Ｓ（Ｏ）mＮ（Ｃ6〜Ｃ14−アリール）2、ＳｉＨ3、ＳｉＨ（Ｃ1〜Ｃ20−アルキル）2、ＳｉＨ2（Ｃ1〜Ｃ20−アルキル）およびＳｉ（Ｃ1〜Ｃ20−アルキル）3からなる群から選択され、かつ
Ｃ3〜Ｃ10−シクロアルキル、Ｃ5〜Ｃ10−シクロアルケニル、−Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ2〜Ｃ20−アルケニル、Ｃ2〜Ｃ20−アルキニル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ17は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
ｍは、それぞれの場合に、独立して、０、１または２であり、
Ｌは、Ｃ6〜Ｃ24−アリーレンまたは二価の５員ないし１８員の芳香族複素環式基であり、その際、Ｃ6〜Ｃ24−アリーレンおよび二価の５員ないし１８員の芳香族複素環式基は、任意に、１〜４個の置換基Ｒlで置換されており、それぞれのＲlは、独立して、ハロゲン、−ＣＮ、−ＮＯ2、*＝Ｏ、ＯＨ、*＝Ｃ（Ｃ1〜Ｃ30−アルキル）2、Ｃ1〜Ｃ30−アルキル、Ｃ2〜Ｃ30−アルケニル、Ｃ2〜Ｃ30−アルキニル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ5〜Ｃ10−シクロアルケニル、−Ｚ18−Ｃ8〜Ｃ10−シクロアルキニル、−Ｚ18−Ｃ6〜Ｃ14−アリール、−Ｚ18−一価の３員ないし１２員の脂肪族複素環式基および−Ｚ18−一価の５員ないし１４員の芳香族複素環式基からなる群から選択され、その際、
Ｃ1〜Ｃ30−アルキル、Ｃ2〜Ｃ30−アルケニル、Ｃ2〜Ｃ30−アルキニル、Ｃ3〜Ｃ10−シクロアルキル、Ｃ5〜Ｃ10−シクロアルケニル、Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮ、−ＮＯ2、*＝Ｏ、−ＯＨ、−ＮＨ2、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）oＨ、−Ｓ（Ｏ）o−Ｃ1〜Ｃ20−アルキル、−Ｓ（Ｏ）2ＯＨ、−Ｓ（Ｏ）o−ＯＣ1〜Ｃ20−アルキル、−Ｓ（Ｏ）o−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）ＯＨ、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）oＮＨ2、−Ｓ（Ｏ）oＮＨ（Ｃ1〜Ｃ20−アルキル）、−Ｓ（Ｏ）oＮ（Ｃ1〜Ｃ20−アルキル）2、−Ｓ（Ｏ）oＮＨ（Ｃ6〜Ｃ14−アリール）、−Ｓ（Ｏ）oＮ（Ｃ1〜Ｃ20−アルキル）−Ｃ6〜Ｃ14−アリール、−Ｓ（Ｏ）oＮ（Ｃ6〜Ｃ14−アリール）2、ＳｉＨ3、ＳｉＨ（Ｃ1〜Ｃ20−アルキル）2、ＳｉＨ2（Ｃ1〜Ｃ20−アルキル）およびＳｉ（Ｃ1〜Ｃ20−アルキル）3からなる群から選択され、かつ
Ｃ3〜Ｃ10−シクロアルキル、Ｃ5〜Ｃ10−シクロアルケニル、−Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒnで置換されており、それぞれのＲnは、独立して、Ｃ1〜Ｃ20−アルキル、Ｃ2〜Ｃ20−アルケニル、Ｃ2〜Ｃ20−アルキニル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ18は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
ｏは、それぞれの場合に、独立して、０、１または２であるか、または
Ｌは、
【化３】
2013538257.tif 000120
であり、その式中、
Ｒ23およびＲ24は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ7−Ｒ25、−Ｘ8−Ａｒ13、−Ｘ8−Ａｒ14−Ａｒ13、−Ｘ8−Ａｒ14−Ｒ26または−Ｘ8−Ａｒ14−Ａｒ15−Ｒ26であり、その際、
Ｘ7は、それぞれの場合に、独立して、−Ｏ−、−［Ｚ19−Ｏ］c−、−［Ｏ−Ｚ19］c−Ｏ−、−Ｓ−、−［Ｚ19−Ｓ−］c−、−［Ｓ−Ｚ19］c−Ｓ−、−Ｓ（Ｏ）、−Ｃ（Ｏ）−、−Ｃ（Ｏ）Ｏ−、−Ｃ（Ｏ）ＮＲ27−、Ｃ（Ｏ）Ｓ−、−Ｏ（ＣＯ）−、−Ｓ（ＣＯ）−、ＮＲ27Ｃ（Ｏ）−または−ＮＲ27−であり、その際、
Ｚ19は、それぞれの場合に、独立して、Ｃ1〜Ｃ6−アルキレン、Ｃ2〜Ｃ6−アルケニレンまたはＣ1〜Ｃ6−ハロアルキレンであり、
ｃは、それぞれの場合に、独立して、１〜１０の整数であり、かつ
Ｒ27は、それぞれの場合に、独立して、Ｈ、Ｃ1〜Ｃ20−アルキルまたは−Ｚ20−Ｃ6〜Ｃ14−アリールであり、その際、
Ｚ20は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ25は、それぞれの場合に、独立して、Ｃ1〜Ｃ30−アルキル、Ｃ2〜Ｃ30−アルケニルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、−Ｓ（Ｏ）−、−Ｃ（Ｏ）−、−Ｃ（Ｏ）Ｏ−、−（ＣＯ）ＮＲ28、−Ｃ（Ｏ）Ｓ−、−Ｏ（ＣＯ）−、−Ｓ（ＣＯ）−、−ＮＲ28Ｃ（Ｏ）−、−ＮＲ28−、−Ｚ21−ＳｉＲ282−Ｚ22−、Ｃ1〜Ｃ30−アルキレン、Ｃ2〜Ｃ30−アルケニレン、Ｃ1〜Ｃ30−ハロアルキレンまたは共有結合であり、その際、
Ｚ21およびＺ22は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ28は、それぞれの場合に、独立して、Ｈ、Ｃ1〜Ｃ20−アルキルまたは−Ｚ23−Ｃ6〜Ｃ14−アリールであり、その際、
Ｚ23は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ13は、それぞれの場合に、独立して、Ｃ6〜Ｃ14−アリールまたは一価の５員ないし１４員の芳香族複素環式基であり、それらは、それぞれ任意に、１〜５個の置換基Ｒoで置換されており、それぞれのＲoは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ14およびＡｒ15は、それぞれの場合に、独立して、Ｃ6〜Ｃ14−アリーレンまたは二価の５員ないし１４員の芳香族複素環式基であり、それらは、それぞれ任意に、１〜４個の置換基Ｒpで置換されており、それぞれのＲpは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ26は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ9−Ａｒ16、−Ｘ9−Ａｒ17−Ａｒ16、−Ｘ9−Ａｒ17−Ｒ29または−Ｘ9−Ａｒ17−Ａｒ18−Ｒ29であり、その際、
Ｘ9は、それぞれの場合に、独立して、−Ｚ24−Ｏ−Ｚ25−、−Ｚ24−Ｓ−Ｚ25、−Ｓ（Ｏ）−、−Ｃ（Ｏ）−、−Ｃ（Ｏ）Ｏ−、−（ＣＯ）ＮＲ30、−Ｃ（Ｏ）Ｓ−、−Ｏ（ＣＯ）−、−Ｓ（ＣＯ）−、−ＮＲ30Ｃ（Ｏ）−、−ＮＲ30−、−Ｚ24−ＳｉＲ302−Ｚ25−、Ｃ1〜Ｃ30−アルキレン、Ｃ2〜Ｃ30−アルケニレン、Ｃ1〜Ｃ30−ハロアルキレンまたは共有結合であり、その際、
Ｚ24およびＺ25は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ30は、それぞれの場合に、独立して、Ｈ、Ｃ1〜Ｃ20−アルキルまたは−Ｚ26−Ｃ6〜Ｃ14−アリールであり、その際、
Ｚ26は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ16は、それぞれの場合に、独立して、Ｃ6〜Ｃ14−アリールまたは一価の５員ないし１４員の芳香族複素環式基であり、それらは、それぞれ任意に、１〜５個の置換基Ｒqで置換されており、それぞれのＲqは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ17およびＡｒ18は、それぞれの場合に、独立して、Ｃ6〜Ｃ14−アリーレンまたは二価の５員ないし１４員の芳香族複素環式基であり、それらは、それぞれ任意に、１〜４個の置換基Ｒrで置換されており、それぞれのＲrは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ29は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
ｑおよびｓは、同一または異なっており、かつ０、１、２、３、４または５であり、
ｒは、０、１または２であり、かつ
ｎは、１〜１００００の整数である］の化合物、オリゴマーまたはポリマー。
【請求項２】
Ａ1およびＡ2は、Ｓである、請求項１に記載の式（１）の化合物、オリゴマーまたはポリマー。
【請求項３】
Ｅは、
【化４】
2013538257.tif 000121
からなる群から選択される、請求項１または２に記載の式（１）の化合物、オリゴマーまたはポリマー。
【請求項４】
Ｅは、
【化５】
2013538257.tif 000122
である、請求項１または２に記載の式（１）の化合物、オリゴマーまたはポリマー。
【請求項５】
Ｅは、
【化６】
2013538257.tif 000123
である、請求項１または２に記載の式（１）の化合物、オリゴマーまたはポリマー。
【請求項６】
Ｒ1およびＲ2は、同一または異なっており、かつＨ、Ｃ1〜Ｃ30−アルキル、Ｃ1〜Ｃ30−ハロアルキル、−Ｘ1−Ｒ6または−Ｘ2−Ａｒ1であり、その際、
Ｘ1は、それぞれの場合に、独立して、−［Ｚ1−Ｏ］a−、−［Ｚ1−Ｓ−］a−または−［Ｓ−Ｚ1］a−Ｓ−であり、その際、
Ｚ1は、それぞれの場合に、独立して、Ｃ1〜Ｃ6−アルキレンまたはＣ1〜Ｃ6−ハロアルキレンであり、
ａは、それぞれの場合に、独立して、１〜１０の整数であり、かつ
Ｒ6は、それぞれの場合に、独立して、Ｃ1〜Ｃ30−アルキルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、Ｃ1〜Ｃ30−アルキレンまたはＣ1〜Ｃ30−ハロアルキレンであり、その際、
Ｚ3およびＺ4は、それぞれの場合に、独立して、Ｃ1〜Ｃ6−アルキレンまたはＣ1〜Ｃ6−ハロアルキレンであり、かつ
Ａｒ1は、それぞれの場合に、独立して、Ｃ6〜Ｃ14−アリールであり、前記アリールは、任意に、１〜５個の置換基Ｒaで置換されており、それぞれのＲaは、独立して、ハロゲン、Ｃ1〜Ｃ6−アルキルおよびＣ1〜Ｃ6−アルコキシからなる群から選択される、請求項１から４までのいずれか１項に記載の式（１）の化合物、オリゴマーまたはポリマー。
【請求項７】
Ｒ1およびＲ2は、同一または異なっており、かつＣ1〜Ｃ30−アルキル、好ましくはＣ1〜Ｃ20−アルキル、より好ましくはＣ1〜Ｃ6−アルキルである、請求項１から４までのいずれか１項に記載の式（１）の化合物、オリゴマーまたはポリマー。
【請求項８】
Ｒ3は、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ5は、それぞれの場合に、共有結合であり、
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシである、請求項１から３および５のいずれか１項に記載の式（１）の化合物、オリゴマーまたはポリマー。
【請求項９】
Ｒ3は、−Ｘ5−Ａｒ8−Ｒ13であり、その際、
Ｘ5は、共有結合であり、
Ａｒ8は、Ｃ6〜Ｃ14−アリーレン、好ましくはフェニレンであり、かつ
Ｒ13は、Ｃ1〜Ｃ20−アルキルである、請求項１から３および５のいずれか１項に記載の式（１）の化合物、オリゴマーまたはポリマー。
【請求項１０】
Ｇ1およびＧ2は、同一または異なっており、かつフェニレン、例えば
【化７】
2013538257.tif 000124
または、好ましくは、
【化８】
2013538257.tif 000125
からなる群から選択される単環式の二価の５員ないし８員の芳香族複素環式基であり、
そのフェニレンまたは単環式の二価の５員ないし８員の芳香族複素環式基は、任意に、１〜２個の置換基Ｒiで置換されており、それぞれのＲiは、独立して、Ｃ1〜Ｃ30−アルキル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ1〜Ｃ20−アルコキシ、Ｃ1〜Ｃ20−ハロアルキルからなる群から選択され、その際、
Ｚ17は、それぞれの場合に、独立して、Ｃ1〜Ｃ6−アルキレン、Ｃ1〜Ｃ6−ハロアルキレンまたは共有結合である、請求項１から９までのいずれか１項に記載の式（１）の化合物、オリゴマーまたはポリマー。
【請求項１１】
Ｇ1およびＧ2は、同一または異なっており、かつ単環式の二価の５員ないし８員の芳香族複素環式基であり、その単環式の二価の５員ないし８員の芳香族複素環式基は、
【化９】
2013538257.tif 000126
であり、その単環式の二価の５員ないし８員の芳香族複素環式基は、１〜２個の置換基Ｒiで置換されており、それぞれのＲiは、独立して、Ｃ1〜Ｃ30−アルキルおよび−Ｚ17−Ｃ6〜Ｃ14−アリールからなる群から選択され、その際、
Ｃ1〜Ｃ30−アルキルおよびＣ6〜Ｃ14−アリールは、任意に、１〜４個の置換基Ｒjで置換されており、それぞれのＲjは、独立して、ハロゲン、−ＣＮおよび*＝Ｏからなる群から選択され、かつ
Ｃ6〜Ｃ14−アリールは、任意に、１〜４個の置換基Ｒkで置換されており、それぞれのＲkは、独立して、Ｃ1〜Ｃ20−アルキルおよびＣ1〜Ｃ20−アルコキシからなる群から選択され、その際、
Ｚ17は、それぞれの場合に、共有結合である、請求項１から１０までのいずれか１項に記載の式（１）の化合物、オリゴマーまたはポリマー。
【請求項１２】
それぞれのＲiは、独立して、Ｃ1〜Ｃ30−アルキル、好ましくは、ｎ−オクチル、ｎ−（２−エチル）ヘキシル、ｎ−ノニル、ｎ−デシル、ｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）、より好ましくはｎ−ドデシルである、請求項１、１０および１１のいずれか１項に記載の式（１）の化合物、オリゴマーまたはポリマー。
【請求項１３】
Ｌは、二価の５員ないし１８員の芳香族複素環式基であり、その二価の５員ないし１８員の芳香族複素環式基は、任意に、１〜４個の置換基Ｒlで置換されており、それぞれのＲlは、独立して、Ｃ1〜Ｃ30−アルキル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ6〜Ｃ14−アリール、−Ｚ18−一価の３員ないし１２員の脂肪族複素環式基および−Ｚ18−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒnで置換されており、それぞれのＲnは、独立して、Ｃ1〜Ｃ20−アルキル、Ｃ1〜Ｃ20−アルコキシ、Ｃ1〜Ｃ20−ハロアルキルからなる群から選択され、その際、
Ｚ18は、それぞれの場合に、独立して、Ｃ1〜Ｃ6−アルキレン、Ｃ1〜Ｃ6−ハロアルキレンまたは共有結合であるか、または
Ｌは、
【化１０】
2013538257.tif 000127
であり、その式中、
Ｒ23およびＲ24は、同一または異なっており、かつＨ、ハロゲン、−ＣＮ、Ｃ1〜Ｃ30−アルキル、Ｃ2〜Ｃ30−アルケニル、Ｃ1〜Ｃ30−ハロアルキル、−Ｘ7−Ｒ25、−Ｘ8−Ａｒ13、−Ｘ8−Ａｒ14−Ａｒ13、−Ｘ8−Ａｒ14−Ｒ26または−Ｘ8−Ａｒ14−Ａｒ15−Ｒ26であり、その際、
Ｘ7は、それぞれの場合に、独立して、−Ｏ−、−［Ｚ19−Ｏ］c−、−［Ｏ−Ｚ19］c−Ｏ−、−Ｓ−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレン、Ｃ2〜Ｃ6−アルケニレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキル、Ｃ2〜Ｃ30−アルケニルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレン、Ｃ2〜Ｃ30−アルケニレン、Ｃ1〜Ｃ30−ハロアルキレンまたは共有結合であり、その際、
Ｚ21およびＺ22は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ａｒ13は、それぞれの場合に、独立して、Ｃ6〜Ｃ14−アリールまたは一価の５員ないし１４員の芳香族複素環式基であり、それらは、それぞれ任意に、１〜５個の置換基Ｒoで置換されており、それぞれのＲoは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ14およびＡｒ15は、それぞれの場合に、独立して、Ｃ6〜Ｃ14−アリーレンまたは二価の５員ないし１４員の芳香族複素環式基であり、それらは、それぞれ任意に、１〜４個の置換基Ｒpで置換されており、それぞれのＲpは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ26は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシである、請求項１から１２までのいずれか１項に記載の式（１）の化合物、オリゴマーまたはポリマー。
【請求項１４】
Ｌは、
【化１１】
2013538257.tif 000128
からなる群から選択される二価の５員ないし１８員の芳香族複素環式基であり、その二価の５員ないし１８員の芳香族複素環式基は、任意に、１〜４個の置換基Ｒlで置換されており、それぞれのＲlは、請求項１３に示したのと同じ意味を有し、かつ
Ｒtは、水素またはＣ1〜Ｃ30−アルキルであるか、または
Ｌは、
【化１２】
2013538257.tif 000129
であり、その式中、
Ｒ23およびＲ24は、請求項１３に示したのと同じ意味を有する、請求項１から１３までのいずれか１項に記載の式（１）の化合物、オリゴマーまたはポリマー。
【請求項１５】
Ｌは、
【化１３】
2013538257.tif 000130
であり、その式中、それぞれのＲlは、請求項１３に示したのと同じ意味を有するか、または
Ｌは、
【化１４】
2013538257.tif 000131
であり、その式中、Ｒ23およびＲ24は、同一または異なっており、かつ請求項１３に示したのと同じ意味を有する、請求項１から１４までのいずれか１項に記載の式（１）の化合物、オリゴマーまたはポリマー。
【請求項１６】
Ｒlは、独立して、Ｃ1〜Ｃ30−アルキルおよび−Ｚ18−Ｃ6〜Ｃ14−アリールからなる群から選択され、その際、
Ｃ1〜Ｃ30−アルキルおよびＣ6〜Ｃ14−アリールは、任意に、１〜４個の置換基Ｒmで置換されており、それぞれのＲmは、独立して、ハロゲン、−ＣＮおよび*＝Ｏからなる群から選択され、かつ
Ｃ6〜Ｃ14−アリールは、任意に、１〜４個の置換基Ｒnで置換されており、それぞれのＲnは、独立して、Ｃ1〜Ｃ20−アルキルおよびＣ1〜Ｃ20−アルコキシからなる群から選択され、その際、
Ｚ18は、それぞれの場合に、共有結合であり、かつ
Ｒ23およびＲ24は、同一または異なっており、かつＨ、Ｃ1〜Ｃ30−アルキル、Ｃ1〜Ｃ30−ハロアルキル、−Ｘ7−Ｒ25または−Ｘ8−Ａｒ13であり、その際、
Ｘ7は、それぞれの場合に、独立して、−［Ｚ19−Ｏ］c−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレンまたはＣ1〜Ｃ30−ハロアルキレンであり、その際、
Ｚ21およびＺ22は、それぞれの場合に、独立して、Ｃ1〜Ｃ6−アルキレンまたはＣ1〜Ｃ6−ハロアルキレンであり、かつ
Ａｒ13は、それぞれの場合に、独立して、Ｃ6〜Ｃ14−アリールであり、前記アリールは、任意に、１〜５個の置換基Ｒoで置換されており、それぞれのＲoは、独立して、ハロゲン、Ｃ1〜Ｃ6−アルキルおよびＣ1〜Ｃ6−アルコキシからなる群から選択される、請求項１および１３から１５のいずれか１項に記載の式（１）の化合物、オリゴマーまたはポリマー。
【請求項１７】
それぞれのＲlは、独立して、Ｃ1〜Ｃ30−アルキル、好ましくは、ｎ−オクチル、ｎ−（２−エチル）ヘキシル、ｎ−ノニル、ｎ−デシル、ｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）、より好ましくはｎ−ヘキサデシルであり、かつ
Ｒ23およびＲ24は、同一または異なっており、かつＨ、Ｃ1〜Ｃ30−アルキルまたはＣ1〜Ｃ30−ハロアルキル、特にＨである、請求項１および１３から１５のいずれか１項に記載の式（１）の化合物、オリゴマーまたはポリマー。
【請求項１８】
ｑ、ｒおよびｓは、０または１であるが、但し、ｑ、ｒおよびｓは、すべて同時に０ではない、請求項１から１７までのいずれか１項に記載の式（１）の化合物、オリゴマーまたはポリマー。
【請求項１９】
ｎは、１〜５０００、１〜１０００、１〜１００、１〜５０、または１〜３０の整数であり、好ましくは、２〜５０００、２〜１０００、２〜５０、または２〜３０の整数である、請求項１から１８までのいずれか１項に記載の式（１）の化合物、オリゴマーまたはポリマー。
【請求項２０】
請求項１から１９までのいずれか１項に記載の式（１）の化合物、オリゴマーまたはポリマーを含む電子デバイス。
【請求項２１】
前記電子デバイスが、有機電界効果トランジスタである、請求項２０に記載の電子デバイス。
【請求項２２】
請求項１から１９までのいずれか１項に記載の式（１）の化合物、オリゴマーまたはポリマーの、有機半導体材料としての使用。
【発明の詳細な説明】
【技術分野】
【０００１】
有機半導体材料は、有機光起電性（ＯＰＶ）セル、有機電界効果トランジスタ（ＯＦＥＴ）および有機発光ダイオード（ＯＬＥＤ）などの電子デバイスで使用することができる。
【０００２】
有機半導体材料は、スピンコート、溶液キャスティングまたは印刷などの液体プロセシング技術と適合性であることが望ましい。液体プロセシング技術は、加工性の点から適切であり、プラスチック製の基材に適用することもできる。このように、液体プロセシング技術と適合性の有機半導体材料は、廉価で、軽量で、かつ場合によりまたフレキシブルな電子デバイスの製造を可能にし、それは、無機半導体材料と比較した場合のこれらの有機半導体材料の明らかな利点である。
【０００３】
さらに、該有機半導体材料は、特に酸化に対して安定であることが望ましい。
【０００４】
有機電界効果トランジスタ（ＯＦＥＴ）で使用される場合に、該有機半導体材料は、高い電荷担体移動度と高いオン／オフ比を示すべきである。
【０００５】
有機半導体材料の、電子デバイスでの、特に有機電界効果トランジスタ（ＯＦＥＴ）での使用は、当該技術分野で公知である。
【０００６】
Fuchigami, H.; Tsumura, A.; Koezuka, H. Appl. Phys. Lett. 1993, 63, 1372-1374は、電界効果トランジスタにおけるポリ（２，５−チエニレンビニレン）の使用を記載している。
【０００７】
Bao, Z.; Dobadalapur, A.; Lovinger, A. J. Appl. Phys. Lett. 1996, 69, 4108-4110は、電界効果トランジスタにおけるレジオレギュラーポリ（３−ヘキシルチオフェン）の使用を記載している。
【０００８】
Zhang, M.; Tsao, H.N.; Pisula, W.; Yang, C.; Mishra, A. K.; Muellen, K. J. Am. Chem. Soc. 2007, 129, 3472-3473は、有機電界効果トランジスタ（ＯＦＥＴ）において使用するための、式
【化１】
2013538257.tif 000003
のポリマーを記載している。
【０００９】
Xiao, S; Zhou H.; You, W. Macromolecules 2008, 41, 5688-5696は、光起電性デバイスにおける使用のためのドナー材料としての、以下のポリマー
【化２】
2013538257.tif 000004
を記載している。
【００１０】
Scharber, M. C.; Koppe, M.; Gao, J.; Cordelia, F.; Loi, M. A.; Denk, P.; Morana, M.; Egelhaaf, H.-J.; Forberich, K.; Dennler, G.; Gaudiana, R.; Waller, D.; Zhu, Z.; Shi, X.; Brabec, C. J. Adv. Mater. 2009, 21, 1-4は、太陽電池における使用のためのドナー材料としての、以下のポリマー
【化３】
2013538257.tif 000005
を記載している。
【００１１】
Rieger, R.; Beckmann, D.; Pisula, W.; Steffen, W.; Kastler, M.; Muellen K. Adv. Mater. 2010, 22, 83-86は、有機電界効果トランジスタ（ＯＦＥＴ）における使用のための、以下のポリマー
【化４】
2013538257.tif 000006
を記載している。
【００１２】
Kim, D. H.; Lee, B.-L-; Moon, H.; Kang, H. M.; Jeong, E. J.; Park, J.; Han, K.-M.; Lee, S.; Yoo, B. W.; Koo, B. W.; Kim, J. Y.; Lee, W. H.; Cho, K.; Becerril, H. A.; Z. Bao Z. J. Am. Chem. Soc. 2009, 131, 6124-6132は、有機電界効果トランジスタ（ＯＦＥＴ）における使用のための、ポリマー
【化５】
2013538257.tif 000007
を記載している。
【００１３】
Osaka, I.; Sauve, G.; Zhang, R.; Kowalewski, T.; McCullough R. D. Adv. Mater. 2007, 19, 4160-4165は、有機電界効果トランジスタ（ＯＦＥＴ）における使用のためのポリマー
【化６】
2013538257.tif 000008
を記載している。
【００１４】
ＥＰ２０８５４０１Ａ１は、トランジスタにおける使用のための、以下の式
【化７】
2013538257.tif 000009
［式中、Ｒ1、Ｒ2、Ｒ3およびＲ4のそれぞれは、水素原子、ハロゲン原子、置換もしくは非置換のアルキル基、置換もしくは非置換のアルコキシ基または置換もしくは非置換のチオアルコキシ基を表し、その際、Ｒ1、Ｒ2、Ｒ3およびＲ4の少なくとも１つは、水素原子ではなく、かつｎは、正の整数であり、その際、ｎが２もしくはそれより大きい場合には、Ｒ3のそれぞれは、他と同じであるかまたは他と異なり、かつＲ4のそれぞれは、他と同じであるかまたは他と異なる］を有する単位を含むベンゾビスチアゾールポリマーを記載している。
【００１５】
ＵＳ２００８／０１２１２８１Ａ１は、チアゾールを有するポリマー、例えばビチアゾールを有するポリマー、シクロペンタジチアゾールを有するポリマーまたはチアゾロチアゾールを有するポリマーを有する光起電性セルを記載している。シクロペンタジチアゾールを有するポリマーは、シクロペンタジチアゾール部を含む第一のコモノマー繰返単位と、第一のコモノマー繰返単位とは異なる第二のコモノマー繰返単位とを含むポリマーであってよい。幾つかの実施形態においては、第一のコモノマー繰返単位は、式
【化８】
2013538257.tif 000010
［式中、Ｒ1およびＲ2のそれぞれは、独立して、Ｈ、Ｃ1〜Ｃ20−アルキル、Ｃ1〜Ｃ20−アルコキシ、Ｃ3〜Ｃ20−シクロアルキル、Ｃ1〜Ｃ20−ヘテロシクロアルキル、アリール、ヘテロアリール、ハロ、ＣＮ、ＯＲ、Ｃ（Ｏ）Ｒ、Ｃ（Ｏ）ＯＲまたはＳＯ2Ｒであり、その際、Ｒは、Ｈ、Ｃ1〜Ｃ20−アルキル、Ｃ1〜Ｃ20−アルコキシ、Ｃ3〜Ｃ20−シクロアルキル、Ｃ1〜Ｃ20−ヘテロシクロアルキル、アリールまたはヘテロアリールである］のシクロペンタジチアゾール部を含む。
【００１６】
ＷＯ２００９／０６９６８７は、一般式
【化９】
2013538257.tif 000011
［式中、Ｚ21およびＺ22は、独立して、例えば−Ｓ−を表す］によって表されるポリマーを記載している。
【００１７】
本発明の課題は、電子デバイスにおいて、特に有機電界効果トランジスタ（ＯＦＥＴ）において使用するのに適した有機半導体材料であって、該有機半導体材料が、高い酸化安定性を、特に大気条件において示し、かつ液体プロセシング技術と適合性である前記材料を提供することである。該有機半導体材料を含む有機電界効果トランジスタは、許容できる電荷担体移動度と電流オン／オフ比を示すべきである。
【００１８】
前記課題は、請求項１の化合物、オリゴマーまたはポリマーおよび請求項１９の電子デバイスによって解決される。
【００１９】
本発明の化合物、オリゴマーまたはポリマーは、式
【化１０】
2013538257.tif 000012
［式中、
Ａ1およびＡ2は、同一または異なってよく、かつＳまたはＳｅであり、
Ｅは、
【化１１】
2013538257.tif 000013
からなる群から選択され、
その式中、
Ｒ1およびＲ2は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ1−Ｒ6、−Ｘ2−Ａｒ1、−Ｘ2−Ａｒ2−Ａｒ1、−Ｘ2−Ａｒ2−Ｒ7または−Ｘ2−Ａｒ2−Ａｒ3−Ｒ7であり、その際、
Ｘ1は、それぞれの場合に、独立して、−Ｏ−、−［Ｚ1−Ｏ］a−、−［Ｏ−Ｚ1］a−Ｏ−、−Ｓ−、−［Ｚ1−Ｓ−］a−、−［Ｓ−Ｚ1］a−Ｓ−、−Ｓ（Ｏ）、−Ｃ（Ｏ）−、−Ｃ（Ｏ）Ｏ−、−Ｃ（Ｏ）ＮＲ8−、Ｃ（Ｏ）Ｓ−、−Ｏ（ＣＯ）−、−Ｓ（ＣＯ）−、−ＮＲ8Ｃ（Ｏ）−または−ＮＲ8−であり、その際、
Ｚ1は、それぞれの場合に、独立して、Ｃ1〜Ｃ6−アルキレン、Ｃ2〜Ｃ6−アルケニレンまたはＣ1〜Ｃ6−ハロアルキレンであり、
ａは、それぞれの場合に、独立して、１〜１０の整数であり、かつ
Ｒ8は、それぞれの場合に、独立して、Ｈ、Ｃ1〜Ｃ20−アルキルまたは−Ｚ2−Ｃ6〜Ｃ14−アリールであり、その際、
Ｚ2は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ6は、それぞれの場合に、独立して、Ｃ1〜Ｃ30−アルキル、Ｃ2〜Ｃ30−アルケニルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、−Ｓ（Ｏ）−、−Ｃ（Ｏ）−、−Ｃ（Ｏ）Ｏ−、−（ＣＯ）ＮＲ9、−Ｃ（Ｏ）Ｓ−、−Ｏ（ＣＯ）−、−Ｓ（ＣＯ）−、−ＮＲ9Ｃ（Ｏ）−、−ＮＲ9−、−Ｚ3−ＳｉＲ92−Ｚ4−、Ｃ1〜Ｃ30−アルキレン、Ｃ2〜Ｃ30−アルケニレン、Ｃ1〜Ｃ30−ハロアルキレンまたは共有結合であり、その際、
Ｚ3およびＺ4は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ9は、それぞれの場合に、独立して、Ｈ、Ｃ1〜Ｃ20−アルキルまたは−Ｚ5−Ｃ6〜Ｃ14−アリールであり、その際、
Ｚ5は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ1は、それぞれの場合に、独立して、Ｃ6〜Ｃ14−アリールまたは一価の５員ないし１４員の芳香族複素環式基であり、それらは、それぞれ任意に、１〜５個の置換基Ｒaで置換されており、それぞれのＲaは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ2およびＡｒ3は、それぞれの場合に、独立して、Ｃ6〜Ｃ14−アリーレンまたは二価の５員ないし１４員の芳香族複素環式基であり、それらは、それぞれ任意に、１〜４個の置換基Ｒbで置換されており、それぞれのＲbは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ7は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ3−Ａｒ4、−Ｘ3−Ａｒ5−Ａｒ4、−Ｘ3−Ａｒ5−Ｒ10または−Ｘ3−Ａｒ5−Ａｒ6−Ｒ10であり、その際、
Ｘ3は、それぞれの場合に、独立して、−Ｚ6−Ｏ−Ｚ7−、−Ｚ6−Ｓ−Ｚ7−、−Ｓ（Ｏ）−、−Ｃ（Ｏ）−、−Ｃ（Ｏ）Ｏ−、−（ＣＯ）ＮＲ11、−Ｃ（Ｏ）Ｓ−、−Ｏ（ＣＯ）−、−Ｓ（ＣＯ）−、−ＮＲ11Ｃ（Ｏ）−、−ＮＲ11−、−Ｚ6−ＳｉＲ112−Ｚ7−、Ｃ1〜Ｃ30−アルキレン、Ｃ2〜Ｃ30−アルケニレン、Ｃ1〜Ｃ30−ハロアルキレンまたは共有結合であり、その際、
Ｚ6およびＺ7は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ11は、それぞれの場合に、独立して、Ｈ、Ｃ1〜Ｃ20−アルキルまたは−Ｚ8−Ｃ6〜Ｃ14−アリールであり、その際、
Ｚ8は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ4は、それぞれの場合に、独立して、Ｃ6〜Ｃ14−アリールまたは一価の５員ないし１４員の芳香族複素環式基であり、それらは、それぞれ任意に、１〜５個の置換基Ｒcで置換されており、それぞれのＲcは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ5およびＡｒ6は、それぞれの場合に、独立して、Ｃ6〜Ｃ14−アリーレンまたは二価の５員ないし１４員の芳香族複素環式基であり、それらは、それぞれ任意に、１〜４個の置換基Ｒdで置換されており、それぞれのＲdは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ10は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｒ3、Ｒ4およびＲ5は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ4−Ｒ12、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ4は、それぞれの場合に、独立して、−［Ｚ9−Ｏ］b−、−［Ｚ9−Ｓ−］b−、−Ｓ（Ｏ）−、−Ｃ（Ｏ）−、−Ｃ（Ｏ）Ｏ−、−Ｃ（Ｏ）ＮＲ14−またはＣ（Ｏ）Ｓ−であり、その際、
Ｚ9は、それぞれの場合に、独立して、Ｃ1〜Ｃ6−アルキレン、Ｃ2〜Ｃ6−アルケニレンまたはＣ1〜Ｃ6−ハロアルキレンであり、
ｂは、それぞれの場合に、独立して、１〜１０の整数であり、かつ
Ｒ14は、それぞれの場合に、独立して、Ｈ、Ｃ1〜Ｃ20−アルキルまたは−Ｚ10−Ｃ6〜Ｃ14−アリールであり、その際、
Ｚ10は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ12は、それぞれの場合に、独立して、Ｃ1〜Ｃ30−アルキル、Ｃ2〜Ｃ30−アルケニルまたはＣ1〜Ｃ30−ハロアルキルであり、
Ｘ5は、それぞれの場合に、独立して、−Ｚ11−Ｏ−Ｚ12−、−Ｚ11−Ｓ−Ｚ12−、−Ｓ（Ｏ）−、−Ｃ（Ｏ）−、−Ｃ（Ｏ）Ｏ−、−（ＣＯ）ＮＲ15、−Ｃ（Ｏ）Ｓ−、−Ｚ11−ＳｉＲ152−Ｚ12−、Ｃ1〜Ｃ30−アルキレン、Ｃ2〜Ｃ30−アルケニレン、Ｃ1〜Ｃ30−ハロアルキレンまたは共有結合であり、その際、
Ｚ11は、それぞれの場合に、独立して、Ｃ1〜Ｃ6−アルキレン、Ｃ2〜Ｃ6−アルケニレンまたはＣ1〜Ｃ6−ハロアルキレンであり、
Ｚ12は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ15は、それぞれの場合に、独立して、Ｈ、Ｃ1〜Ｃ20−アルキルまたは−Ｚ13−Ｃ6〜Ｃ14−アリールであり、その際、
Ｚ13は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ6−Ａｒ10、−Ｘ6−Ａｒ11−Ａｒ10、−Ｘ6−Ａｒ11−Ｒ16または−Ｘ6−Ａｒ11−Ａｒ12−Ｒ17であり、その際、
Ｘ6は、それぞれの場合に、独立して、−Ｚ14−Ｏ−Ｚ15−、−Ｚ14−Ｓ−Ｚ15、−Ｓ（Ｏ）−、−Ｃ（Ｏ）−、−Ｃ（Ｏ）Ｏ−、−（ＣＯ）ＮＲ18、−Ｃ（Ｏ）Ｓ−、−Ｏ（ＣＯ）−、−Ｓ（ＣＯ）−、−ＮＲ18Ｃ（Ｏ）−、−ＮＲ18−、−Ｚ14−ＳｉＲ182−Ｚ15−、Ｃ1〜Ｃ30−アルキレン、Ｃ2〜Ｃ30−アルケニレン、Ｃ1〜Ｃ30−ハロアルキレンまたは共有結合であり、その際、
Ｚ14およびＺ15は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ18は、それぞれの場合に、独立して、Ｈ、Ｃ1〜Ｃ20−アルキルまたは−Ｚ16−Ｃ6〜Ｃ14−アリールであり、その際、
Ｚ16は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ10は、それぞれの場合に、独立して、Ｃ6〜Ｃ14−アリールまたは一価の５員ないし１４員の芳香族複素環式基であり、それらは、それぞれ任意に、１〜５個の置換基Ｒgで置換されており、それぞれのＲgは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ11およびＡｒ12は、それぞれの場合に、独立して、Ｃ6〜Ｃ14−アリーレンまたは二価の５員ないし１４員の芳香族複素環式基であり、それらは、それぞれ任意に、１〜４個の置換基Ｒhで置換されており、それぞれのＲhは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ17は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｒ19は、ＯまたはＣ（ＣＮ）2であり、かつ
Ｒ20およびＲ21は、同一または異なり、かつＲ22またはＣＮであり、その際、
Ｒ22は、Ｒ1と同じ意味を有し、
Ｇ1およびＧ2は、同一または異なっており、かつフェニレンまたは単環式の二価の５員ないし８員の芳香族複素環式基であり、そのフェニレンおよび単環式の二価の５員ないし８員の芳香族複素環式基は、任意に、１〜４個の置換基Ｒiで置換されており、それぞれのＲiは、独立して、ハロゲン、−ＣＮ、−ＮＯ2、−ＯＨ、Ｃ1〜Ｃ30−アルキル、Ｃ2〜Ｃ30−アルケニル、Ｃ2〜Ｃ30−アルキニル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ5〜Ｃ10−シクロアルケニル、−Ｚ17−Ｃ8〜Ｃ10−シクロアルキニル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ2〜Ｃ30−アルケニル、Ｃ2〜Ｃ30−アルキニル、Ｃ3〜Ｃ10−シクロアルキル、Ｃ5〜Ｃ10−シクロアルケニル、Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮ、−ＮＯ2、*＝Ｏ、−ＯＨ、−ＮＨ2、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）mＨ、−Ｓ（Ｏ）m−Ｃ1〜Ｃ20−アルキル、−Ｓ（Ｏ）2ＯＨ、−Ｓ（Ｏ）m−ＯＣ1〜Ｃ20−アルキル、−Ｓ（Ｏ）m−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）ＯＨ、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）mＮＨ2、−Ｓ（Ｏ）mＮＨ（Ｃ1〜Ｃ20−アルキル）、−Ｓ（Ｏ）mＮ（Ｃ1〜Ｃ20−アルキル）2、−Ｓ（Ｏ）mＮＨ（Ｃ6〜Ｃ14−アリール）、−Ｓ（Ｏ）mＮ（Ｃ1〜Ｃ20−アルキル）−Ｃ6〜Ｃ14−アリール、−Ｓ（Ｏ）mＮ（Ｃ6〜Ｃ14−アリール）2、ＳｉＨ3、ＳｉＨ（Ｃ1〜Ｃ20−アルキル）2、ＳｉＨ2（Ｃ1〜Ｃ20−アルキル）およびＳｉ（Ｃ1〜Ｃ20−アルキル）3からなる群から選択され、かつ
Ｃ3〜Ｃ10−シクロアルキル、Ｃ5〜Ｃ10−シクロアルケニル、−Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ2〜Ｃ20−アルケニル、Ｃ2〜Ｃ20−アルキニル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ17は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
ｍは、それぞれの場合に、独立して、０、１または２であり、
Ｌは、Ｃ6〜Ｃ24−アリーレンまたは二価の５員ないし１８員の芳香族複素環式基であり、その際、Ｃ6〜Ｃ24−アリーレンおよび二価の５員ないし１８員の芳香族複素環式基は、任意に、１〜４個の置換基Ｒlで置換されており、それぞれのＲlは、独立して、ハロゲン、−ＣＮ、−ＮＯ2、*＝Ｏ、ＯＨ、*＝Ｃ（Ｃ1〜Ｃ30−アルキル）2、Ｃ1〜Ｃ30−アルキル、Ｃ2〜Ｃ30−アルケニル、Ｃ2〜Ｃ30−アルキニル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ5〜Ｃ10−シクロアルケニル、−Ｚ18−Ｃ8〜Ｃ10−シクロアルキニル、−Ｚ18−Ｃ6〜Ｃ14−アリール、−Ｚ18−一価の３員ないし１２員の脂肪族複素環式基および−Ｚ18−一価の５員ないし１４員の芳香族複素環式基からなる群から選択され、その際、
Ｃ1〜Ｃ30−アルキル、Ｃ2〜Ｃ30−アルケニル、Ｃ2〜Ｃ30−アルキニル、Ｃ3〜Ｃ10−シクロアルキル、Ｃ5〜Ｃ10−シクロアルケニル、Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮ、−ＮＯ2、*＝Ｏ、−ＯＨ、−ＮＨ2、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）oＨ、−Ｓ（Ｏ）o−Ｃ1〜Ｃ20−アルキル、−Ｓ（Ｏ）2ＯＨ、−Ｓ（Ｏ）o−ＯＣ1〜Ｃ20−アルキル、−Ｓ（Ｏ）o−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）ＯＨ、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）oＮＨ2、−Ｓ（Ｏ）oＮＨ（Ｃ1〜Ｃ20−アルキル）、−Ｓ（Ｏ）oＮ（Ｃ1〜Ｃ20−アルキル）2、−Ｓ（Ｏ）oＮＨ（Ｃ6〜Ｃ14−アリール）、−Ｓ（Ｏ）oＮ（Ｃ1〜Ｃ20−アルキル）−Ｃ6〜Ｃ14−アリール、−Ｓ（Ｏ）oＮ（Ｃ6〜Ｃ14−アリール）2、ＳｉＨ3、ＳｉＨ（Ｃ1〜Ｃ20−アルキル）2、ＳｉＨ2（Ｃ1〜Ｃ20−アルキル）およびＳｉ（Ｃ1〜Ｃ20−アルキル）3からなる群から選択され、かつ
Ｃ3〜Ｃ10−シクロアルキル、Ｃ5〜Ｃ10−シクロアルケニル、−Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒnで置換されており、それぞれのＲnは、独立して、Ｃ1〜Ｃ20−アルキル、Ｃ2〜Ｃ20−アルケニル、Ｃ2〜Ｃ20−アルキニル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ18は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
ｏは、それぞれの場合に、独立して、０、１または２であるか、または
Ｌは、
【化１２】
2013538257.tif 000014
であり、その式中、
Ｒ23およびＲ24は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ7−Ｒ25、−Ｘ8−Ａｒ13、−Ｘ8−Ａｒ14−Ａｒ13、−Ｘ8−Ａｒ14−Ｒ26または−Ｘ8−Ａｒ14−Ａｒ15−Ｒ26であり、その際、
Ｘ7は、それぞれの場合に、独立して、−Ｏ−、−［Ｚ19−Ｏ］c−、−［Ｏ−Ｚ19］c−Ｏ−、−Ｓ−、−［Ｚ19−Ｓ−］c−、−［Ｓ−Ｚ19］c−Ｓ−、−Ｓ（Ｏ）、−Ｃ（Ｏ）−、−Ｃ（Ｏ）Ｏ−、−Ｃ（Ｏ）ＮＲ27−、Ｃ（Ｏ）Ｓ−、−Ｏ（ＣＯ）−、−Ｓ（ＣＯ）−、ＮＲ27Ｃ（Ｏ）−または−ＮＲ27−であり、その際、
Ｚ19は、それぞれの場合に、独立して、Ｃ1〜Ｃ6−アルキレン、Ｃ2〜Ｃ6−アルケニレンまたはＣ1〜Ｃ6−ハロアルキレンであり、
ｃは、それぞれの場合に、独立して、１〜１０の整数であり、かつ
Ｒ27は、それぞれの場合に、独立して、Ｈ、Ｃ1〜Ｃ20−アルキルまたは−Ｚ20−Ｃ6〜Ｃ14−アリールであり、その際、
Ｚ20は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ25は、それぞれの場合に、独立して、Ｃ1〜Ｃ30−アルキル、Ｃ2〜Ｃ30−アルケニルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、−Ｓ（Ｏ）−、−Ｃ（Ｏ）−、−Ｃ（Ｏ）Ｏ−、−（ＣＯ）ＮＲ28、−Ｃ（Ｏ）Ｓ−、−Ｏ（ＣＯ）−、−Ｓ（ＣＯ）−、−ＮＲ28Ｃ（Ｏ）−、−ＮＲ28−、−Ｚ21−ＳｉＲ282−Ｚ22−、Ｃ1〜Ｃ30−アルキレン、Ｃ2〜Ｃ30−アルケニレン、Ｃ1〜Ｃ30−ハロアルキレンまたは共有結合であり、その際、
Ｚ21およびＺ22は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ28は、それぞれの場合に、独立して、Ｈ、Ｃ1〜Ｃ20−アルキルまたは−Ｚ23−Ｃ6〜Ｃ14−アリールであり、その際、
Ｚ23は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ13は、それぞれの場合に、独立して、Ｃ6〜Ｃ14−アリールまたは一価の５員ないし１４員の芳香族複素環式基であり、それらは、それぞれ任意に、１〜５個の置換基Ｒoで置換されており、それぞれのＲoは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ14およびＡｒ15は、それぞれの場合に、独立して、Ｃ6〜Ｃ14−アリーレンまたは二価の５員ないし１４員の芳香族複素環式基であり、それらは、それぞれ任意に、１〜４個の置換基Ｒpで置換されており、それぞれのＲpは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ26は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ9−Ａｒ16、−Ｘ9−Ａｒ17−Ａｒ16、−Ｘ9−Ａｒ17−Ｒ29または−Ｘ9−Ａｒ17−Ａｒ18−Ｒ29であり、その際、
Ｘ9は、それぞれの場合に、独立して、−Ｚ24−Ｏ−Ｚ25−、−Ｚ24−Ｓ−Ｚ25、−Ｓ（Ｏ）−、−Ｃ（Ｏ）−、−Ｃ（Ｏ）Ｏ−、−（ＣＯ）ＮＲ30、−Ｃ（Ｏ）Ｓ−、−Ｏ（ＣＯ）−、−Ｓ（ＣＯ）−、−ＮＲ30Ｃ（Ｏ）−、−ＮＲ30−、−Ｚ24−ＳｉＲ302−Ｚ25−、Ｃ1〜Ｃ30−アルキレン、Ｃ2〜Ｃ30−アルケニレン、Ｃ1〜Ｃ30−ハロアルキレンまたは共有結合であり、その際、
Ｚ24およびＺ25は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ30は、それぞれの場合に、独立して、Ｈ、Ｃ1〜Ｃ20−アルキルまたは−Ｚ26−Ｃ6〜Ｃ14−アリールであり、その際、
Ｚ26は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ16は、それぞれの場合に、独立して、Ｃ6〜Ｃ14−アリールまたは一価の５員ないし１４員の芳香族複素環式基であり、それらは、それぞれ任意に、１〜５個の置換基Ｒqで置換されており、それぞれのＲqは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ17およびＡｒ18は、それぞれの場合に、独立して、Ｃ6〜Ｃ14−アリーレンまたは二価の５員ないし１４員の芳香族複素環式基であり、それらは、それぞれ任意に、１〜４個の置換基Ｒrで置換されており、それぞれのＲrは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ29は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
ｑおよびｓは、同一または異なっており、かつ０、１、２、３、４または５であり、
ｒは、０、１または２であり、かつ
ｎは、１〜１００００の整数である］で示されるものである。
【００２０】
好ましいのは、式
【化１３】
2013538257.tif 000015
［式中、
Ａ1およびＡ2は、同一または異なってよく、かつＳまたはＳｅであり、
Ｅは、
【化１４】
2013538257.tif 000016
からなる群から選択され、
その式中、
Ｒ1およびＲ2は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ1−Ｒ6、−Ｘ2−Ａｒ1、−Ｘ2−Ａｒ2−Ａｒ1、−Ｘ2−Ａｒ2−Ｒ7または−Ｘ2−Ａｒ2−Ａｒ3−Ｒ7であり、その際、
Ｘ1は、それぞれの場合に、独立して、−Ｏ−、−［Ｚ1−Ｏ］a−、−［Ｏ−Ｚ1］a−Ｏ−、−Ｓ−、−［Ｚ1−Ｓ−］a−、−［Ｓ−Ｚ1］a−Ｓ−、−Ｓ（Ｏ）、−Ｃ（Ｏ）−、−Ｃ（Ｏ）Ｏ−、−Ｃ（Ｏ）ＮＲ8−、Ｃ（Ｏ）Ｓ−、−Ｏ（ＣＯ）−、−Ｓ（ＣＯ）−、−ＮＲ8Ｃ（Ｏ）−または−ＮＲ8−であり、その際、
Ｚ1は、それぞれの場合に、独立して、Ｃ1〜Ｃ6−アルキレン、Ｃ2〜Ｃ6−アルケニレンまたはＣ1〜Ｃ6−ハロアルキレンであり、
ａは、それぞれの場合に、独立して、１〜１０の整数であり、かつ
Ｒ8は、それぞれの場合に、独立して、Ｈ、Ｃ1〜Ｃ20−アルキルまたは−Ｚ2−Ｃ6〜Ｃ14−アリールであり、その際、
Ｚ2は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ6は、それぞれの場合に、独立して、Ｃ1〜Ｃ30−アルキル、Ｃ2〜Ｃ30−アルケニルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、−Ｓ（Ｏ）−、−Ｃ（Ｏ）−、−Ｃ（Ｏ）Ｏ−、−（ＣＯ）ＮＲ9、−Ｃ（Ｏ）Ｓ−、−Ｏ（ＣＯ）−、−Ｓ（ＣＯ）−、−ＮＲ9Ｃ（Ｏ）−、−ＮＲ9−、−Ｚ3−ＳｉＲ92−Ｚ4−、Ｃ1〜Ｃ30−アルキレン、Ｃ2〜Ｃ30−アルケニレン、Ｃ1〜Ｃ30−ハロアルキレンまたは共有結合であり、その際、
Ｚ3およびＺ4は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ9は、それぞれの場合に、独立して、Ｈ、Ｃ1〜Ｃ20−アルキルまたは−Ｚ5−Ｃ6〜Ｃ14−アリールであり、その際、
Ｚ5は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ1は、それぞれの場合に、独立して、Ｃ6〜Ｃ14−アリールまたは一価の５員ないし１４員の芳香族複素環式基であり、それらは、それぞれ任意に、１〜５個の置換基Ｒaで置換されており、それぞれのＲaは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ2およびＡｒ3は、それぞれの場合に、独立して、Ｃ6〜Ｃ14−アリーレンまたは二価の５員ないし１４員の芳香族複素環式基であり、それらは、それぞれ任意に、１〜４個の置換基Ｒbで置換されており、それぞれのＲbは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ7は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ3−Ａｒ4、−Ｘ3−Ａｒ5−Ａｒ4、−Ｘ3−Ａｒ5−Ｒ10または−Ｘ3−Ａｒ5−Ａｒ6−Ｒ10であり、その際、
Ｘ3は、それぞれの場合に、独立して、−Ｚ6−Ｏ−Ｚ7−、−Ｚ6−Ｓ−Ｚ7−、−Ｓ（Ｏ）−、−Ｃ（Ｏ）−、−Ｃ（Ｏ）Ｏ−、−（ＣＯ）ＮＲ11、−Ｃ（Ｏ）Ｓ−、−Ｏ（ＣＯ）−、−Ｓ（ＣＯ）−、−ＮＲ11Ｃ（Ｏ）−、−ＮＲ11−、−Ｚ6−ＳｉＲ112−Ｚ7−、Ｃ1〜Ｃ30−アルキレン、Ｃ2〜Ｃ30−アルケニレン、Ｃ1〜Ｃ30−ハロアルキレンまたは共有結合であり、その際、
Ｚ6およびＺ7は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ11は、それぞれの場合に、独立して、Ｈ、Ｃ1〜Ｃ20−アルキルまたは−Ｚ8−Ｃ6〜Ｃ14−アリールであり、その際、
Ｚ8は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ4は、それぞれの場合に、独立して、Ｃ6〜Ｃ14−アリールまたは一価の５員ないし１４員の芳香族複素環式基であり、それらは、それぞれ任意に、１〜５個の置換基Ｒcで置換されており、それぞれのＲcは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ5およびＡｒ6は、それぞれの場合に、独立して、Ｃ6〜Ｃ14−アリーレンまたは二価の５員ないし１４員の芳香族複素環式基であり、それらは、それぞれ任意に、１〜４個の置換基Ｒdで置換されており、それぞれのＲdは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ10は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｒ3、Ｒ4およびＲ5は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ4−Ｒ12、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ4は、それぞれの場合に、独立して、−［Ｚ9−Ｏ］b−、−［Ｚ9−Ｓ−］b−、−Ｓ（Ｏ）−、−Ｃ（Ｏ）−、−Ｃ（Ｏ）Ｏ−、−Ｃ（Ｏ）ＮＲ14−またはＣ（Ｏ）Ｓ−であり、その際、
Ｚ9は、それぞれの場合に、独立して、Ｃ1〜Ｃ6−アルキレン、Ｃ2〜Ｃ6−アルケニレンまたはＣ1〜Ｃ6−ハロアルキレンであり、
ｂは、それぞれの場合に、独立して、１〜１０の整数であり、かつ
Ｒ14は、それぞれの場合に、独立して、Ｈ、Ｃ1〜Ｃ20−アルキルまたは−Ｚ10−Ｃ6〜Ｃ14−アリールであり、その際、
Ｚ10は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ12は、それぞれの場合に、独立して、Ｃ1〜Ｃ30−アルキル、Ｃ2〜Ｃ30−アルケニルまたはＣ1〜Ｃ30−ハロアルキルであり、
Ｘ5は、それぞれの場合に、独立して、−Ｚ11−Ｏ−Ｚ12−、−Ｚ11−Ｓ−Ｚ12−、−Ｓ（Ｏ）−、−Ｃ（Ｏ）−、−Ｃ（Ｏ）Ｏ−、−（ＣＯ）ＮＲ15、−Ｃ（Ｏ）Ｓ−、−Ｚ11−ＳｉＲ152−Ｚ12−、Ｃ1〜Ｃ30−アルキレン、Ｃ2〜Ｃ30−アルケニレン、Ｃ1〜Ｃ30−ハロアルキレンまたは共有結合であり、その際、
Ｚ11は、それぞれの場合に、独立して、Ｃ1〜Ｃ6−アルキレン、Ｃ2〜Ｃ6−アルケニレンまたはＣ1〜Ｃ6−ハロアルキレンであり、
Ｚ12は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ15は、それぞれの場合に、独立して、Ｈ、Ｃ1〜Ｃ20−アルキルまたは−Ｚ13−Ｃ6〜Ｃ14−アリールであり、その際、
Ｚ13は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ6−Ａｒ10、−Ｘ6−Ａｒ11−Ａｒ10、−Ｘ6−Ａｒ11−Ｒ16または−Ｘ6−Ａｒ11−Ａｒ12−Ｒ17であり、その際、
Ｘ6は、それぞれの場合に、独立して、−Ｚ14−Ｏ−Ｚ15−、−Ｚ14−Ｓ−Ｚ15、−Ｓ（Ｏ）−、−Ｃ（Ｏ）−、−Ｃ（Ｏ）Ｏ−、−（ＣＯ）ＮＲ18、−Ｃ（Ｏ）Ｓ−、−Ｏ（ＣＯ）−、−Ｓ（ＣＯ）−、−ＮＲ18Ｃ（Ｏ）−、−ＮＲ18−、−Ｚ14−ＳｉＲ182−Ｚ15−、Ｃ1〜Ｃ30−アルキレン、Ｃ2〜Ｃ30−アルケニレン、Ｃ1〜Ｃ30−ハロアルキレンまたは共有結合であり、その際、
Ｚ14およびＺ15は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ18は、それぞれの場合に、独立して、Ｈ、Ｃ1〜Ｃ20−アルキルまたは−Ｚ16−Ｃ6〜Ｃ14−アリールであり、その際、
Ｚ16は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ10は、それぞれの場合に、独立して、Ｃ6〜Ｃ14−アリールまたは一価の５員ないし１４員の芳香族複素環式基であり、それらは、それぞれ任意に、１〜５個の置換基Ｒgで置換されており、それぞれのＲgは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ11およびＡｒ12は、それぞれの場合に、独立して、Ｃ6〜Ｃ14−アリーレンまたは二価の５員ないし１４員の芳香族複素環式基であり、それらは、それぞれ任意に、１〜４個の置換基Ｒhで置換されており、それぞれのＲhは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ17は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｒ19は、ＯまたはＣ（ＣＮ）2であり、かつ
Ｒ20およびＲ21は、同一または異なり、かつＲ22またはＣＮであり、その際、
Ｒ22は、Ｒ1と同じ意味を有し、
Ｇ1およびＧ2は、同一または異なっており、かつフェニレンまたは単環式の二価の５員ないし８員の芳香族複素環式基であり、そのフェニレンおよび単環式の二価の５員ないし８員の芳香族複素環式基は、任意に、１〜４個の置換基Ｒiで置換されており、それぞれのＲiは、独立して、ハロゲン、−ＣＮ、−ＮＯ2、−ＯＨ、Ｃ1〜Ｃ30−アルキル、Ｃ2〜Ｃ30−アルケニル、Ｃ2〜Ｃ30−アルキニル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ5〜Ｃ10−シクロアルケニル、−Ｚ17−Ｃ8〜Ｃ10−シクロアルキニル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ2〜Ｃ30−アルケニル、Ｃ2〜Ｃ30−アルキニル、Ｃ3〜Ｃ10−シクロアルキル、Ｃ5〜Ｃ10−シクロアルケニル、Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮ、−ＮＯ2、*＝Ｏ、−ＯＨ、−ＮＨ2、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）mＨ、−Ｓ（Ｏ）m−Ｃ1〜Ｃ20−アルキル、−Ｓ（Ｏ）2ＯＨ、−Ｓ（Ｏ）m−ＯＣ1〜Ｃ20−アルキル、−Ｓ（Ｏ）m−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）ＯＨ、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）mＮＨ2、−Ｓ（Ｏ）mＮＨ（Ｃ1〜Ｃ20−アルキル）、−Ｓ（Ｏ）mＮ（Ｃ1〜Ｃ20−アルキル）2、−Ｓ（Ｏ）mＮＨ（Ｃ6〜Ｃ14−アリール）、−Ｓ（Ｏ）mＮ（Ｃ1〜Ｃ20−アルキル）−Ｃ6〜Ｃ14−アリール、−Ｓ（Ｏ）mＮ（Ｃ6〜Ｃ14−アリール）2、ＳｉＨ3、ＳｉＨ（Ｃ1〜Ｃ20−アルキル）2、ＳｉＨ2（Ｃ1〜Ｃ20−アルキル）およびＳｉ（Ｃ1〜Ｃ20−アルキル）3からなる群から選択され、かつ
Ｃ3〜Ｃ10−シクロアルキル、Ｃ5〜Ｃ10−シクロアルケニル、−Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ2〜Ｃ20−アルケニル、Ｃ2〜Ｃ20−アルキニル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ17は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
ｍは、それぞれの場合に、独立して、０、１または２であり、
Ｌは、Ｃ6〜Ｃ24−アリーレンまたは二価の５員ないし１８員の芳香族複素環式基であり、その際、Ｃ6〜Ｃ24−アリーレンおよび二価の５員ないし１８員の芳香族複素環式基は、任意に、１〜４個の置換基Ｒlで置換されており、それぞれのＲlは、独立して、ハロゲン、−ＣＮ、−ＮＯ2、*＝Ｏ、ＯＨ、*＝Ｃ（Ｃ1〜Ｃ30−アルキル）2、Ｃ1〜Ｃ30−アルキル、Ｃ2〜Ｃ30−アルケニル、Ｃ2〜Ｃ30−アルキニル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ5〜Ｃ10−シクロアルケニル、−Ｚ18−Ｃ8〜Ｃ10−シクロアルキニル、−Ｚ18−Ｃ6〜Ｃ14−アリール、−Ｚ18−一価の３員ないし１２員の脂肪族複素環式基および−Ｚ18−一価の５員ないし１４員の芳香族複素環式基からなる群から選択され、その際、
Ｃ1〜Ｃ30−アルキル、Ｃ2〜Ｃ30−アルケニル、Ｃ2〜Ｃ30−アルキニル、Ｃ3〜Ｃ10−シクロアルキル、Ｃ5〜Ｃ10−シクロアルケニル、Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮ、−ＮＯ2、*＝Ｏ、−ＯＨ、−ＮＨ2、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）oＨ、−Ｓ（Ｏ）o−Ｃ1〜Ｃ20−アルキル、−Ｓ（Ｏ）2ＯＨ、−Ｓ（Ｏ）o−ＯＣ1〜Ｃ20−アルキル、−Ｓ（Ｏ）o−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）ＯＨ、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）oＮＨ2、−Ｓ（Ｏ）oＮＨ（Ｃ1〜Ｃ20−アルキル）、−Ｓ（Ｏ）oＮ（Ｃ1〜Ｃ20−アルキル）2、−Ｓ（Ｏ）oＮＨ（Ｃ6〜Ｃ14−アリール）、−Ｓ（Ｏ）oＮ（Ｃ1〜Ｃ20−アルキル）−Ｃ6〜Ｃ14−アリール、−Ｓ（Ｏ）oＮ（Ｃ6〜Ｃ14−アリール）2、ＳｉＨ3、ＳｉＨ（Ｃ1〜Ｃ20−アルキル）2、ＳｉＨ2（Ｃ1〜Ｃ20−アルキル）およびＳｉ（Ｃ1〜Ｃ20−アルキル）3からなる群から選択され、かつ
Ｃ3〜Ｃ10−シクロアルキル、Ｃ5〜Ｃ10−シクロアルケニル、−Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒnで置換されており、それぞれのＲnは、独立して、Ｃ1〜Ｃ20−アルキル、Ｃ2〜Ｃ20−アルケニル、Ｃ2〜Ｃ20−アルキニル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ18は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
ｏは、それぞれの場合に、独立して、０、１または２であるか、または
Ｌは、
【化１５】
2013538257.tif 000017
であり、その式中、
Ｒ23およびＲ24は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ7−Ｒ25、−Ｘ8−Ａｒ13、−Ｘ8−Ａｒ14−Ａｒ13、−Ｘ8−Ａｒ14−Ｒ26または−Ｘ8−Ａｒ14−Ａｒ15−Ｒ26であり、その際、
Ｘ7は、それぞれの場合に、独立して、−Ｏ−、−［Ｚ19−Ｏ］c−、−［Ｏ−Ｚ19］c−Ｏ−、−Ｓ−、−［Ｚ19−Ｓ−］c−、−［Ｓ−Ｚ19］c−Ｓ−、−Ｓ（Ｏ）、−Ｃ（Ｏ）−、−Ｃ（Ｏ）Ｏ−、−Ｃ（Ｏ）ＮＲ27−、Ｃ（Ｏ）Ｓ−、−Ｏ（ＣＯ）−、−Ｓ（ＣＯ）−、ＮＲ27Ｃ（Ｏ）−または−ＮＲ27−であり、その際、
Ｚ19は、それぞれの場合に、独立して、Ｃ1〜Ｃ6−アルキレン、Ｃ2〜Ｃ6−アルケニレンまたはＣ1〜Ｃ6−ハロアルキレンであり、
ｃは、それぞれの場合に、独立して、１〜１０の整数であり、かつ
Ｒ27は、それぞれの場合に、独立して、Ｈ、Ｃ1〜Ｃ20−アルキルまたは−Ｚ20−Ｃ6〜Ｃ14−アリールであり、その際、
Ｚ20は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ25は、それぞれの場合に、独立して、Ｃ1〜Ｃ30−アルキル、Ｃ2〜Ｃ30−アルケニルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、−Ｓ（Ｏ）−、−Ｃ（Ｏ）−、−Ｃ（Ｏ）Ｏ−、−（ＣＯ）ＮＲ28、−Ｃ（Ｏ）Ｓ−、−Ｏ（ＣＯ）−、−Ｓ（ＣＯ）−、−ＮＲ28Ｃ（Ｏ）−、−ＮＲ28−、−Ｚ21−ＳｉＲ282−Ｚ22−、Ｃ1〜Ｃ30−アルキレン、Ｃ2〜Ｃ30−アルケニレン、Ｃ1〜Ｃ30−ハロアルキレンまたは共有結合であり、その際、
Ｚ21およびＺ22は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ28は、それぞれの場合に、独立して、Ｈ、Ｃ1〜Ｃ20−アルキルまたは−Ｚ23−Ｃ6〜Ｃ14−アリールであり、その際、
Ｚ23は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ13は、それぞれの場合に、独立して、Ｃ6〜Ｃ14−アリールまたは一価の５員ないし１４員の芳香族複素環式基であり、それらは、それぞれ任意に、１〜５個の置換基Ｒoで置換されており、それぞれのＲoは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ14およびＡｒ15は、それぞれの場合に、独立して、Ｃ6〜Ｃ14−アリーレンまたは二価の５員ないし１４員の芳香族複素環式基であり、それらは、それぞれ任意に、１〜４個の置換基Ｒpで置換されており、それぞれのＲpは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ26は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ9−Ａｒ16、−Ｘ9−Ａｒ17−Ａｒ16、−Ｘ9−Ａｒ17−Ｒ29または−Ｘ9−Ａｒ17−Ａｒ18−Ｒ29であり、その際、
Ｘ9は、それぞれの場合に、独立して、−Ｚ24−Ｏ−Ｚ25−、−Ｚ24−Ｓ−Ｚ25、−Ｓ（Ｏ）−、−Ｃ（Ｏ）−、−Ｃ（Ｏ）Ｏ−、−（ＣＯ）ＮＲ30、−Ｃ（Ｏ）Ｓ−、−Ｏ（ＣＯ）−、−Ｓ（ＣＯ）−、−ＮＲ30Ｃ（Ｏ）−、−ＮＲ30−、−Ｚ24−ＳｉＲ302−Ｚ25−、Ｃ1〜Ｃ30−アルキレン、Ｃ2〜Ｃ30−アルケニレン、Ｃ1〜Ｃ30−ハロアルキレンまたは共有結合であり、その際、
Ｚ24およびＺ25は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ30は、それぞれの場合に、独立して、Ｈ、Ｃ1〜Ｃ20−アルキルまたは−Ｚ26−Ｃ6〜Ｃ14−アリールであり、その際、
Ｚ26は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ16は、それぞれの場合に、独立して、Ｃ6〜Ｃ14−アリールまたは一価の５員ないし１４員の芳香族複素環式基であり、それらは、それぞれ任意に、１〜５個の置換基Ｒqで置換されており、それぞれのＲqは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ17およびＡｒ18は、それぞれの場合に、独立して、Ｃ6〜Ｃ14−アリーレンまたは二価の５員ないし１４員の芳香族複素環式基であり、それらは、それぞれ任意に、１〜４個の置換基Ｒrで置換されており、それぞれのＲrは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ29は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
ｑおよびｓは、同一または異なっており、かつ０、１、２、３、４または５であり、
ｒは、０、１または２であり、かつ
ｎは、２〜１００００の整数である］のオリゴマーまたはポリマーである。
【００２１】
ハロゲンの例は、−Ｆ、−Ｃｌ、−Ｂｒおよび−Ｉである。
【００２２】
Ｃ1〜Ｃ6−アルキルの例は、メチル、エチル、ｎ−プロピル、イソプロピル、ｎ−ブチル、ｓ−ブチル、イソブチル、ｔ−ブチル、ｎ−ペンチル、ネオペンチル、イソペンチルおよびｎ−ヘキシルである。Ｃ1〜Ｃ20−アルキルの例は、Ｃ1〜Ｃ6−アルキル、ｎ−ヘプチル、ｎ−オクチル、ｎ−（２−エチル）ヘキシル、ｎ−ノニル、ｎ−デシル、ｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）である。Ｃ1〜Ｃ30−アルキルの例は、Ｃ1〜Ｃ20−アルキル、ｎ−ドコシル（Ｃ22）、ｎ−テトラコシル（Ｃ24）、ｎ−ヘキサコシル（Ｃ26）、ｎ−オクタコシル（Ｃ28）およびｎ−トリアコンチル（Ｃ30）である。
【００２３】
Ｃ1〜Ｃ6−ハロアルキルの例は、ＣＦ3、ＣＨＦ2、ＣＨ2Ｆ、Ｃ2Ｆ5、ＣＨ2（ＣＨ2）4ＣＦ3、ＣＦ3、ＣＣｌ3、ＣＨＣｌ2、ＣＨ2Ｃｌ、Ｃ2Ｃｌ5およびＣＨ2（ＣＨ2）4ＣＣｌ3である。Ｃ1〜Ｃ20−ハロアルキルおよびＣ1〜Ｃ30−ハロアルキルの例は、Ｃ1〜Ｃ6−ハロアルキルおよびＣＨ2（ＣＨ2）8ＣＦ3、ＣＨ2（ＣＨ2）14ＣＦ3である。
【００２４】
Ｃ1〜Ｃ6−アルコキシの例は、メトキシ、エトキシ、ｎ−プロポキシ、イソプロポキシ、ｎ−ブトキシ、ｓ−ブトキシ、イソブトキシ、ｔ−ブトキシ、ｎ−ペントキシ、ネオペントキシ、イソペントキシおよびｎ−ヘキソキシである。Ｃ1〜Ｃ20−アルコキシの例は、Ｃ1〜Ｃ6−アルコキシ、ｎ−ヘプトキシ、ｎ−オクトキシ、ｎ−ノノキシおよびｎ−デコキシ、ｎ−ウンデコキシ、ｎ−ドドキシ、ｎ−ウンデコキシ、ｎ−ドデコキシ、ｎ−トリデコキシ、ｎ−テトラデコキシ、ｎ−ペンタデコキシ、ｎ−ヘキサデコキシ、ｎ−ヘプタデコキシ、ｎ−オクタデコキシ、ｎ−ノナデコキシおよびｎ−エイコソキシ（Ｃ20）である。
【００２５】
Ｃ2〜Ｃ20−アルケニルの例は、エテニル、プロペニル、シス−２−ブテニル、トランス−２−ブテニル、３−ブテニル、シス−２−ペンテニル、トランス−２−ペンテニル、シス−３−ペンテニル、トランス−３−ペンテニル、４−ペンテニル、２−メチル−３−ブテニル、ヘキセニル、ヘプテニル、オクテニル、ノネニル、ドセニル、ウンドセニルおよびオレイル（Ｃ18）である。Ｃ2〜Ｃ20−アルケニルの例は、また、ブタジエニル、ペンタジエニル、ヘキサジエニル、リノレイル（Ｃ18）、リノレニル（Ｃ18）およびアラキドニル（Ｃ20）である。Ｃ2〜Ｃ30−アルケニルの例は、Ｃ2〜Ｃ20−アルケニルおよびエルシル（Ｃ22）である。
【００２６】
Ｃ2〜Ｃ20−アルキニルの例は、エチニル、２−プロピニル、２−ブチニル、３−ブチニル、ペンチニル、ヘキシニル、ヘプチニル、オクチニル、ノニニル、デシニル、ウンデシニル、ドデシニル、ウンデシニル、ドデシニル、トリデシニル、テトラデシニル、ペンタデシニル、ヘキサデシニル、ヘプタデシニル、オクタデシニル、ノナデシニルおよびイコシニル（Ｃ20）である。Ｃ2〜Ｃ30−アルキニルの例は、Ｃ2〜Ｃ20−アルキニルである。
【００２７】
Ｃ3〜Ｃ10−シクロアルキルの例は、好ましくは、単環式のＣ3〜Ｃ10−シクロアルキル、例えばシクロプロピル、シクロブチル、シクロペンチル、シクロヘキシル、シクロヘプチルおよびシクロオクチルであるが、また多環式のＣ3〜Ｃ10−シクロアルキル、例えばデカリニル、ノルボルニルおよびアダマンチルを含む。
【００２８】
Ｃ5〜Ｃ10−シクロアルケニルの例は、好ましくは、単環式のＣ5〜Ｃ10−シクロアルケニル、例えばシクロペンテニル、シクロヘキセニル、シクロヘキサジエニルおよびシクロヘプタトリエニルであるが、また、多環式のＣ5〜Ｃ10−シクロアルケニルを含む。
【００２９】
Ｃ8〜Ｃ10−シクロアルキニルの例は、シクロオクチニルである。
【００３０】
一価の３員ないし１２員の脂肪族複素環式基は、単環式の一価の３員ないし８員の脂肪族複素環式基または多環式の、例えば二環式の一価の７員ないし１２員の脂肪族複素環式基であってよい。
【００３１】
単環式の一価の３員ないし８員の脂肪族複素環式基の例は、１つのヘテロ原子を含む、単環式の一価の５員の脂肪族複素環式基、例えばピロリジニル、１−ピロリニル、２−ピロリニル、３−ピロリニル、テトラヒドロフリル、２，３−ジヒドロフリル、テトラヒドロチオフェニルおよび２，３−ジヒドロチオフェニル、２つのヘテロ原子を含む、単環式の一価の５員の脂肪族複素環式基、例えばイミダゾリジニル、イミダゾリニル、ピラゾリジニル、ピラゾリニル、オキサゾリジニル、オキサゾリニル、イソキサゾリジニル、イソキサゾリニル、チアゾリジニル、チアゾリニル、イソチアゾリジニルおよびイソチアゾリニル、３つのヘテロ原子を含む、単環式の一価の５員の脂肪族複素環式基、例えば１，２，３−トリアゾリル、１，２，４−トリアゾリルおよび１，４，２−ジチアゾリル、１つのヘテロ原子を含む、単環式の一価の６員の脂肪族複素環式基、例えばピペリジル、ピペリジノ、テトラヒドロピラニル、ピラニル、チアニルおよびチオピラニル、２つのヘテロ原子を含む、単環式の一価の６員の脂肪族複素環式基、例えばピペラジニル、モルホリニルおよびモルホリノおよびチアジニル、１つのヘテロ原子を含む、単環式の一価の７員の脂肪族複素環式基、例えばアゼパニル、アゼピニル、オキセパニル、チエパニル、チアパニル、チエピニルおよび２つのヘテロ原子を含む、単環式の一価の７員の脂肪族複素環式基、例えば１，２−ジアゼピニルおよび１，３−チアゼピニルである。
【００３２】
一価の３員ないし１２員の脂肪族複素環式基は、１もしくはそれより多くのヘテロ原子を有してよく、前記原子は、独立して、窒素、酸素、硫黄、リン、ケイ素およびヒ素からなる群から、好ましくは窒素、酸素および硫黄からなる群から選択できる。
【００３３】
*＝Ｏで置換された、単環式の一価の３員ないし１２員の脂肪族複素環式基の例は、２−オキサゾリドニル、４−ピペリドニル、４−ピペリドノ、ピリミジン−２，４（１Ｈ，３Ｈ）ジオニルおよび２−ピリドニルである。
【００３４】
二環式の一価の７員ないし１２員の脂肪族複素環式基の例は、デカヒドロナフチルである。
【００３５】
Ｃ6〜Ｃ14−アリールは、単環式または多環式であってよい。Ｃ6〜Ｃ14−アリールの例は、単環式のＣ6−アリール、例えばフェニル、二環式のＣ9〜Ｃ10−アリール、例えば１−ナフチル、２−ナフチル、インデニル、インダニルおよびテトラヒドロナフチルならびに三環式のＣ12〜Ｃ14−アリール、例えばアントリル、フェナントリル、フルオレニルおよびｓ−インダセニルである。
【００３６】
Ｃ6〜Ｃ14−ハロアリールは、単環式または多環式であってよい。Ｃ6〜Ｃ14−ハロアリールの例は、６−クロロフェニルおよび２−クロロフェニルである。
【００３７】
一価の５員ないし１４員の芳香族複素環式基は、単環式の一価の５員ないし８員の芳香族複素環式基または多環式の一価の７員ないし１２員の芳香族複素環式基、例えば二環式のもしくは三環式の一価の９員ないし１４員の芳香族複素環式基であってよい。
【００３８】
単環式の一価の５員ないし８員の芳香族複素環式基の例は、１つのヘテロ原子を含む、単環式の一価の５員の芳香族複素環式基、例えばピロリル、フリルおよびチオフェニル、２つのヘテロ原子を含む、単環式の一価の５員の芳香族複素環式基、例えばイミダゾリル、ピラゾリル、オキサゾリル、イソキサゾリル、チアゾリル、イソチアゾリル、３つのヘテロ原子を含む、単環式の一価の５員の芳香族複素環式基、例えば１，２，３−トリアゾリル、１，２，４−トリアゾリルおよびオキサジアゾリル、４つのヘテロ原子を含む、単環式の一価の５員の芳香族複素環式基、例えばテトラゾリル、１つのヘテロ原子を含む、単環式の一価の６員の芳香族複素環式基、例えばピリジル、２つのヘテロ原子を含む、単環式の一価の６員の芳香族複素環式基、例えばピラジニル、ピリミジニルおよびピリダジニル、３つのヘテロ原子を含む、単環式の一価の６員の芳香族複素環式基、例えば１，２，３−トリアジニル、１，２，４−トリアジニルおよび１，３，５−トリアジニル、１つのヘテロ原子を含む、単環式の一価の７員の芳香族複素環式基、例えばアゼピニルならびに２つのヘテロ原子を含む、単環式の一価の７員の芳香族複素環式基、例えば１，２−ジアゼピニルである。
【００３９】
二環式の一価の７員ないし１２員の芳香族複素環式基の例は、１つのヘテロ原子を含む、二環式の９員の芳香族複素環式基、例えばインドリル、イソインドリル、インドリジニル、インドリニル、ベンゾフリル、イソベンゾフリル、ベンゾチオフェニルおよびイソベンゾチオフェニル、２つのヘテロ原子を含む、二環式の一価の９員の芳香族複素環式基、例えばインダゾリル、ベンゾイミダゾリル、ベンゾイミダゾリニル、ベンゾオキサゾリル、ベンゾイソオキサゾリル、ベンゾチアゾリル、ベンゾイソチアゾリル、フロピリジルおよびチエノピリジル、３つのヘテロ原子を含む、二環式の一価の９員の芳香族複素環式基、例えばベンゾトリアゾリル、ベンゾオキサジアゾリル、オキサゾロピリジル、イソオキサゾロピリジル、チアゾロピリジル、イソチアゾロピリジルおよびイミダゾピリジル、４つのヘテロ原子を含む、二環式の一価の９員の芳香族複素環式基、例えばプリニル、１つのヘテロ原子を含む、二環式の一価の１０員の芳香族複素環式基、例えばキノリル、イソキノリル、クロメニルおよびクロマニル、２つのヘテロ原子を含む、二環式の一価の１０員の芳香族複素環式基、例えばキノキサリニル、キナゾリニル、シンノリニル、フタラジニル、１，５−ナフチリジニルおよび１，８−ナフチリジニル、３つのヘテロ原子を含む、二環式の一価の１０員の芳香族複素環式基、例えばピリドピラジニル、ピリドピリミジニルおよびピリドピリダジニルならびに４つのヘテロ原子を含む、二環式の一価の１０員の芳香族複素環式基、例えばプテリジニルである。
【００４０】
三環式の一価の９員ないし１４員の芳香族複素環式基の例は、ジベンゾフリル、アクリジニル、フェノキサジニル、７Ｈ−シクロペンタ［１，２−ｂ：３，４−ｂ′］ジチオフェニルおよび４Ｈ−シクロペンタ［２，１−ｂ：３，４−ｂ′］ジチオフェニルである。
【００４１】
一価の５員ないし１４員の芳香族複素環式基は、１もしくはそれより多くのヘテロ原子を有してよく、前記原子は、独立して、窒素、酸素、硫黄、リン、ケイ素およびヒ素からなる群から、好ましくは窒素、酸素および硫黄からなる群から選択できる。
【００４２】
Ｃ1〜Ｃ6−アルキレンの例は、メチレン、エチレン、ブチレン、ペンチレン、ヘキシレンおよび２−メチルペンチレンである。Ｃ1〜Ｃ30−アルキレンの例は、Ｃ1〜Ｃ6−アルキレン、ＣＨ2（ＣＨ2）10ＣＨ2およびＣＨ2（ＣＨ2）20ＣＨ2である。
【００４３】
Ｃ2〜Ｃ6−アルケニレンの例は、エテニレン、シス−２−ブテニレン、トランス−ブテニレン、シス−２−ペンテニレン、トランス−２−ペンテニレン、トランス−２−ヘキセニレン、トランス−３−ヘキセニレンおよび２−メチル−トランス−３−ペンテニレンである。Ｃ2〜Ｃ30−アルケニレンの例は、Ｃ2〜Ｃ6−アルケニレン、ＣＨ2（ＣＨ2）4−ＣＨ＝ＣＨ−（ＣＨ2）4ＣＨ2およびＣＨ2（ＣＨ2）9−ＣＨ＝ＣＨ−（ＣＨ2）9ＣＨ2である。
【００４４】
Ｃ1〜Ｃ6−ハロアルキレンの例は、ＣＦ2、ＣＣｌ2、ＣＦ2ＣＦ2、ＣＣｌ2ＣＣｌ2、ＣＨＦＣＨ2、ＣＨＦＣＨ2ＣＨ2ＣＨＦおよびＣＨＦ（ＣＨ2）4ＣＨＦである。Ｃ1〜Ｃ30−ハロアルキレンの例は、Ｃ1〜Ｃ6−ハロアルキレン、ＣＨＦ（ＣＨ2）10ＣＨＦおよびＣＨＦ（ＣＨ2）20ＣＨＦである。
【００４５】
Ｃ6〜Ｃ14−アリーレンの例は、単環式のＣ6−アリーレン、例えばフェニレン、二環式のＣ9〜Ｃ10−アリーレン、例えば１−ナフチレン、２−ナフチル、インデニレン、インダニレンおよびテトラヒドロナフチレンならびに三環式のＣ12〜Ｃ14−アリーレン、例えばアントリレン、フェナントリレン、フルオレニレンおよびｓ−インダセニレンである。Ｃ6〜Ｃ24−アリーレンの例は、Ｃ6〜Ｃ14−アリーレンならびにピレニレン、テトラセニレン、ペリレニレン、インデノフルオレニレン、ペンタセニレン、コロネニレンおよびテトラフェニレニレンである。
【００４６】
二価の５員ないし１４員の芳香族複素環式基は、単環式の二価の５員ないし８員の芳香族複素環式基または多環式の二価の７員ないし１２員の芳香族複素環式基、例えば二環式のもしくは三環式の二価の９員ないし１４員の芳香族複素環式基であってよい。
【００４７】
単環式の二価の５員ないし８員の芳香族複素環式基の例は、１つのヘテロ原子を含む、単環式の二価の５員の芳香族複素環式基、例えばピロリレン、フリレンおよびチオフェニレン、２つのヘテロ原子を含む、単環式の二価の５員の芳香族複素環式基、例えばイミダゾリレン、ピラゾリレン、オキサゾリレン、イソキサゾリレン、チアゾリレン、イソチアゾリレン、３つのヘテロ原子を含む、単環式の二価の５員の芳香族複素環式基、例えば１，２，３−トリアゾリレン、１，２，４−トリアゾリレンおよびオキサジアゾリレン、４つのヘテロ原子を含む、単環式の二価の５員の芳香族複素環式基、例えばテトラゾリレン、１つのヘテロ原子を含む、単環式の二価の６員の芳香族複素環式基、例えばピリジレン、２つのヘテロ原子を含む、単環式の二価の６員の芳香族複素環式基、例えばピラジニレン、ピリミジニレンおよびピリダジニレン、３つのヘテロ原子を含む、単環式の二価の６員の芳香族複素環式基、例えば１，２，３−トリアジニレン、１，２，４−トリアジニレンおよび１，３，５−トリアジニレン、１つのヘテロ原子を含む、単環式の二価の７員の芳香族複素環式基、例えばアゼピニレンならびに２つのヘテロ原子を含む、単環式の二価の７員の芳香族複素環式基、例えば１，２−ジアゼピニレンである。
【００４８】
二環式の二価の７員ないし１２員の芳香族複素環式基の例は、１つのヘテロ原子を含む、二環式の９員の芳香族複素環式基、例えばインドリレン、イソインドリレン、インドリジニレン、インドリニレン、ベンゾフリレン、イソベンゾフリレン、ベンゾチオフェニレンおよびイソベンゾチオフェニレン、２つのヘテロ原子を含む、二環式の二価の９員の芳香族複素環式基、例えばインダゾリレン、ベンゾイミダゾリレン、ベンゾイミダゾリニレン、ベンゾオキサゾリレン、ベンゾイソオキサゾリレン、ベンゾチアゾリレン、ベンゾイソチアゾリレン、フロピリジレンおよびチエノピリジレン、３つのヘテロ原子を含む、二環式の二価の９員の芳香族複素環式基、例えばベンゾトリアゾリレン、ベンゾオキサジアゾリレン、オキサゾロピリジレン、イソオキサゾロピリジレン、チアゾロピリジレン、イソチアゾロピリジレンおよびイミダゾピリジレン、４つのヘテロ原子を含む、二環式の二価の９員の芳香族複素環式基、例えばプリニレン、１つのヘテロ原子を含む、二環式の二価の１０員の芳香族複素環式基、例えばキノリレン、イソキノリレン、クロメニレンおよびクロマニレン、２つのヘテロ原子を含む、二環式の二価の１０員の芳香族複素環式基、例えばキノキサリニレン、キナゾリニレン、シンノリニレン、フタラジニレン、１，５−ナフチリジニレンおよび１，８−ナフチリジニレン、３つのヘテロ原子を含む、二環式の二価の１０員の芳香族複素環式基、例えばピリドピラジニレン、ピリドピリミジニレンおよびピリドピリダジニレンならびに４つのヘテロ原子を含む、二環式の二価の１０員の芳香族複素環式基、例えばプテリジニレンである。
【００４９】
１つのヘテロ原子を含む、三環式の二価の９員ないし１４員の芳香族複素環式基の例は、ジベンゾフリレンおよびアクリジニレンである。２つのヘテロ原子を含む、三環式の二価の９員ないし１４員の芳香族複素環式基の例は、フェノキサジニレン、７Ｈ−シクロペンタ［１，２−ｂ：３，４−ｂ′］ジチオフェニレンおよび４Ｈ−シクロペンタ［２，１−ｂ：３，４−ｂ′］ジチオフェニレンである。
【００５０】
二価の５員ないし１８員の芳香族複素環式基の例は、二価の５員ないし１４員の芳香族複素環式基である。
【００５１】
二価の、５員ないし１４員のあるいは５員ないし１８員の芳香族複素環式基は、１もしくはそれより多くのヘテロ原子を有してよく、前記原子は、独立して、窒素、酸素、硫黄、リン、ケイ素およびヒ素からなる群から、好ましくは窒素、ケイ素および硫黄からなる群から選択できる。
【００５２】
好ましくは、Ａ1およびＡ2は、Ｓである。
【００５３】
好ましくは、Ｅは、
【化１６】
2013538257.tif 000018
からなる群から選択される。
【００５４】
より好ましくは、Ｅは、
【化１７】
2013538257.tif 000019
からなる群から選択される。
【００５５】
最も好ましくは、Ｅは、
【化１８】
2013538257.tif 000020
である。
【００５６】
好ましくは、Ｒ1およびＲ2は、同一または異なっており、かつＨ、ハロゲン、−ＣＮ、Ｃ1〜Ｃ30−アルキル、Ｃ2〜Ｃ30−アルケニル、Ｃ1〜Ｃ30−ハロアルキル、−Ｘ1−Ｒ6、−Ｘ2−Ａｒ1、−Ｘ2−Ａｒ2−Ａｒ1、−Ｘ2−Ａｒ2−Ｒ7または−Ｘ2−Ａｒ2−Ａｒ3−Ｒ7であり、その際、
Ｘ1は、それぞれの場合に、独立して、−Ｏ−、−［Ｚ1−Ｏ］a−、−［Ｏ−Ｚ1］a−Ｏ−、−Ｓ−、−［Ｚ1−Ｓ−］a−、−［Ｓ−Ｚ1］a−Ｓ−、−Ｓ（Ｏ）−、−Ｃ（Ｏ）−、−Ｃ（Ｏ）Ｏ−、−Ｃ（Ｏ）ＮＲ8−、Ｃ（Ｏ）Ｓ−、−Ｏ（ＣＯ）−、−Ｓ（ＣＯ）−、−ＮＲ8Ｃ（Ｏ）−または−ＮＲ8−であり、その際、
Ｚ1は、それぞれの場合に、独立して、Ｃ1〜Ｃ6−アルキレン、Ｃ2〜Ｃ6−アルケニレンまたはＣ1〜Ｃ6−ハロアルキレンであり、
ａは、それぞれの場合に、独立して、１〜１０の整数であり、かつ
Ｒ8は、それぞれの場合に、独立して、Ｈ、Ｃ1〜Ｃ20−アルキルまたは−Ｚ2−Ｃ6〜Ｃ14−アリールであり、その際、
Ｚ2は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ6は、それぞれの場合に、独立して、Ｃ1〜Ｃ30−アルキル、Ｃ2〜Ｃ30−アルケニルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、−Ｓ（Ｏ）−、−Ｃ（Ｏ）−、−Ｃ（Ｏ）Ｏ−、−（ＣＯ）ＮＲ9、−Ｃ（Ｏ）Ｓ−、−Ｏ（ＣＯ）−、−Ｓ（ＣＯ）−、−ＮＲ9Ｃ（Ｏ）−、−ＮＲ9−、−Ｚ3−ＳｉＲ92−Ｚ4−、Ｃ1〜Ｃ30−アルキレン、Ｃ2〜Ｃ30−アルケニレン、Ｃ1〜Ｃ30−ハロアルキレンまたは共有結合であり、その際、
Ｚ3およびＺ4は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ9は、それぞれの場合に、独立して、Ｈ、Ｃ1〜Ｃ20−アルキルまたは−Ｚ5−Ｃ6〜Ｃ14−アリールであり、その際、
Ｚ5は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ1は、それぞれの場合に、独立して、Ｃ6〜Ｃ14−アリールまたは一価の５員ないし１４員の芳香族複素環式基であり、それらは、それぞれ任意に、１〜５個の置換基Ｒaで置換されており、それぞれのＲaは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ2およびＡｒ3は、それぞれの場合に、独立して、Ｃ6〜Ｃ14−アリーレンまたは二価の５員ないし１４員の芳香族複素環式基であり、それらは、それぞれ任意に、１〜４個の置換基Ｒbで置換されており、それぞれのＲbは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ7は、それぞれの場合に、独立して、Ｃ1〜Ｃ20−アルキル、Ｃ2〜Ｃ20−アルケニル、Ｃ1〜Ｃ20−ハロアルキルおよびＣ1〜Ｃ20−アルコキシである。
【００５７】
より好ましくは、Ｒ1およびＲ2は、同一または異なっており、かつＨ、ハロゲン、−ＣＮ、Ｃ1〜Ｃ30−アルキル、Ｃ2〜Ｃ30−アルケニル、Ｃ1〜Ｃ30−ハロアルキル、−Ｘ1−Ｒ6、−Ｘ2−Ａｒ1、−Ｘ2−Ａｒ2−Ａｒ1、−Ｘ2−Ａｒ2−Ｒ7または−Ｘ2−Ａｒ2−Ａｒ3−Ｒ7であり、その際、
Ｘ1は、それぞれの場合に、独立して、−Ｏ−、−［Ｚ1−Ｏ］a−、−［Ｏ−Ｚ1］a−Ｏ−、−Ｓ−、−［Ｚ1−Ｓ−］a−または−［Ｓ−Ｚ1］a−Ｓ−であり、その際、
Ｚ1は、それぞれの場合に、独立して、Ｃ1〜Ｃ6−アルキレン、Ｃ2〜Ｃ6−アルケニレンまたはＣ1〜Ｃ6−ハロアルキレンであり、
ａは、それぞれの場合に、独立して、１〜１０の整数であり、かつ
Ｒ6は、それぞれの場合に、独立して、Ｃ1〜Ｃ30−アルキル、Ｃ2〜Ｃ30−アルケニルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、Ｃ1〜Ｃ30−アルキレン、Ｃ2〜Ｃ30−アルケニレン、Ｃ1〜Ｃ30−ハロアルキレンまたは共有結合であり、その際、
Ｚ3およびＺ4は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ａｒ1は、それぞれの場合に、独立して、Ｃ6〜Ｃ14−アリールまたは一価の５員ないし１４員の芳香族複素環式基であり、それらは、それぞれ任意に、１〜５個の置換基Ｒaで置換されており、それぞれのＲaは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ2およびＡｒ3は、それぞれの場合に、独立して、Ｃ6〜Ｃ14−アリーレンまたは二価の５員ないし１４員の芳香族複素環式基であり、それらは、それぞれ任意に、１〜４個の置換基Ｒbで置換されており、それぞれのＲbは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ7は、それぞれの場合に、独立して、Ｃ1〜Ｃ20−アルキル、Ｃ2〜Ｃ20−アルケニル、Ｃ1〜Ｃ20−ハロアルキルおよびＣ1〜Ｃ20−アルコキシである。
【００５８】
さらにより好ましくは、Ｒ1およびＲ2は、同一または異なっており、かつＨ、Ｃ1〜Ｃ30−アルキル、Ｃ1〜Ｃ30−ハロアルキル、−Ｘ1−Ｒ6または−Ｘ2−Ａｒ1であり、その際、
Ｘ1は、それぞれの場合に、独立して、−［Ｚ1−Ｏ］a−、−［Ｚ1−Ｓ−］a−または−［Ｓ−Ｚ1］a−Ｓ−であり、その際、
Ｚ1は、それぞれの場合に、独立して、Ｃ1〜Ｃ6−アルキレンまたはＣ1〜Ｃ6−ハロアルキレンであり、
ａは、それぞれの場合に、独立して、１〜１０の整数であり、かつ
Ｒ6は、それぞれの場合に、独立して、Ｃ1〜Ｃ30−アルキルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、Ｃ1〜Ｃ30−アルキレンまたはＣ1〜Ｃ30−ハロアルキレンであり、その際、
Ｚ3およびＺ4は、それぞれの場合に、独立して、Ｃ1〜Ｃ6−アルキレンまたはＣ1〜Ｃ6−ハロアルキレンであり、かつ
Ａｒ1は、それぞれの場合に、独立して、Ｃ6〜Ｃ14−アリールであり、前記アリールは、任意に、１〜５個の置換基Ｒaで置換されており、それぞれのＲaは、独立して、ハロゲン、Ｃ1〜Ｃ6−アルキルおよびＣ1〜Ｃ6−アルコキシからなる群から選択される。
【００５９】
最も好ましくは、Ｒ1およびＲ2は、同一または異なっており、かつＣ1〜Ｃ30−アルキル、Ｃ1〜Ｃ30−ハロアルキルまたは−Ｘ2−Ａｒ1であり、その際、
Ｘ2は、それぞれの場合に、独立して、Ｃ1〜Ｃ30−アルキレンまたはＣ1〜Ｃ30−ハロアルキレンであり、かつ
Ａｒ1は、それぞれの場合に、独立して、Ｃ6〜Ｃ14−アリールであり、前記アリールは、任意に、１〜５個の置換基Ｒaで置換されており、それぞれのＲaは、独立して、ハロゲン、Ｃ1〜Ｃ6−アルキルおよびＣ1〜Ｃ6−アルコキシからなる群から選択される。
【００６０】
特に、Ｒ1およびＲ2は、同一または異なっており、かつＣ1〜Ｃ30−アルキル、例えばＣ1〜Ｃ20−アルキルまたはＣ1〜Ｃ6−アルキル、例えばメチルまたはｎ−ヘキシルである。
【００６１】
好ましくは、Ｒ3は、Ｈ、ハロゲン、ＣＮ、Ｃ1〜Ｃ30−アルキル、Ｃ2〜Ｃ30−アルケニル、Ｃ1〜Ｃ30−ハロアルキル、−Ｘ4−Ｒ12、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ4は、それぞれの場合に、独立して、−［Ｚ9−Ｏ］b−、−［Ｚ9−Ｓ−］b−、−Ｓ（Ｏ）−、−Ｃ（Ｏ）−、−Ｃ（Ｏ）Ｏ−、−Ｃ（Ｏ）ＮＲ14−またはＣ（Ｏ）Ｓ−であり、その際、
Ｚ9は、それぞれの場合に、独立して、Ｃ1〜Ｃ6−アルキレン、Ｃ2〜Ｃ6−アルケニレンまたはＣ1〜Ｃ6−ハロアルキレンであり、
ｂは、それぞれの場合に、独立して、１〜１０の整数であり、かつ
Ｒ14は、それぞれの場合に、独立して、Ｈ、Ｃ1〜Ｃ20−アルキルまたは−Ｚ10−Ｃ6〜Ｃ14−アリールであり、その際、
Ｚ10は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ12は、それぞれの場合に、独立して、Ｃ1〜Ｃ30−アルキル、Ｃ2〜Ｃ30−アルケニルまたはＣ1〜Ｃ30−ハロアルキルであり、
Ｘ5は、それぞれの場合に、独立して、−Ｚ11−Ｏ−Ｚ12、−Ｚ11−Ｓ−Ｚ12−、−Ｓ（Ｏ）−、−Ｃ（Ｏ）−、−Ｃ（Ｏ）Ｏ−、−（ＣＯ）ＮＲ15、−Ｃ（Ｏ）Ｓ−、−Ｚ11−ＳｉＲ152−Ｚ12−、Ｃ1〜Ｃ30−アルキレン、Ｃ2〜Ｃ30−アルケニレン、Ｃ1〜Ｃ30−ハロアルキレンまたは共有結合であり、その際、
Ｚ11は、それぞれの場合に、独立して、Ｃ1〜Ｃ6−アルキレン、Ｃ2〜Ｃ6−アルケニレンまたはＣ1〜Ｃ6−ハロアルキレンであり、
Ｚ12は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ15は、それぞれの場合に、独立して、Ｈ、Ｃ1〜Ｃ20−アルキルまたは−Ｚ13−Ｃ6〜Ｃ14−アリールであり、その際、
Ｚ13は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシである。
【００６２】
好ましくは、Ｒ3は、Ｈ、Ｃ1〜Ｃ30−アルキル、Ｃ2〜Ｃ30−アルケニル、Ｃ1〜Ｃ30−ハロアルキル、−Ｘ4−Ｒ12、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ4は、それぞれの場合に、独立して、−［Ｚ9−Ｏ］b−または−［Ｚ9−Ｓ−］b−であり、その際、
Ｚ9は、それぞれの場合に、独立して、Ｃ1〜Ｃ6−アルキレン、Ｃ2〜Ｃ6−アルケニレンまたはＣ1〜Ｃ6−ハロアルキレンであり、かつ
ｂは、それぞれの場合に、独立して、１〜１０の整数であり、かつ
Ｒ12は、それぞれの場合に、独立して、Ｃ1〜Ｃ30−アルキル、Ｃ2〜Ｃ30−アルケニルまたはＣ1〜Ｃ30−ハロアルキルであり、
Ｘ5は、それぞれの場合に、独立して、−Ｚ11−Ｏ−Ｚ12、−Ｚ11−Ｓ−Ｚ12−、Ｃ1〜Ｃ30−アルキレン、Ｃ2〜Ｃ30−アルケニレン、Ｃ1〜Ｃ30−ハロアルキレンまたは共有結合であり、その際、
Ｚ11は、それぞれの場合に、独立して、Ｃ1〜Ｃ6−アルキレン、Ｃ2〜Ｃ6−アルケニレンまたはＣ1〜Ｃ6−ハロアルキレンであり、かつ
Ｚ12は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシである。
【００６３】
最も好ましくは、Ｒ3は、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ5は、それぞれの場合に、共有結合であり、
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシである。
【００６４】
特に、Ｒ3は、−Ｘ5−Ａｒ8−Ｒ13であり、その際、
Ｘ5は、共有結合であり、
Ａｒ8は、Ｃ6〜Ｃ14−アリーレン、例えばフェニレンであり、かつ
Ｒ13は、Ｃ1〜Ｃ20−アルキルである。
【００６５】
例えば、Ｒ3は、
【化１９】
2013538257.tif 000021
である。
【００６６】
好ましくは、Ｇ1およびＧ2は、同一または異なっており、かつフェニレン、例えば
【化２０】
2013538257.tif 000022
または、好ましくは、
【化２１】
2013538257.tif 000023
からなる群から選択される単環式の二価の５員ないし８員の芳香族複素環式基であり、その式中、
Ｍ1は、Ｓ、Ｏ、ＮＨまたはＳｉＲsＲsであり、好ましくはＭ1は、ＳまたはＮＨであり、より好ましくはＭ1は、Ｓであり、その際、Ｒsは、水素またはＣ1〜Ｃ30−アルキルであり、
そのフェニレンおよび単環式の二価の５員ないし８員の芳香族複素環式基は、任意に、１〜２個の置換基Ｒiで置換されており、それぞれのＲiは、独立して、−ＣＮ、Ｃ1〜Ｃ30−アルキル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮ、*＝Ｏ、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）m−Ｃ1〜Ｃ20−アルキル、−Ｓ（Ｏ）m−ＯＣ1〜Ｃ20−アルキル、−Ｓ（Ｏ）m−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）mＮＨ2、−Ｓ（Ｏ）mＮＨ（Ｃ1〜Ｃ20−アルキル）、−Ｓ（Ｏ）mＮ（Ｃ1〜Ｃ20−アルキル）2、−Ｓ（Ｏ）mＮＨ（Ｃ6〜Ｃ14−アリール）、−Ｓ（Ｏ）mＮ（Ｃ1〜Ｃ20−アルキル）−Ｃ6〜Ｃ14−アリール、−Ｓ（Ｏ）mＮ（Ｃ6〜Ｃ14−アリール）2およびＳｉ（Ｃ1〜Ｃ20−アルキル）3からなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ17は、それぞれの場合に、独立して、Ｃ1〜Ｃ6−アルキレン、Ｃ1〜Ｃ6−ハロアルキレンまたは共有結合であり、かつ
ｍは、それぞれの場合に、独立して、０、１または２である。
【００６７】
好ましくは、それぞれのＲiは、独立して、Ｃ1〜Ｃ30−アルキル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ1〜Ｃ20−アルコキシ、Ｃ1〜Ｃ20−ハロアルキルからなる群から選択され、その際、
Ｚ17は、それぞれの場合に、独立して、Ｃ1〜Ｃ6−アルキレン、Ｃ1〜Ｃ6−ハロアルキレンまたは共有結合である。
【００６８】
より好ましくは、それぞれのＲiは、独立して、Ｃ1〜Ｃ30−アルキルおよび−Ｚ17−Ｃ6〜Ｃ14−アリールからなる群から選択され、その際、
Ｃ1〜Ｃ30−アルキルおよびＣ6〜Ｃ14−アリールは、任意に、１〜４個の置換基Ｒjで置換されており、それぞれのＲjは、独立して、ハロゲン、−ＣＮおよび*＝Ｏからなる群から選択され、その際、
Ｚ17は、それぞれの場合に、共有結合であり、かつ
Ｃ6〜Ｃ14−アリールは、任意に、１〜４個の置換基Ｒkで置換されており、それぞれのＲkは、独立して、Ｃ1〜Ｃ20−アルキルおよびＣ1〜Ｃ20−アルコキシからなる群から選択される。
【００６９】
最も好ましくは、それぞれのＲiは、独立して、Ｃ1〜Ｃ30−アルキル、好ましくは、ｎ−オクチル、ｎ−（２−エチル）ヘキシル、ｎ−ノニル、ｎ−デシル、ｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）、より好ましくはｎ−ドデシルである。
【００７０】
より好ましくは、Ｇ1およびＧ2は、同一または異なっており、かつフェニレン、例えば
【化２２】
2013538257.tif 000024
または、好ましくは、
【化２３】
2013538257.tif 000025
からなる群から選択される単環式の二価の５員ないし８員の芳香族複素環式基であり、
そのフェニレンまたは単環式の二価の５員ないし８員の芳香族複素環式基は、任意に、１〜２個の置換基Ｒiで置換されており、それぞれのＲiは、独立して、Ｃ1〜Ｃ30−アルキル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ1〜Ｃ20−アルコキシ、Ｃ1〜Ｃ20−ハロアルキルからなる群から選択され、その際、
Ｚ17は、それぞれの場合に、独立して、Ｃ1〜Ｃ6−アルキレン、Ｃ1〜Ｃ6−ハロアルキレンまたは共有結合である。
【００７１】
最も好ましくは、Ｇ1およびＧ2は、同一または異なっており、かつ単環式の二価の５員ないし８員の芳香族複素環式基であり、その単環式の二価の５員ないし８員の芳香族複素環式基は、
【化２４】
2013538257.tif 000026
であり、その単環式の二価の５員ないし８員の芳香族複素環式基は、１〜２個の置換基Ｒiで置換されており、それぞれのＲiは、独立して、Ｃ1〜Ｃ30−アルキルおよび−Ｚ17−Ｃ6〜Ｃ14−アリールからなる群から選択され、その際、
Ｃ1〜Ｃ30−アルキルおよびＣ6〜Ｃ14−アリールは、任意に、１〜４個の置換基Ｒjで置換されており、それぞれのＲjは、独立して、ハロゲン、−ＣＮおよび*＝Ｏからなる群から選択され、かつ
Ｃ6〜Ｃ14−アリールは、任意に、１〜４個の置換基Ｒkで置換されており、それぞれのＲkは、独立して、Ｃ1〜Ｃ20−アルキルおよびＣ1〜Ｃ20−アルコキシからなる群から選択され、その際、
Ｚ17は、それぞれの場合に、共有結合である。
【００７２】
特に、Ｇ1およびＧ2は、同一または異なっており、かつ単環式の二価の５員ないし８員の芳香族複素環式基であり、その単環式の二価の５員ないし８員の芳香族複素環式基は、
【化２５】
2013538257.tif 000027
であり、その単環式の二価の５員ないし８員の芳香族複素環式基は、１個の置換基Ｒiで置換されており、その際、Ｒiは、Ｃ1〜Ｃ30−アルキル、好ましくはｎ−オクチル、ｎ−（２−エチル）ヘキシル、ｎ−ノニル、ｎ−デシル、ｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）、より好ましくはｎ−ドデシルである。
【００７３】
好ましくは、Ｌは、Ｃ6〜Ｃ24−アリーレンまたは二価の５員ないし１８員の芳香族複素環式基であり、その際、Ｃ6〜Ｃ24−アリーレンおよび二価の５員ないし１８員の芳香族複素環式基は、任意に、１〜４個の置換基Ｒlで置換されており、それぞれのＲlは、独立して、−ＣＮ、Ｃ1〜Ｃ30−アルキル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ6〜Ｃ14−アリール、−Ｚ18−一価の３員ないし１２員の脂肪族複素環式基および−Ｚ18−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮ、*＝Ｏ、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）o−Ｃ1〜Ｃ20−アルキル、−Ｓ（Ｏ）o−ＯＣ1〜Ｃ20−アルキル、−Ｓ（Ｏ）o−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）oＮＨ2、−Ｓ（Ｏ）oＮＨ（Ｃ1〜Ｃ20−アルキル）、−Ｓ（Ｏ）oＮ（Ｃ1〜Ｃ20−アルキル）2、−Ｓ（Ｏ）oＮＨ（Ｃ6〜Ｃ14−アリール）、−Ｓ（Ｏ）oＮ（Ｃ1〜Ｃ20−アルキル）−Ｃ6〜Ｃ14−アリール、−Ｓ（Ｏ）oＮ（Ｃ6〜Ｃ14−アリール）2およびＳｉ（Ｃ1〜Ｃ20−アルキル）3からなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ18は、それぞれの場合に、独立して、Ｃ1〜Ｃ6−アルキレン、Ｃ1〜Ｃ6−ハロアルキレンまたは共有結合であり、かつ
ｏは、それぞれの場合に、独立して、０、１または２であるか、または
Ｌは、
【化２６】
2013538257.tif 000028
であり、その式中、
Ｒ23およびＲ24は、同一または異なっており、かつＨ、ハロゲン、−ＣＮ、Ｃ1〜Ｃ30−アルキル、Ｃ2〜Ｃ30−アルケニル、Ｃ1〜Ｃ30−ハロアルキル、−Ｘ7−Ｒ25、−Ｘ8−Ａｒ13、−Ｘ8−Ａｒ14−Ａｒ13、−Ｘ8−Ａｒ14−Ｒ26または−Ｘ8−Ａｒ14−Ａｒ15−Ｒ26であり、その際、
Ｘ7は、それぞれの場合に、独立して、−Ｏ−、−［Ｚ19−Ｏ］o−、−［Ｏ−Ｚ19］o−Ｏ−、−Ｓ−、−［Ｚ19−Ｓ−］o−、−［Ｓ−Ｚ19］o−Ｓ−、−Ｓ（Ｏ）、−Ｃ（Ｏ）−、−Ｃ（Ｏ）Ｏ−、−Ｃ（Ｏ）ＮＲ27−、Ｃ（Ｏ）Ｓ−、−Ｏ（ＣＯ）−、−Ｓ（ＣＯ）−、−ＮＲ27Ｃ（Ｏ）−または−ＮＲ27−であり、その際、
Ｚ19は、それぞれの場合に、独立して、Ｃ1〜Ｃ6−アルキレン、Ｃ2〜Ｃ6−アルケニレンまたはＣ1〜Ｃ6−ハロアルキレンであり、
ｃは、それぞれの場合に、独立して、１〜１０の整数であり、かつ
Ｒ27は、それぞれの場合に、独立して、Ｈ、Ｃ1〜Ｃ20−アルキルまたは−Ｚ20−Ｃ6〜Ｃ14−アリールであり、その際、
Ｚ20は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ25は、それぞれの場合に、独立して、Ｃ1〜Ｃ30−アルキル、Ｃ2〜Ｃ30−アルケニルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、−Ｓ（Ｏ）−、−Ｃ（Ｏ）−、−Ｃ（Ｏ）Ｏ−、−（ＣＯ）ＮＲ28、−Ｃ（Ｏ）Ｓ−、−Ｏ（ＣＯ）−、−Ｓ（ＣＯ）−、−ＮＲ28Ｃ（Ｏ）−、−ＮＲ28−、−Ｚ21−ＳｉＲ282−Ｚ22−、Ｃ1〜Ｃ30−アルキレン、Ｃ2〜Ｃ30−アルケニレン、Ｃ1〜Ｃ30−ハロアルキレンまたは共有結合であり、その際、
Ｚ21およびＺ22は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ28は、それぞれの場合に、独立して、Ｈ、Ｃ1〜Ｃ20−アルキルまたは−Ｚ23−Ｃ6〜Ｃ14−アリールであり、その際、
Ｚ23は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ14は、それぞれの場合に、独立して、Ｃ6〜Ｃ14−アリールまたは一価の５員ないし１４員の芳香族複素環式基であり、それらは、それぞれ任意に、１〜５個の置換基Ｒoで置換されており、それぞれのＲoは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ14およびＡｒ15は、それぞれの場合に、独立して、Ｃ6〜Ｃ14−アリーレンまたは二価の５員ないし１４員の芳香族複素環式基であり、それらは、それぞれ任意に、１〜４個の置換基Ｒpで置換されており、それぞれのＲpは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ26は、それぞれの場合に、独立して、Ｃ1〜Ｃ20−アルキル、Ｃ2〜Ｃ20−アルケニル、Ｃ1〜Ｃ20−ハロアルキルおよびＣ1〜Ｃ20−アルコキシである。
【００７４】
好ましくは、それぞれのＲlは、独立して、Ｃ1〜Ｃ30−アルキル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ6〜Ｃ14−アリール、−Ｚ18−一価の３員ないし１２員の脂肪族複素環式基および−Ｚ18−一価の５員ないし１４員の芳香族複素環式基であり、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒnで置換されており、それぞれのＲnは、独立して、Ｃ1〜Ｃ20−アルキル、Ｃ1〜Ｃ20−アルコキシ、Ｃ1〜Ｃ20−ハロアルキルからなる群から選択され、その際、
Ｚ18は、それぞれの場合に、独立して、Ｃ1〜Ｃ6−アルキレン、Ｃ1〜Ｃ6−ハロアルキレンまたは共有結合である。
【００７５】
より好ましくは、それぞれのＲlは、独立して、Ｃ1〜Ｃ30−アルキルおよび−Ｚ18−Ｃ6〜Ｃ14−アリールからなる群から選択され、その際、
Ｃ1〜Ｃ30−アルキルおよびＣ6〜Ｃ14−アリールは、任意に、１〜４個の置換基Ｒmで置換されており、それぞれのＲmは、独立して、ハロゲン、−ＣＮおよび*＝Ｏからなる群から選択され、かつ
Ｃ6〜Ｃ14−アリールは、任意に、１〜４個の置換基Ｒnで置換されており、それぞれのＲnは、独立して、Ｃ1〜Ｃ20−アルキルおよびＣ1〜Ｃ20−アルコキシからなる群から選択され、その際、
Ｚ18は、それぞれの場合に、共有結合である。
【００７６】
最も好ましくは、それぞれのＲlは、独立して、Ｃ1〜Ｃ30−アルキル、好ましくは、ｎ−オクチル、ｎ−（２−エチル）ヘキシル、ｎ−ノニル、ｎ−デシル、ｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）、より好ましくはｎ−ヘキサデシルである。
【００７７】
好ましくは、Ｒ23およびＲ24は、同一または異なっており、かつＨ、ハロゲン、−ＣＮ、Ｃ1〜Ｃ30−アルキル、Ｃ2〜Ｃ30−アルケニル、Ｃ1〜Ｃ30−ハロアルキル、−Ｘ7−Ｒ25、−Ｘ8−Ａｒ13、−Ｘ8−Ａｒ14−Ａｒ13、−Ｘ8−Ａｒ14−Ｒ26または−Ｘ8−Ａｒ14−Ａｒ15−Ｒ26であり、その際、
Ｘ7は、それぞれの場合に、独立して、−Ｏ−、−［Ｚ19−Ｏ］c−、−［Ｏ−Ｚ19］c−Ｏ−、−Ｓ−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレン、Ｃ2〜Ｃ6−アルケニレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキル、Ｃ2〜Ｃ30−アルケニルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレン、Ｃ2〜Ｃ30−アルケニレン、Ｃ1〜Ｃ30−ハロアルキレンまたは共有結合であり、その際、
Ｚ21およびＺ22は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ａｒ13は、それぞれの場合に、独立して、Ｃ6〜Ｃ14−アリールまたは一価の５員ないし１４員の芳香族複素環式基であり、それらは、それぞれ任意に、１〜５個の置換基Ｒoで置換されており、それぞれのＲoは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ14およびＡｒ15は、それぞれの場合に、独立して、Ｃ6〜Ｃ14−アリーレンまたは二価の５員ないし１４員の芳香族複素環式基であり、それらは、それぞれ任意に、１〜４個の置換基Ｒpで置換されており、それぞれのＲpは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ26は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシである。
【００７８】
より好ましくは、Ｒ23およびＲ24は、同一または異なっており、かつＨ、Ｃ1〜Ｃ30−アルキル、Ｃ1〜Ｃ30−ハロアルキル、−Ｘ7−Ｒ25または−Ｘ8−Ａｒ13であり、その際、
Ｘ7は、それぞれの場合に、独立して、−［Ｚ19−Ｏ］c−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレンまたはＣ1〜Ｃ30−ハロアルキレンであり、その際、
Ｚ21およびＺ22は、それぞれの場合に、独立して、Ｃ1〜Ｃ6−アルキレンまたはＣ1〜Ｃ6−ハロアルキレンであり、かつ
Ａｒ13は、それぞれの場合に、独立して、Ｃ6〜Ｃ14−アリールであり、前記アリールは、任意に、１〜５個の置換基Ｒoで置換されており、それぞれのＲoは、独立して、ハロゲン、Ｃ1〜Ｃ6−アルキルおよびＣ1〜Ｃ6−アルコキシからなる群から選択される。
【００７９】
最も好ましくは、Ｒ23およびＲ24は、同一または異なっており、かつＨ、Ｃ1〜Ｃ30−アルキルまたはＣ1〜Ｃ30−ハロアルキル、特にＨである。
【００８０】
より好ましくは、Ｌは、二価の５員ないし１８員の芳香族複素環式基であり、その際、二価の５員ないし１８員の芳香族複素環式基は、任意に、１〜４個の置換基Ｒlで置換されており、それぞれのＲlは、独立して、Ｃ1〜Ｃ30−アルキル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ6〜Ｃ14−アリール、−Ｚ18−一価の３員ないし１２員の脂肪族複素環式基および−Ｚ18−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒnで置換されており、それぞれのＲnは、独立して、Ｃ1〜Ｃ20−アルキル、Ｃ1〜Ｃ20−アルコキシ、Ｃ1〜Ｃ20−ハロアルキルからなる群から選択され、その際、
Ｚ18は、それぞれの場合に、独立して、Ｃ1〜Ｃ6−アルキレン、Ｃ1〜Ｃ6−ハロアルキレンまたは共有結合であるか、または
Ｌは、
【化２７】
2013538257.tif 000029
であり、その式中、
Ｒ23およびＲ24は、同一または異なっており、かつＨ、ハロゲン、−ＣＮ、Ｃ1〜Ｃ30−アルキル、Ｃ2〜Ｃ30−アルケニル、Ｃ1〜Ｃ30−ハロアルキル、−Ｘ7−Ｒ25、−Ｘ8−Ａｒ13、−Ｘ8−Ａｒ14−Ａｒ13、−Ｘ8−Ａｒ14−Ｒ26または−Ｘ8−Ａｒ14−Ａｒ15−Ｒ26であり、その際、
Ｘ7は、それぞれの場合に、独立して、−Ｏ−、−［Ｚ19−Ｏ］c−、−［Ｏ−Ｚ19］c−Ｏ−、−Ｓ−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレン、Ｃ2〜Ｃ6−アルケニレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキル、Ｃ2〜Ｃ30−アルケニルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレン、Ｃ2〜Ｃ30−アルケニレン、Ｃ1〜Ｃ30−ハロアルキレンまたは共有結合であり、その際、
Ｚ21およびＺ22は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ａｒ13は、それぞれの場合に、独立して、Ｃ6〜Ｃ14−アリールまたは一価の５員ないし１４員の芳香族複素環式基であり、それらは、それぞれ任意に、１〜５個の置換基Ｒoで置換されており、それぞれのＲoは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ14およびＡｒ15は、それぞれの場合に、独立して、Ｃ6〜Ｃ14−アリーレンまたは二価の５員ないし１４員の芳香族複素環式基であり、それらは、それぞれ任意に、１〜４個の置換基Ｒpで置換されており、それぞれのＲpは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ26は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシである。
【００８１】
さらにより好ましくは、Ｌは、
【化２８】
2013538257.tif 000030
【００８２】
【化２９】
2013538257.tif 000031
【００８３】
【化３０】
2013538257.tif 000032
からなる群から選択される二価の５員ないし１８員の芳香族複素環式基であり、前記式中、
二価の５員ないし１８員の芳香族複素環式基は、任意に、１〜４個の置換基Ｒlで置換されており、それぞれのＲlは、独立して、Ｃ1〜Ｃ30−アルキルおよび−Ｚ18−Ｃ6〜Ｃ14−アリールからなる群から選択され、その際、
Ｃ1〜Ｃ30−アルキルおよびＣ6〜Ｃ14−アリールは、任意に、１〜４個の置換基Ｒmで置換されており、それぞれのＲmは、独立して、ハロゲン、−ＣＮおよび*＝Ｏからなる群から選択され、かつ
Ｃ6〜Ｃ14−アリールは、任意に、１〜４個の置換基Ｒnで置換されており、それぞれのＲnは、独立して、Ｃ1〜Ｃ20−アルキルおよびＣ1〜Ｃ20−アルコキシからなる群から選択され、その際、
Ｚ18は、それぞれの場合に、共有結合であり、その際、
Ｍ1、Ｍ2およびＭ3は、同一または異なってよく、かつＳ、Ｏ、ＮＨまたはＳｉＲtＲtであり、好ましくは、Ｍ1、Ｍ2は、ＳまたはＮＨであり、かつＭ3は、Ｓ、Ｏ、ＮＨまたはＳｉＲtＲtであり、より好ましくは、Ｍ1およびＭ2は、Ｓであり、かつＭ3は、ＮＨまたはＳｉＲtＲtであり、その際、
Ｒtは、ＨまたはＣ1〜Ｃ30−アルキルであるか、または
Ｌは、
【化３１】
2013538257.tif 000033
であり、その式中、
Ｒ23およびＲ24は、同一または異なっており、かつＨ、Ｃ1〜Ｃ30−アルキル、Ｃ1〜Ｃ30−ハロアルキル、−Ｘ7−Ｒ25または−Ｘ8−Ａｒ13であり、その際、
Ｘ7は、それぞれの場合に、独立して、−［Ｚ19−Ｏ］c−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレンまたはＣ1〜Ｃ30−ハロアルキレンであり、その際、
Ｚ21およびＺ22は、それぞれの場合に、独立して、Ｃ1〜Ｃ6−アルキレンまたはＣ1〜Ｃ6−ハロアルキレンであり、かつ
Ａｒ13は、それぞれの場合に、独立して、Ｃ6〜Ｃ14−アリールであり、前記アリールは、任意に、１〜５個の置換基Ｒoで置換されており、それぞれのＲoは、独立して、ハロゲン、Ｃ1〜Ｃ6−アルキルおよびＣ1〜Ｃ6−アルコキシからなる群から選択される。
【００８４】
さらにより好ましくは、Ｌは、
【化３２】
2013538257.tif 000034
【００８５】
【化３３】
2013538257.tif 000035
からなる群から選択される二価の５員ないし１８員の芳香族複素環式基であり、前記式中、
二価の５員ないし１８員の芳香族複素環式基は、任意に、１〜４個の置換基Ｒlで置換されており、それぞれのＲlは、独立して、Ｃ1〜Ｃ30−アルキルおよび−Ｚ18−Ｃ6〜Ｃ14−アリールからなる群から選択され、その際、
Ｃ1〜Ｃ30−アルキルおよびＣ6〜Ｃ14−アリールは、任意に、１〜４個の置換基Ｒmで置換されており、それぞれのＲmは、独立して、ハロゲン、−ＣＮおよび*＝Ｏからなる群から選択され、かつ
Ｃ6〜Ｃ14−アリールは、任意に、１〜４個の置換基Ｒnで置換されており、それぞれのＲnは、独立して、Ｃ1〜Ｃ20−アルキルおよびＣ1〜Ｃ20−アルコキシからなる群から選択され、その際、
Ｚ18は、それぞれの場合に、共有結合であり、その際、
Ｒtは、水素またはＣ1〜Ｃ30−アルキルであるか、または
Ｌは、
【化３４】
2013538257.tif 000036
であり、その式中、
Ｒ23およびＲ24は、同一または異なっており、かつＨ、Ｃ1〜Ｃ30−アルキル、Ｃ1〜Ｃ30−ハロアルキル、−Ｘ7−Ｒ25または−Ｘ8−Ａｒ13であり、その際、
Ｘ7は、それぞれの場合に、独立して、−［Ｚ19−Ｏ］c−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレンまたはＣ1〜Ｃ30−ハロアルキレンであり、その際、
Ｚ21およびＺ22は、それぞれの場合に、独立して、Ｃ1〜Ｃ6−アルキレンまたはＣ1〜Ｃ6−ハロアルキレンであり、かつ
Ａｒ13は、それぞれの場合に、独立して、Ｃ6〜Ｃ14−アリールであり、前記アリールは、任意に、１〜５個の置換基Ｒoで置換されており、それぞれのＲoは、独立して、ハロゲン、Ｃ1〜Ｃ6−アルキルおよびＣ1〜Ｃ6−アルコキシからなる群から選択される。
【００８６】
さらにより好ましくは、Ｌは、
【化３５】
2013538257.tif 000037
からなる群から選択される二価の５員ないし１８員の芳香族複素環式基であり、前記式中、
二価の５員ないし１８員の芳香族複素環式基は、任意に、１〜４個の置換基Ｒlで置換されており、それぞれのＲlは、独立して、Ｃ1〜Ｃ30−アルキルおよび−Ｚ18−Ｃ6〜Ｃ14−アリールからなる群から選択され、その際、
Ｃ1〜Ｃ30−アルキルおよびＣ6〜Ｃ14−アリールは、任意に、１〜４個の置換基Ｒmで置換されており、それぞれのＲmは、独立して、ハロゲン、−ＣＮおよび*＝Ｏからなる群から選択され、かつ
Ｃ6〜Ｃ14−アリールは、任意に、１〜４個の置換基Ｒnで置換されており、それぞれのＲnは、独立して、Ｃ1〜Ｃ20−アルキルおよびＣ1〜Ｃ20−アルコキシからなる群から選択され、その際、
Ｚ18は、それぞれの場合に、共有結合であり、その際、
Ｒtは、水素またはＣ1〜Ｃ30−アルキルであるか、または
Ｌは、
【化３６】
2013538257.tif 000038
であり、その式中、
Ｒ23およびＲ24は、同一または異なっており、かつＨ、Ｃ1〜Ｃ30−アルキル、Ｃ1〜Ｃ30−ハロアルキル、−Ｘ7−Ｒ25または−Ｘ8−Ａｒ13であり、その際、
Ｘ7は、それぞれの場合に、独立して、−［Ｚ19−Ｏ］c−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレンまたはＣ1〜Ｃ30−ハロアルキレンであり、その際、
Ｚ21およびＺ22は、それぞれの場合に、独立して、Ｃ1〜Ｃ6−アルキレンまたはＣ1〜Ｃ6−ハロアルキレンであり、かつ
Ａｒ13は、それぞれの場合に、独立して、Ｃ6〜Ｃ14−アリールであり、前記アリールは、任意に、１〜５個の置換基Ｒoで置換されており、それぞれのＲoは、独立して、ハロゲン、Ｃ1〜Ｃ6−アルキルおよびＣ1〜Ｃ6−アルコキシからなる群から選択される。
【００８７】
最も好ましくは、Ｌは、
【化３７】
2013538257.tif 000039
であり、その式中、
それぞれのＲlは、独立して、Ｃ1〜Ｃ30−アルキル、好ましくは、ｎ−オクチル、ｎ−（２−エチル）ヘキシル、ｎ−ノニル、ｎ−デシル、ｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）、より好ましくはｎ−ヘキサデシルであるか、または
Ｌは、
【化３８】
2013538257.tif 000040
であり、その式中、
Ｒ23およびＲ24は、同一または異なっており、かつＨ、Ｃ1〜Ｃ30−アルキルまたはＣ1〜Ｃ30−ハロアルキル、特にＨである。
【００８８】
好ましくは、ｑ、ｒおよびｓは、０または１であるが、但し、ｑ、ｒおよびｓは、すべて同時に０ではない。
【００８９】
好ましくは、ｎは、１〜５０００の、１〜１０００の、１〜１００の、１〜５０の、または１〜３０の整数であり、例えば、ｎは、２〜５０００の、２〜１０００の、２〜５０の、２〜３０の整数であってよい。幾つかの実施形態においては、ｎは、４〜１０００の、４〜１００の、８〜１０００の、または８〜１００の整数であってよい。
【００９０】
一実施形態においては
Ａ1およびＡ2は、Ｓであり、
Ｅは、
【化３９】
2013538257.tif 000041
であり、その式中、
Ｒ1およびＲ2は、同一または異なっており、かつＨ、Ｃ1〜Ｃ30−アルキル、Ｃ1〜Ｃ30−ハロアルキル、−Ｘ1−Ｒ6または−Ｘ2−Ａｒ1であり、その際、
Ｘ1は、それぞれの場合に、独立して、−［Ｚ1−Ｏ］a−、−［Ｚ1−Ｓ−］a−または−［Ｓ−Ｚ1］a−Ｓ−であり、その際、
Ｚ1は、それぞれの場合に、独立して、Ｃ1〜Ｃ6−アルキレンまたはＣ1〜Ｃ6−ハロアルキレンであり、
ａは、それぞれの場合に、独立して、１〜１０の整数であり、かつ
Ｒ6は、それぞれの場合に、独立して、Ｃ1〜Ｃ30−アルキルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、Ｃ1〜Ｃ30−アルキレンまたはＣ1〜Ｃ30−ハロアルキレンであり、その際、
Ｚ3およびＺ4は、それぞれの場合に、独立して、Ｃ1〜Ｃ6−アルキレンまたはＣ1〜Ｃ6−ハロアルキレンであり、かつ
Ａｒ1は、それぞれの場合に、独立して、Ｃ6〜Ｃ14−アリールであり、前記アリールは、任意に、１〜５個の置換基Ｒaで置換されており、それぞれのＲaは、独立して、ハロゲン、Ｃ1〜Ｃ6−アルキルおよびＣ1〜Ｃ6−アルコキシからなる群から選択される。
【００９１】
Ｌは、二価の５員ないし１８員の芳香族複素環式基であり、その二価の５員ないし１８員の芳香族複素環式基は、任意に、１〜４個の置換基Ｒlで置換されており、それぞれのＲlは、独立して、Ｃ1〜Ｃ30−アルキル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ6〜Ｃ14−アリール、−Ｚ18−一価の３員ないし１２員の脂肪族複素環式基および−Ｚ18−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒnで置換されており、それぞれのＲnは、独立して、Ｃ1〜Ｃ20−アルキル、Ｃ1〜Ｃ20−アルコキシ、Ｃ1〜Ｃ20−ハロアルキルからなる群から選択され、その際、
Ｚ18は、それぞれの場合に、独立して、Ｃ1〜Ｃ6−アルキレン、Ｃ1〜Ｃ6−ハロアルキレンまたは共有結合であり、
ｑおよびｓは、０であり、
ｒは、１であり、かつ
ｎは、１〜１０００、好ましくは４〜１００の整数である。
【００９２】
第二の一実施形態においては、
Ａ1およびＡ2は、Ｓであり、
Ｅは、
【化４０】
2013538257.tif 000042
であり、その式中、
Ｒ1およびＲ2は、同一または異なっており、かつＨ、Ｃ1〜Ｃ30−アルキル、Ｃ1〜Ｃ30−ハロアルキル、−Ｘ1−Ｒ6または−Ｘ2−Ａｒ1であり、その際、
Ｘ1は、それぞれの場合に、独立して、−［Ｚ1−Ｏ］a−、−［Ｚ1−Ｓ−］a−または−［Ｓ−Ｚ1］a−Ｓ−であり、その際、
Ｚ1は、それぞれの場合に、独立して、Ｃ1〜Ｃ6−アルキレンまたはＣ1〜Ｃ6−ハロアルキレンであり、
ａは、それぞれの場合に、独立して、１〜１０の整数であり、かつ
Ｒ6は、それぞれの場合に、独立して、Ｃ1〜Ｃ30−アルキルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、Ｃ1〜Ｃ30−アルキレンまたはＣ1〜Ｃ30−ハロアルキレンであり、その際、
Ｚ3およびＺ4は、それぞれの場合に、独立して、Ｃ1〜Ｃ6−アルキレンまたはＣ1〜Ｃ6−ハロアルキレンであり、かつ
Ａｒ1は、それぞれの場合に、独立して、Ｃ6〜Ｃ14−アリールであり、前記アリールは、任意に、１〜５個の置換基Ｒaで置換されており、それぞれのＲaは、独立して、ハロゲン、Ｃ1〜Ｃ6−アルキルおよびＣ1〜Ｃ6−アルコキシからなる群から選択され、
Ｇ1およびＧ2は、同一または異なっており、かつフェニレン、例えば
【化４１】
2013538257.tif 000043
または、好ましくは、
【化４２】
2013538257.tif 000044
からなる群から選択される単環式の二価の５員ないし８員の芳香族複素環式基であり、
そのフェニレンまたは単環式の二価の５員ないし８員の芳香族複素環式基は、任意に、１〜２個の置換基Ｒiで置換されており、それぞれのＲiは、独立して、Ｃ1〜Ｃ30−アルキル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ1〜Ｃ20−アルコキシ、Ｃ1〜Ｃ20−ハロアルキルからなる群から選択され、その際、
Ｚ17は、それぞれの場合に、独立して、Ｃ1〜Ｃ6−アルキレン、Ｃ1〜Ｃ6−ハロアルキレンまたは共有結合である。
【００９３】
Ｌは、
【化４３】
2013538257.tif 000045
であり、その式中、
Ｒ23およびＲ24は、同一または異なっており、かつＨ、Ｃ1〜Ｃ30−アルキル、Ｃ1〜Ｃ30−ハロアルキル、−Ｘ7−Ｒ25または−Ｘ8−Ａｒ13であり、その際、
Ｘ7は、それぞれの場合に、独立して、−［Ｚ19−Ｏ］c−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレンまたはＣ1〜Ｃ30−ハロアルキレンであり、その際、
Ｚ21およびＺ22は、それぞれの場合に、独立して、Ｃ1〜Ｃ6−アルキレンまたはＣ1〜Ｃ6−ハロアルキレンであり、かつ
Ａｒ13は、それぞれの場合に、独立して、Ｃ6〜Ｃ14−アリールであり、前記アリールは、任意に、１〜５個の置換基Ｒoで置換されており、それぞれのＲoは、独立して、ハロゲン、Ｃ1〜Ｃ6−アルキルおよびＣ1〜Ｃ6−アルコキシからなる群から選択され、
ｑおよびｓは、１であり、
ｒは、１であり、かつ
ｎは、１〜１０００、好ましくは２〜５０の整数である。
【００９４】
第三の一実施形態においては、
Ａ1およびＡ2は、Ｓであり、
Ｅは、
【化４４】
2013538257.tif 000046
であり、その式中、
Ｒ1およびＲ2は、同一または異なっており、かつＨ、Ｃ1〜Ｃ30−アルキル、Ｃ1〜Ｃ30−ハロアルキル、−Ｘ1−Ｒ6または−Ｘ2−Ａｒ1であり、その際、
Ｘ1は、それぞれの場合に、独立して、−［Ｚ1−Ｏ］a−、−［Ｚ1−Ｓ−］a−または−［Ｓ−Ｚ1］a−Ｓ−であり、その際、
Ｚ1は、それぞれの場合に、独立して、Ｃ1〜Ｃ6−アルキレンまたはＣ1〜Ｃ6−ハロアルキレンであり、
ａは、それぞれの場合に、独立して、１〜１０の整数であり、かつ
Ｒ6は、それぞれの場合に、独立して、Ｃ1〜Ｃ30−アルキルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、Ｃ1〜Ｃ30−アルキレンまたはＣ1〜Ｃ30−ハロアルキレンであり、その際、
Ｚ3およびＺ4は、それぞれの場合に、独立して、Ｃ1〜Ｃ6−アルキレンまたはＣ1〜Ｃ6−ハロアルキレンであり、かつ
Ａｒ1は、それぞれの場合に、独立して、Ｃ6〜Ｃ14−アリールであり、前記アリールは、任意に、１〜５個の置換基Ｒaで置換されており、それぞれのＲaは、独立して、ハロゲン、Ｃ1〜Ｃ6−アルキルおよびＣ1〜Ｃ6−アルコキシからなる群から選択され、
Ｇ1およびＧ2は、同一または異なっており、かつフェニレン、例えば
【化４５】
2013538257.tif 000047
または、好ましくは、
【化４６】
2013538257.tif 000048
からなる群から選択される単環式の二価の５員ないし８員の芳香族複素環式基であり、
そのフェニレンまたは単環式の二価の５員ないし８員の芳香族複素環式基は、任意に、１〜２個の置換基Ｒiで置換されており、それぞれのＲiは、独立して、Ｃ1〜Ｃ30−アルキル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ1〜Ｃ20−アルコキシ、Ｃ1〜Ｃ20−ハロアルキルからなる群から選択され、その際、
Ｚ17は、それぞれの場合に、独立して、Ｃ1〜Ｃ6−アルキレン、Ｃ1〜Ｃ6−ハロアルキレンまたは共有結合であり、
ｑおよびｓは、１であり、
ｒは、０であり、かつ
ｎは、１〜１０００、好ましくは１〜３０の整数である。
【００９５】
第四の一実施形態においては、
Ａ1およびＡ2は、Ｓであり、
Ｅは、
【化４７】
2013538257.tif 000049
であり、その式中、
Ｒ3は、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ5は、それぞれの場合に、共有結合であり、
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｇ1およびＧ2は、同一または異なっており、かつフェニレン、例えば
【化４８】
2013538257.tif 000050
または、好ましくは、
【化４９】
2013538257.tif 000051
からなる群から選択される単環式の二価の５員ないし８員の芳香族複素環式基であり、
そのフェニレンまたは単環式の二価の５員ないし８員の芳香族複素環式基は、任意に、１〜２個の置換基Ｒiで置換されており、それぞれのＲiは、独立して、Ｃ1〜Ｃ3−アルキル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ6〜Ｃ14−アリール、−Ｚ17−一価の３員ないし１２員の脂肪族複素環式基および−Ｚ17−一価の５員ないし１４員の芳香族複素環式基であり、その際、
Ｃ1〜Ｃ30−アルキル、Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮおよび*＝Ｏからなる群から選択され、かつ
Ｃ3〜Ｃ10−シクロアルキル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ1〜Ｃ20−アルコキシ、Ｃ1〜Ｃ20−ハロアルキルからなる群から選択され、その際、
Ｚ17は、それぞれの場合に、独立して、Ｃ1〜Ｃ6−アルキレン、Ｃ1〜Ｃ6−ハロアルキレンまたは共有結合であり、
Ｌは、
【化５０】
2013538257.tif 000052
であり、その式中、
Ｒ23およびＲ24は、同一または異なっており、かつＨ、Ｃ1〜Ｃ30−アルキル、Ｃ1〜Ｃ30−ハロアルキル、−Ｘ7−Ｒ25または−Ｘ8−Ａｒ13であり、その際、
Ｘ7は、それぞれの場合に、独立して、−［Ｚ19−Ｏ］c−、−［Ｚ19−Ｓ−］c−または−［Ｓ−Ｚ19］c−Ｓ−であり、その際、
Ｚ19は、それぞれの場合に、独立して、Ｃ1〜Ｃ6−アルキレンまたはＣ1〜Ｃ6−ハロアルキレンであり、
ｃは、それぞれの場合に、独立して、１〜１０の整数であり、かつ
Ｒ25は、それぞれの場合に、独立して、Ｃ1〜Ｃ30−アルキルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、Ｃ1〜Ｃ30−アルキレンまたはＣ1〜Ｃ30−ハロアルキレンであり、その際、
Ｚ21およびＺ22は、それぞれの場合に、独立して、Ｃ1〜Ｃ6−アルキレンまたはＣ1〜Ｃ6−ハロアルキレンであり、かつ
Ａｒ13は、それぞれの場合に、独立して、Ｃ6〜Ｃ14−アリールであり、前記アリールは、任意に、１〜５個の置換基Ｒoで置換されており、それぞれのＲoは、独立して、ハロゲン、Ｃ1〜Ｃ6−アルキルおよびＣ1〜Ｃ6−アルコキシからなる群から選択され、
ｑおよびｓは、１であり、
ｒは、１であり、かつ
ｎは、１〜１０００、好ましくは２〜５０の整数である。
【００９６】
式１の化合物、オリゴマーまたはポリマーの例は、
【化５１】
2013538257.tif 000053
［式中、ｎは、１〜１０００、好ましくは１〜１００、１〜５０、または１〜３０の整数であり、例えばｎは、２〜１０００、２〜１００、２〜５０、２〜３０の整数または４〜１００または８〜１００の整数であってよい］である。
【００９７】
また、本発明の部分は、式
【化５２】
2013538257.tif 000054
［式中、
Ａ1およびＡ2は、同一または異なってよく、かつＳまたはＳｅであり、
Ｅは、
【化５３】
2013538257.tif 000055
からなる群から選択され、
その式中、
Ｒ1およびＲ2は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ1−Ｒ6、−Ｘ2−Ａｒ1、−Ｘ2−Ａｒ2−Ａｒ1、−Ｘ2−Ａｒ2−Ｒ7または−Ｘ2−Ａｒ2−Ａｒ3−Ｒ7であり、その際、
Ｘ1は、それぞれの場合に、独立して、−Ｏ−、−［Ｚ1−Ｏ］a−、−［Ｏ−Ｚ1］a−Ｏ−、−Ｓ−、−［Ｚ1−Ｓ−］a−、−［Ｓ−Ｚ1］a−Ｓ−、−Ｓ（Ｏ）、−Ｃ（Ｏ）−、−Ｃ（Ｏ）Ｏ−、−Ｃ（Ｏ）ＮＲ8−、Ｃ（Ｏ）Ｓ−、−Ｏ（ＣＯ）−、−Ｓ（ＣＯ）−、−ＮＲ8Ｃ（Ｏ）−または−ＮＲ8−であり、その際、
Ｚ1は、それぞれの場合に、独立して、Ｃ1〜Ｃ6−アルキレン、Ｃ2〜Ｃ6−アルケニレンまたはＣ1〜Ｃ6−ハロアルキレンであり、
ａは、それぞれの場合に、独立して、１〜１０の整数であり、かつ
Ｒ8は、それぞれの場合に、独立して、Ｈ、Ｃ1〜Ｃ20−アルキルまたは−Ｚ2−Ｃ6〜Ｃ14−アリールであり、その際、
Ｚ2は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ6は、それぞれの場合に、独立して、Ｃ1〜Ｃ30−アルキル、Ｃ2〜Ｃ30−アルケニルまたはＣ1〜Ｃ30−ハロアルキルであり、
Ｘ2は、それぞれの場合に、独立して、−Ｚ3−Ｏ−Ｚ4−、−Ｚ3−Ｓ−Ｚ4−、−Ｓ（Ｏ）−、−Ｃ（Ｏ）−、−Ｃ（Ｏ）Ｏ−、−（ＣＯ）ＮＲ9、−Ｃ（Ｏ）Ｓ−、−Ｏ（ＣＯ）−、−Ｓ（ＣＯ）−、−ＮＲ9Ｃ（Ｏ）−、−ＮＲ9−、−Ｚ3−ＳｉＲ92−Ｚ4−、Ｃ1〜Ｃ30−アルキレン、Ｃ2〜Ｃ30−アルケニレン、Ｃ1〜Ｃ30−ハロアルキレンまたは共有結合であり、その際、
Ｚ3およびＺ4は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ9は、それぞれの場合に、独立して、Ｈ、Ｃ1〜Ｃ20−アルキルまたは−Ｚ5−Ｃ6〜Ｃ14−アリールであり、その際、
Ｚ5は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ1は、それぞれの場合に、独立して、Ｃ6〜Ｃ14−アリールまたは一価の５員ないし１４員の芳香族複素環式基であり、それらは、それぞれ任意に、１〜５個の置換基Ｒaで置換されており、それぞれのＲaは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ2およびＡｒ3は、それぞれの場合に、独立して、Ｃ6〜Ｃ14−アリーレンまたは二価の５員ないし１４員の芳香族複素環式基であり、それらは、それぞれ任意に、１〜４個の置換基Ｒbで置換されており、それぞれのＲbは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ7は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ3−Ａｒ4、−Ｘ3−Ａｒ5−Ａｒ4、−Ｘ3−Ａｒ5−Ｒ10または−Ｘ3−Ａｒ5−Ａｒ6−Ｒ10であり、その際、
Ｘ3は、それぞれの場合に、独立して、−Ｚ6−Ｏ−Ｚ7−、−Ｚ6−Ｓ−Ｚ7−、−Ｓ（Ｏ）−、−Ｃ（Ｏ）−、−Ｃ（Ｏ）Ｏ−、−（ＣＯ）ＮＲ11、−Ｃ（Ｏ）Ｓ−、−Ｏ（ＣＯ）−、−Ｓ（ＣＯ）−、−ＮＲ11Ｃ（Ｏ）−、−ＮＲ11−、−Ｚ6−ＳｉＲ112−Ｚ7−、Ｃ1〜Ｃ30−アルキレン、Ｃ2〜Ｃ30−アルケニレン、Ｃ1〜Ｃ30−ハロアルキレンまたは共有結合であり、その際、
Ｚ6およびＺ7は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ11は、それぞれの場合に、独立して、Ｈ、Ｃ1〜Ｃ20−アルキルまたは−Ｚ8−Ｃ6〜Ｃ14−アリールであり、その際、
Ｚ8は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ4は、それぞれの場合に、独立して、Ｃ6〜Ｃ14−アリールまたは一価の５員ないし１４員の芳香族複素環式基であり、それらは、それぞれ任意に、１〜５個の置換基Ｒcで置換されており、それぞれのＲcは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ5およびＡｒ6は、それぞれの場合に、独立して、Ｃ6〜Ｃ14−アリーレンまたは二価の５員ないし１４員の芳香族複素環式基であり、それらは、それぞれ任意に、１〜４個の置換基Ｒdで置換されており、それぞれのＲdは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ10は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｒ3、Ｒ4およびＲ5は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ4−Ｒ12、−Ｘ5−Ａｒ7、−Ｘ5−Ａｒ8−Ａｒ7、−Ｘ5−Ａｒ8−Ｒ13または−Ｘ5−Ａｒ8−Ａｒ9−Ｒ13であり、その際、
Ｘ4は、それぞれの場合に、独立して、−［Ｚ9−Ｏ］b−、−［Ｚ9−Ｓ−］b−、−Ｓ（Ｏ）−、−Ｃ（Ｏ）−、−Ｃ（Ｏ）Ｏ−、−Ｃ（Ｏ）ＮＲ14−またはＣ（Ｏ）Ｓ−であり、その際、
Ｚ9は、それぞれの場合に、独立して、Ｃ1〜Ｃ6−アルキレン、Ｃ2〜Ｃ6−アルケニレンまたはＣ1〜Ｃ6−ハロアルキレンであり、
ｂは、それぞれの場合に、独立して、１〜１０の整数であり、かつ
Ｒ14は、それぞれの場合に、独立して、Ｈ、Ｃ1〜Ｃ20−アルキルまたは−Ｚ10−Ｃ6〜Ｃ14−アリールであり、その際、
Ｚ10は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ12は、それぞれの場合に、独立して、Ｃ1〜Ｃ30−アルキル、Ｃ2〜Ｃ30−アルケニルまたはＣ1〜Ｃ30−ハロアルキルであり、
Ｘ5は、それぞれの場合に、独立して、−Ｚ11−Ｏ−Ｚ12−、−Ｚ11−Ｓ−Ｚ12−、−Ｓ（Ｏ）−、−Ｃ（Ｏ）−、−Ｃ（Ｏ）Ｏ−、−（ＣＯ）ＮＲ15、−Ｃ（Ｏ）Ｓ−、−Ｚ11−ＳｉＲ152−Ｚ12−、Ｃ1〜Ｃ30−アルキレン、Ｃ2〜Ｃ30−アルケニレン、Ｃ1〜Ｃ30−ハロアルキレンまたは共有結合であり、その際、
Ｚ11は、それぞれの場合に、独立して、Ｃ1〜Ｃ6−アルキレン、Ｃ2〜Ｃ6−アルケニレンまたはＣ1〜Ｃ6−ハロアルキレンであり、
Ｚ12は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ15は、それぞれの場合に、独立して、Ｈ、Ｃ1〜Ｃ20−アルキルまたは−Ｚ13−Ｃ6〜Ｃ14−アリールであり、その際、
Ｚ13は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ7は、それぞれの場合に、独立して、Ｃ6〜Ｃ14−アリールまたは一価の５員ないし１４員の芳香族複素環式基であり、それらは、それぞれ任意に、１〜５個の置換基Ｒeで置換されており、それぞれのＲeは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ8およびＡｒ9は、それぞれの場合に、独立して、Ｃ6〜Ｃ14−アリーレンまたは二価の５員ないし１４員の芳香族複素環式基であり、それらは、それぞれ任意に、１〜４個の置換基Ｒfで置換されており、それぞれのＲfは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ13は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ6−Ａｒ10、−Ｘ6−Ａｒ11−Ａｒ10、−Ｘ6−Ａｒ11−Ｒ16または−Ｘ6−Ａｒ11−Ａｒ12−Ｒ17であり、その際、
Ｘ6は、それぞれの場合に、独立して、−Ｚ14−Ｏ−Ｚ15−、−Ｚ14−Ｓ−Ｚ15、−Ｓ（Ｏ）−、−Ｃ（Ｏ）−、−Ｃ（Ｏ）Ｏ−、−（ＣＯ）ＮＲ18、−Ｃ（Ｏ）Ｓ−、−Ｏ（ＣＯ）−、−Ｓ（ＣＯ）−、−ＮＲ18Ｃ（Ｏ）−、−ＮＲ18−、−Ｚ14−ＳｉＲ182−Ｚ15−、Ｃ1〜Ｃ30−アルキレン、Ｃ2〜Ｃ30−アルケニレン、Ｃ1〜Ｃ30−ハロアルキレンまたは共有結合であり、その際、
Ｚ14およびＺ15は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ18は、それぞれの場合に、独立して、Ｈ、Ｃ1〜Ｃ20−アルキルまたは−Ｚ16−Ｃ6〜Ｃ14−アリールであり、その際、
Ｚ16は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ10は、それぞれの場合に、独立して、Ｃ6〜Ｃ14−アリールまたは一価の５員ないし１４員の芳香族複素環式基であり、それらは、それぞれ任意に、１〜５個の置換基Ｒgで置換されており、それぞれのＲgは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ11およびＡｒ12は、それぞれの場合に、独立して、Ｃ6〜Ｃ14−アリーレンまたは二価の５員ないし１４員の芳香族複素環式基であり、それらは、それぞれ任意に、１〜４個の置換基Ｒhで置換されており、それぞれのＲhは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ17は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
Ｒ19は、ＯまたはＣ（ＣＮ）2であり、かつ
Ｒ20およびＲ21は、同一または異なり、かつＲ22またはＣＮであり、その際、
Ｒ22は、Ｒ1と同じ意味を有し、
Ｇ1およびＧ2は、同一または異なっており、かつフェニレンまたは単環式の二価の５員ないし８員の芳香族複素環式基であり、そのフェニレンおよび単環式の二価の５員ないし８員の芳香族複素環式基は、任意に、１〜４個の置換基Ｒiで置換されており、それぞれのＲiは、独立して、ハロゲン、−ＣＮ、−ＮＯ2、−ＯＨ、Ｃ1〜Ｃ30−アルキル、Ｃ2〜Ｃ30−アルケニル、Ｃ2〜Ｃ30−アルキニル、−Ｚ17−Ｏ−Ｃ1〜Ｃ30−アルキル、−Ｚ17−Ｓ−Ｃ1〜Ｃ30−アルキル、−Ｚ17−Ｃ3〜Ｃ10−シクロアルキル、−Ｚ17−Ｃ5〜Ｃ10−シクロアルケニル、−Ｚ17−Ｃ8〜Ｃ10−シクロアルキニル、−Ｚ17−Ｃ6〜Ｃ14−アリール、−Ｚ17−一価の３員ないし１２員の脂肪族複素環式基および−Ｚ17−一価の５員ないし１４員の芳香族複素環式基からなる群から選択され、その際、
Ｃ1〜Ｃ30−アルキル、Ｃ2〜Ｃ30−アルケニル、Ｃ2〜Ｃ30−アルキニル、Ｃ3〜Ｃ10−シクロアルキル、Ｃ5〜Ｃ10−シクロアルケニル、Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒjで置換されており、それぞれのＲjは、独立して、ハロゲン、−ＣＮ、−ＮＯ2、*＝Ｏ、−ＯＨ、−ＮＨ2、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）mＨ、−Ｓ（Ｏ）m−Ｃ1〜Ｃ20−アルキル、−Ｓ（Ｏ）2ＯＨ、−Ｓ（Ｏ）m−ＯＣ1〜Ｃ20−アルキル、−Ｓ（Ｏ）m−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）ＯＨ、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）mＮＨ2、−Ｓ（Ｏ）mＮＨ（Ｃ1〜Ｃ20−アルキル）、−Ｓ（Ｏ）mＮ（Ｃ1〜Ｃ20−アルキル）2、−Ｓ（Ｏ）mＮＨ（Ｃ6〜Ｃ14−アリール）、−Ｓ（Ｏ）mＮ（Ｃ1〜Ｃ20−アルキル）−Ｃ6〜Ｃ14−アリール、−Ｓ（Ｏ）mＮ（Ｃ6〜Ｃ14−アリール）2、ＳｉＨ3、ＳｉＨ（Ｃ1〜Ｃ20−アルキル）2、ＳｉＨ2（Ｃ1〜Ｃ20−アルキル）およびＳｉ（Ｃ1〜Ｃ20−アルキル）3からなる群から選択され、かつ
Ｃ3〜Ｃ10−シクロアルキル、Ｃ5〜Ｃ10−シクロアルケニル、−Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒkで置換されており、それぞれのＲkは、独立して、Ｃ1〜Ｃ20−アルキル、Ｃ2〜Ｃ20−アルケニル、Ｃ2〜Ｃ20−アルキニル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ17は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
ｍは、それぞれの場合に、独立して、０、１または２であり、
Ｌは、Ｃ6〜Ｃ24−アリーレンまたは二価の５員ないし１８員の芳香族複素環式基であり、その際、Ｃ6〜Ｃ24−アリーレンおよび二価の５員ないし１８員の芳香族複素環式基は、任意に、１〜４個の置換基Ｒlで置換されており、それぞれのＲlは、独立して、ハロゲン、−ＣＮ、−ＮＯ2、*＝Ｏ、ＯＨ、*＝Ｃ（Ｃ1〜Ｃ30−アルキル）2、Ｃ1〜Ｃ30−アルキル、Ｃ2〜Ｃ30−アルケニル、Ｃ2〜Ｃ30−アルキニル、−Ｚ18−Ｏ−Ｃ1〜Ｃ30−アルキル、−Ｚ18−Ｓ−Ｃ1〜Ｃ30−アルキル、−Ｚ18−Ｃ3〜Ｃ10−シクロアルキル、−Ｚ18−Ｃ5〜Ｃ10−シクロアルケニル、−Ｚ18−Ｃ8〜Ｃ10−シクロアルキニル、−Ｚ18−Ｃ6〜Ｃ14−アリール、−Ｚ18−一価の３員ないし１２員の脂肪族複素環式基および−Ｚ18−一価の５員ないし１４員の芳香族複素環式基からなる群から選択され、その際、
Ｃ1〜Ｃ30−アルキル、Ｃ2〜Ｃ30−アルケニル、Ｃ2〜Ｃ30−アルキニル、Ｃ3〜Ｃ10−シクロアルキル、Ｃ5〜Ｃ10−シクロアルケニル、Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒmで置換されており、それぞれのＲmは、独立して、ハロゲン、−ＣＮ、−ＮＯ2、*＝Ｏ、−ＯＨ、−ＮＨ2、−ＮＨ（Ｃ1〜Ｃ20−アルキル）、−Ｎ（Ｃ1〜Ｃ20−アルキル）2、−Ｎ（Ｃ1〜Ｃ20−アルキル）−Ｃ6〜Ｃ14−アリール、−Ｎ（Ｃ6〜Ｃ14−アリール）2、−Ｓ（Ｏ）oＨ、−Ｓ（Ｏ）o−Ｃ1〜Ｃ20−アルキル、−Ｓ（Ｏ）2ＯＨ、−Ｓ（Ｏ）o−ＯＣ1〜Ｃ20−アルキル、−Ｓ（Ｏ）o−ＯＣ6〜Ｃ14−アリール、−ＣＨＯ、−Ｃ（Ｏ）−Ｃ1〜Ｃ20−アルキル、−Ｃ（Ｏ）−Ｃ6〜Ｃ14−アリール、−Ｃ（Ｏ）ＯＨ、−Ｃ（Ｏ）−ＯＣ1〜Ｃ20−アルキル、−Ｃ（Ｏ）−ＯＣ6〜Ｃ14−アリール、−Ｃ（Ｏ）ＮＨ2、−Ｃ（Ｏ）ＮＨ−Ｃ1〜Ｃ20−アルキル、−Ｃ（Ｏ）Ｎ（Ｃ1〜Ｃ20−アルキル）2、−Ｃ（Ｏ）ＮＨ−Ｃ6〜Ｃ14−アリール、−Ｃ（Ｏ）Ｎ（Ｃ1〜Ｃ20−アルキル）−Ｃ6〜Ｃ14−アリール、−Ｃ（Ｏ）Ｎ（Ｃ6〜Ｃ14−アリール）2、−Ｃ（Ｓ）ＮＨ2、−Ｃ（Ｓ）ＮＨ−Ｃ1〜Ｃ20−アルキル、−Ｃ（Ｓ）Ｎ（Ｃ1〜Ｃ20−アルキル）2、−Ｃ（Ｓ）Ｎ（Ｃ6〜Ｃ14−アリール）2、−Ｃ（Ｓ）Ｎ（Ｃ1〜Ｃ20−アルキル）−Ｃ6〜Ｃ14−アリール、−Ｃ（Ｓ）ＮＨ−Ｃ6〜Ｃ14−アリール、−Ｓ（Ｏ）oＮＨ2、−Ｓ（Ｏ）oＮＨ（Ｃ1〜Ｃ20−アルキル）、−Ｓ（Ｏ）oＮ（Ｃ1〜Ｃ20−アルキル）2、−Ｓ（Ｏ）oＮＨ（Ｃ6〜Ｃ14−アリール）、−Ｓ（Ｏ）oＮ（Ｃ1〜Ｃ20−アルキル）−Ｃ6〜Ｃ14−アリール、−Ｓ（Ｏ）oＮ（Ｃ6〜Ｃ14−アリール）2、ＳｉＨ3、ＳｉＨ（Ｃ1〜Ｃ20−アルキル）2、ＳｉＨ2（Ｃ1〜Ｃ20−アルキル）およびＳｉ（Ｃ1〜Ｃ20−アルキル）3からなる群から選択され、かつ
Ｃ3〜Ｃ10−シクロアルキル、Ｃ5〜Ｃ10−シクロアルケニル、−Ｃ8〜Ｃ10−シクロアルキニル、Ｃ6〜Ｃ14−アリール、一価の３員ないし１２員の脂肪族複素環式基および一価の５員ないし１４員の芳香族複素環式基は、任意に、１〜４個の置換基Ｒnで置換されており、それぞれのＲnは、独立して、Ｃ1〜Ｃ20−アルキル、Ｃ2〜Ｃ20−アルケニル、Ｃ2〜Ｃ20−アルキニル、Ｃ1〜Ｃ20−アルコキシ、−Ｓ−Ｃ1〜Ｃ20−アルキル、Ｃ1〜Ｃ20−ハロアルキルからなる群から選択され、その際、
Ｚ18は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
ｏは、それぞれの場合に、独立して、０、１または２であるか、または
Ｌは、
【化５４】
2013538257.tif 000056
であり、その式中、
Ｒ23およびＲ24は、同一または異なってよく、かつＨ、ハロゲン、−ＣＮ、Ｃ1〜Ｃ30−アルキル、Ｃ2〜Ｃ30−アルケニル、Ｃ2〜Ｃ20−アルキニル、Ｃ3〜Ｃ10−シクロアルキル、Ｃ5〜Ｃ10−シクロアルケニル、Ｃ8〜Ｃ10−シクロアルキニル、Ｃ1〜Ｃ30−ハロアルキル、一価の３員ないし１２員の脂肪族複素環式基、−Ｘ7−Ｒ25、−Ｘ8−Ａｒ13、−Ｘ8−Ａｒ14−Ａｒ13、−Ｘ8−Ａｒ14−Ｒ26または−Ｘ8−Ａｒ14−Ａｒ15−Ｒ26であり、その際、
Ｘ7は、それぞれの場合に、独立して、−Ｏ−、−［Ｚ19−Ｏ］c−、−［Ｏ−Ｚ19］c−Ｏ−、−Ｓ−、−［Ｚ19−Ｓ−］c−、−［Ｓ−Ｚ19］c−Ｓ−、−Ｓ（Ｏ）、−Ｃ（Ｏ）−、−Ｃ（Ｏ）Ｏ−、−Ｃ（Ｏ）ＮＲ27−、Ｃ（Ｏ）Ｓ−、−Ｏ（ＣＯ）−、−Ｓ（ＣＯ）−、ＮＲ27Ｃ（Ｏ）−または−ＮＲ27−であり、その際、
Ｚ19は、それぞれの場合に、独立して、Ｃ1〜Ｃ6−アルキレン、Ｃ2〜Ｃ6−アルケニレンまたはＣ1〜Ｃ6−ハロアルキレンであり、
ｃは、それぞれの場合に、独立して、１〜１０の整数であり、かつ
Ｒ27は、それぞれの場合に、独立して、Ｈ、Ｃ1〜Ｃ20−アルキルまたは−Ｚ20−Ｃ6〜Ｃ14−アリールであり、その際、
Ｚ20は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ｒ25は、それぞれの場合に、独立して、Ｃ1〜Ｃ30−アルキル、Ｃ2〜Ｃ30−アルケニルまたはＣ1〜Ｃ30−ハロアルキルであり、
Ｘ8は、それぞれの場合に、独立して、−Ｚ21−Ｏ−Ｚ22−、−Ｚ21−Ｓ−Ｚ22−、−Ｓ（Ｏ）−、−Ｃ（Ｏ）−、−Ｃ（Ｏ）Ｏ−、−（ＣＯ）ＮＲ28、−Ｃ（Ｏ）Ｓ−、−Ｏ（ＣＯ）−、−Ｓ（ＣＯ）−、−ＮＲ28Ｃ（Ｏ）−、−ＮＲ28−、−Ｚ21−ＳｉＲ282−Ｚ22−、Ｃ1〜Ｃ30−アルキレン、Ｃ2〜Ｃ30−アルケニレン、Ｃ1〜Ｃ30−ハロアルキレンまたは共有結合であり、その際、
Ｚ21およびＺ22は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ28は、それぞれの場合に、独立して、Ｈ、Ｃ1〜Ｃ20−アルキルまたは−Ｚ23−Ｃ6〜Ｃ14−アリールであり、その際、
Ｚ23は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ12は、それぞれの場合に、独立して、Ｃ6〜Ｃ14−アリールまたは一価の５員ないし１４員の芳香族複素環式基であり、それらは、それぞれ任意に、１〜５個の置換基Ｒoで置換されており、それぞれのＲoは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ14およびＡｒ15は、それぞれの場合に、独立して、Ｃ6〜Ｃ14−アリーレンまたは二価の５員ないし１４員の芳香族複素環式基であり、それらは、それぞれ任意に、１〜４個の置換基Ｒpで置換されており、それぞれのＲpは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ26は、それぞれの場合に、独立して、Ｃ1〜Ｃ20−アルキル、Ｃ2〜Ｃ20−アルケニル、Ｃ1〜Ｃ20−ハロアルキル、Ｃ1〜Ｃ20−アルコキシ、−Ｘ9−Ａｒ16、−Ｘ9−Ａｒ17−Ａｒ16、−Ｘ9−Ａｒ17−Ｒ29または−Ｘ9−Ａｒ17−Ａｒ18−Ｒ29であり、その際、
Ｘ9は、それぞれの場合に、独立して、−Ｚ24−Ｏ−Ｚ25−、−Ｚ24−Ｓ−Ｚ25、−Ｓ（Ｏ）−、−Ｃ（Ｏ）−、−Ｃ（Ｏ）Ｏ−、−（ＣＯ）ＮＲ30、−Ｃ（Ｏ）Ｓ−、−Ｏ（ＣＯ）−、−Ｓ（ＣＯ）−、−ＮＲ30Ｃ（Ｏ）−、−ＮＲ30−、−Ｚ24−ＳｉＲ302−Ｚ25−、Ｃ1〜Ｃ30−アルキレン、Ｃ2〜Ｃ30−アルケニレン、Ｃ1〜Ｃ30−ハロアルキレンまたは共有結合であり、その際、
Ｚ24およびＺ25は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、かつ
Ｒ30は、それぞれの場合に、独立して、Ｈ、Ｃ1〜Ｃ20−アルキルまたは−Ｚ26−Ｃ6〜Ｃ14−アリールであり、その際、
Ｚ26は、それぞれの場合に、独立して、Ｃ1〜Ｃ6−アルキレン、Ｃ2〜Ｃ6−アルケニレン、Ｃ1〜Ｃ6−ハロアルキレンまたは共有結合であり、
Ａｒ16は、それぞれの場合に、独立して、Ｃ6〜Ｃ14−アリールまたは一価の５員ないし１４員の芳香族複素環式基であり、それらは、それぞれ任意に、１〜５個の置換基Ｒqで置換されており、それぞれのＲqは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、
Ａｒ17およびＡｒ18は、それぞれの場合に、独立して、Ｃ6〜Ｃ14−アリーレンまたは二価の５員ないし１４員の芳香族複素環式基であり、それらは、それぞれ任意に、１〜４個の置換基Ｒrで置換されており、それぞれのＲrは、独立して、ハロゲン、ＣＮ、Ｃ1〜Ｃ6−アルキル、Ｃ1〜Ｃ6−アルコキシおよびＣ1〜Ｃ6−ハロアルキルからなる群から選択され、かつ
Ｒ29は、それぞれの場合に、独立して、Ｃ1〜Ｃ20−アルキル、Ｃ2〜Ｃ20−アルケニル、Ｃ1〜Ｃ20−ハロアルキルまたはＣ1〜Ｃ20−アルコキシであり、
ｑおよびｓは、同一または異なっており、かつ０、１、２、３、４または５であり、
ｒは、０、１または２であり、かつ
ｎは、１〜１００００の整数である］の化合物、オリゴマーまたはポリマーの製造方法であって、好ましくは、
（ｉ）式
【化５５】
2013538257.tif 000057
［式中、Ａ1、Ａ2およびＥは、前記定義の通りであり、かつＨａｌは、ハロゲン、好ましくは−Ｂｒである］の化合物と、式
【化５６】
2013538257.tif 000058
［式中、Ｇ1、Ｇ2、Ｌ、ｑ、ｒおよびｓは、前記定義の通りであり、かつＲ31、Ｒ32、Ｒ33、Ｒ34、Ｒ35およびＲ36は、同一であり、かつＣ1〜Ｃ30−アルキル、好ましくはＣ1〜Ｃ6−アルキル、最も好ましくはｎ−ブチルまたはメチルである］の化合物とを、金属触媒の存在下で反応させる工程、または
（ｉｉ）式
【化５７】
2013538257.tif 000059
［式中、Ａ1、Ａ2およびＥ、Ｇ1、Ｇ2、ｒおよびｓは、前記定義の通りであり、かつＨａｌは、ハロゲン、好ましくは−Ｂｒである］の化合物と、式
【化５８】
2013538257.tif 000060
［式中、Ｌおよびｒは、前記定義の通りであり、かつＲ31、Ｒ32、Ｒ33、Ｒ34、Ｒ35およびＲ36は、同一であり、かつＣ1〜Ｃ30−アルキル、好ましくはＣ1〜Ｃ6−アルキル、最も好ましくはｎ−ブチルまたはメチルである］の化合物とを、金属触媒の存在下で反応させる工程、または
（ｉｉｉ）式
【化５９】
2013538257.tif 000061
［式中、Ａ1、Ａ2およびＥは、前記定義の通りであり、かつＲ31、Ｒ32、Ｒ33、Ｒ34、Ｒ35およびＲ36は、同一であり、かつＣ1〜Ｃ30−アルキル、好ましくはＣ1〜Ｃ6−アルキル、最も好ましくはｎ−ブチルまたはメチルである］の化合物と、式
【化６０】
2013538257.tif 000062
［式中、Ｇ1、Ｇ2、Ｌ、ｑ、ｒおよびｓは、前記定義の通りであり、かつＨａｌは、ハロゲン、好ましくは−Ｂｒである］の化合物とを、金属触媒の存在下で反応させる工程、または
（ｉｖ）式
【化６１】
2013538257.tif 000063
［式中、Ａ1、Ａ2、Ｅ、Ｇ1、Ｇ2、ｒおよびｓは、前記定義の通りであり、かつＲ31、Ｒ32、Ｒ33、Ｒ34、Ｒ35およびＲ36は、同一であり、かつＣ1〜Ｃ30−アルキル、好ましくはＣ1〜Ｃ6−アルキル、最も好ましくはｎ−ブチルまたはメチルである］の化合物と、式
【化６２】
2013538257.tif 000064
［式中、Ｌおよびｒは、前記定義の通りであり、かつＨａｌは、ハロゲン、好ましくは−Ｂｒである］の化合物とを、金属触媒の存在下で反応させる工程
を含む前記方法である。
【００９８】
好ましくは、Ｒ31、Ｒ32、Ｒ33、Ｒ34、Ｒ35およびＲ36は、メチルまたはｎ−ブチルである。
【００９９】
前記の金属触媒は、好ましくは、パラジウム触媒、例えばトリス（ジベンジリデンアセトン）ジパラジウム（０）と、好ましくはホスフィン、例えばトリ−ｏ−トリルホスフィンとの組み合わせである。該反応は、好ましくは、８０〜２００℃などの高められた温度で、好ましくは９０〜１５０℃の温度で行われる。該反応は、不活性有機溶剤、例えばクロロベンゼン中で行うことができる。該反応は、２−ブロモチオフェンおよび２−トリブチルスタニルチオフェンなどの末端封鎖剤の添加によって停止させることができる。粗生成物は、慣用の方法によって、例えば粗生成物を好適な溶剤で、例えばアセトンで抽出することによって後処理してよい。
【０１００】
択一的に、式
【化６３】
2013538257.tif 000065
［式中、Ａ1、Ａ2、Ｅ、Ｇ1、Ｌ、Ｇ2、ｑ、ｒ、ｓおよびｎは、前記定義の通りである］の化合物、オリゴマーまたはポリマーは、上記概説した方法によるが、
【化６４】
2013538257.tif 000066
［式中、Ｇ1、Ｇ2、Ｌ、ｑ、ｒおよびｓは、前記定義の通りであり、かつＲ37、Ｒ38、Ｒ39およびＲ40は、同じであり、かつＨまたはＣ1〜Ｃ30−アルキルであるか、またはＲ37およびＲ40は、−Ｏ−Ｂ−Ｏ−と一緒になって、５員ないし８員環式の環、例えば式
【化６５】
2013538257.tif 000067
のピナコール型の環を形成する］を、
式３の化合物の代わりに用いるか、
【化６６】
2013538257.tif 000068
［式中、Ｌおよびｒは、前記定義の通りであり、かつＲ37、Ｒ38、Ｒ39およびＲ40は、同じであり、かつＨまたはＣ1〜Ｃ30−アルキルであるか、またはＲ37およびＲ38、あるいはＲ39およびＲ40は、−Ｏ−Ｂ−Ｏ−と一緒になって、５員ないし８員環式の環、例えば式
【化６７】
2013538257.tif 000069
のピナコール型の環を形成する］を、
式９の化合物の代わりに用いるか、
【化６８】
2013538257.tif 000070
［式中、Ａ1、Ａ2およびＥは、前記定義の通りであり、かつＲ37、Ｒ38、Ｒ39およびＲ40は、同じであり、かつＨまたはＣ1〜Ｃ30−アルキルであるか、またはＲ37およびＲ38、あるいはＲ39およびＲ40は、−Ｏ−Ｂ−Ｏ−と一緒になって、５員ないし８員環式の環、例えば式
【化６９】
2013538257.tif 000071
のピナコール型の環を形成する］を、
式１０の化合物の代わりに用いるか、または
【化７０】
2013538257.tif 000072
［式中、Ａ1、Ａ2、Ｅ、Ｇ1、Ｇ2、ｒおよびｓは、前記定義の通りであり、かつＲ37、Ｒ38、Ｒ39およびＲ40は、同じであり、かつＨまたはＣ1〜Ｃ30−アルキルであるか、またはＲ37およびＲ38、あるいはＲ39およびＲ40は、−Ｏ−Ｂ−Ｏ−と一緒になって、５員ないし８員環式の環、例えば式
【化７１】
2013538257.tif 000073
のピナコール型の環を形成する］を、
式１２の化合物の代わりに用いて、
製造することができる。
【０１０１】
式
【化７２】
2013538257.tif 000074
［式中、Ａ1およびＡ2は、前記定義の通りであり、かつＨａｌは、ハロゲン、好ましくは−Ｂｒであり、かつＥは、
【化７３】
2013538257.tif 000075
であり、その式中、
Ｒ1、Ｒ2およびＲ3は、前記定義の通りである］の化合物は、式
【化７４】
2013538257.tif 000076
［式中、Ａ1、Ａ2およびＥは、前記定義の通りであり、かつＲ41、Ｒ42、Ｒ43、Ｒ44、Ｒ45およびＲ46は、Ｃ1〜Ｃ30−アルキル、好ましくはＣ1〜Ｃ6−アルキル、より好ましくはイソプロピルである］の化合物を、酸性触媒の存在下でハロゲン化剤と反応させる工程を含む方法によって製造することができる。
【０１０２】
前記ハロゲン化剤は、好ましくは、Ｂｒ2である。酸性触媒は、好ましくは、トリクロロ酢酸である。前記反応は、好ましくは、不活性有機溶剤、例えばクロロホルム中で実施される。前記反応は、好ましくは、周囲温度で、例えば１５〜３０℃の温度で、より好ましくは１８〜２６℃の温度で実施される。前記反応混合物は、慣用の方法によって後処理することができる。
【０１０３】
式
【化７５】
2013538257.tif 000077
［式中、Ａ1、Ａ2およびＥは、前記定義の通りであり、かつＲ41、Ｒ42、Ｒ43、Ｒ44、Ｒ45およびＲ46は、Ｃ1〜Ｃ30−アルキル、好ましくはＣ1〜Ｃ6−アルキル、より好ましくはイソプロピルである］の化合物は、式
【化７６】
2013538257.tif 000078
［式中、Ａ1、Ａ2、Ｒ41、Ｒ42、Ｒ43、Ｒ44、Ｒ45およびＲ46は、前記定義の通りであり、かつＨａｌは、ハロゲン、好ましくは−Ｂｒである］の化合物と、Ｈ−Ｅ−Ｈまたは
【化７７】
2013538257.tif 000079
［式中、Ｒ47、Ｒ48、Ｒ49およびＲ50は、同じであり、かつＨまたはＣ1〜Ｃ30−アルキルであるか、またはＲ47およびＲ48、あるいはＲ49およびＲ50は、−Ｏ−Ｂ−Ｏ−と一緒になって、５員ないし８員環式の環、例えば式
【化７８】
2013538257.tif 000080
のピナコール型の環を形成する］とを、金属触媒の存在下でカップリングさせる工程を含む方法によって製造することができる。
【０１０４】
前記金属触媒は、テトラキス（トリフェニルホスフィン）パラジウム（０）またはトリス（ジベンジリデンアセトン）ジパラジウム（０）などのパラジウム触媒と、ｒａｃ−ＢＩＮＡＰまたはトリ−ｔ−ブチルホスフィンなどのホスフィンと組み合わせたものであってよい。好ましくは、該反応は、炭酸カリウムまたはナトリウム ｔ−ブトキシドなどの塩基の存在下で実施される。該反応は、トルエンなどの不活性有機溶剤または不活性有機溶剤と水との混合物中で、例えばトルエンと水との混合物中で行うことができる。前記反応は、高められた温度で、例えば７０〜２００℃の温度で、好ましくは８０〜１５０℃の温度で行うことができる。前記反応混合物は、慣用の方法によって後処理することができる。
【０１０５】
Ｅが、
【化７９】
2013538257.tif 000081
である場合に、好ましくは、ｖｉｃ−ビス（ピナコラトボリル）錯体
【化８０】
2013538257.tif 000082
が前記反応において使用される。
【０１０６】
このｖｉｃ−ビス（ピナコラトボリル）錯体は、
【化８１】
2013538257.tif 000083
の白金触媒によるホウ素化を介して合成することができる。
【０１０７】
式
【化８２】
2013538257.tif 000084
［式中、Ａ1およびＡ2は、前記定義の通りであり、Ｒ41、Ｒ42、Ｒ43、Ｒ44、Ｒ45およびＲ46は、Ｃ1〜Ｃ30−アルキル、好ましくはＣ1〜Ｃ20−アルキル、好ましくはＣ1〜Ｃ6−アルキル、より好ましくはイソプロピルであり、かつＨａｌは、ハロゲン、好ましくは−Ｂｒである］の化合物は、
【化８３】
2013538257.tif 000085
［式中、Ａ1およびＡ2は、前記定義の通りであり、かつＨａｌは、ハロゲン、好ましくは−Ｂｒである］と、Ｒ41Ｒ42Ｒ43Ｓｉ−ＨａｌおよびＲ44Ｒ45Ｒ46Ｓｉ−Ｈａｌおよび塩基［式中、Ｒ41、Ｒ42、Ｒ43、Ｒ44、Ｒ45およびＲ46は、前記定義の通りであり、かつＨａｌは、ハロゲン、好ましくは−Ｂｒである］とを反応させる工程を含む方法によって製造することができる。
【０１０８】
塩基の一例は、リチウムジイソプロピルアミドである。該反応は、不活性有機溶剤、例えばＴＨＦ中で行うことができる。前記反応は、０〜−１００℃の温度で、好ましくは−４０〜−９０℃で、好ましくはほぼ−７８℃で行うことができる。得られた反応混合物は、慣用の方法によって後処理することができる。
【０１０９】
式
【化８４】
2013538257.tif 000086
［式中、Ａ1およびＡ2は、前記定義の通りであり、かつＨａｌは、ハロゲン、好ましくは−Ｂｒである］の化合物は、
【化８５】
2013538257.tif 000087
［式中、Ａ1およびＡ2は、前記定義の通りである］と、ハロゲン化剤とを反応させる工程を含む方法によって製造することができる。
【０１１０】
ハロゲン化剤の一例は、Ｎ−ブロモスクシンイミドである。該反応は、不活性有機溶剤、例えばＤＭＦ中で行うことができる。前記反応は、高められた温度で、例えば２０〜１００℃の温度で、好ましくは４０〜８０℃の温度で行うことができる。得られた反応混合物は、慣用の方法によって後処理することができる。
【０１１１】
式２ｄの化合物は、また、Landquist, J. K. J. Chem. Soc. C 1967, 2212 - 2220によって報告される２，６−ジアミノベンゾチアゾール１８のチオシアン化と、それに続くザンドマイヤー反応によって、以下
【化８６】
2013538257.tif 000088
に示されるように製造することもできる。
【０１１２】
式２ｅの化合物は、また、Green, A.G. J. Chem. Soc., Trans. 1903, 83,1201 - 1212およびCox, R.J.; Clecak, N.J. J. Org. Chem. 1968, 33, 2132 - 2133によって記載される方法と同様に、チオ硫酸二水素３，６−ジアミノ−１，２−フェニレンと、チオフェン−２−カルボン酸とを縮合させ、引き続きハロゲン化させることによって、以下
【化８７】
2013538257.tif 000089
に示されるように製造することもできる。
【０１１３】
式
【化８８】
2013538257.tif 000090
［式中、Ａ1およびＡ2は、前記定義の通りであり、かつＨａｌは、ハロゲン、好ましくは−Ｂｒであり、かつＥは、
【化８９】
2013538257.tif 000091
からなる群から選択され、その式中、
Ｒ4、Ｒ5、Ｒ19、Ｒ20およびＲ21は、前記定義の通りである］の化合物は、式
【化９０】
2013538257.tif 000092
［式中、Ａ1およびＡ2は、前記定義の通りであり、Ｒ41、Ｒ42、Ｒ43、Ｒ44、Ｒ45およびＲ46は、Ｃ1〜Ｃ30−アルキル、好ましくはＣ1〜Ｃ6−アルキル、より好ましくはイソプロピルであり、かつＨａｌは、ハロゲン、好ましくは−Ｂｒである］の化合物と、Ｅの導入に好適な化合物とを、ブチルリチウムなどの塩基の存在下に反応させる工程を含む方法によって製造することができる。
【０１１４】
例えば、式２ｆ、２ｇ、２ｈおよび２ｉの化合物は、以下：
【化９１】
2013538257.tif 000093
のように製造することができる。
【０１１５】
式
【化９２】
2013538257.tif 000094
［式中、Ａ1およびＡ2は、前記定義の通りであり、かつＨａｌは、ハロゲン、好ましくは−Ｂｒであり、かつＥは、
【化９３】
2013538257.tif 000095
からなる群から選択され、その式中、
Ｒ4、Ｒ5、Ｒ19、Ｒ20およびＲ21は、前記定義の通りである］の化合物は、また、式
【化９４】
2013538257.tif 000096
［式中、Ａ1およびＡ2は、前記定義の通りであり、Ｒ41、Ｒ42、Ｒ43、Ｒ44、Ｒ45およびＲ46は、Ｃ1〜Ｃ30−アルキル、好ましくはＣ1〜Ｃ6−アルキル、より好ましくはイソプロピルである］の化合物と、Ｅの導入に好適な化合物とを、リチウムジイソプロピルアミドなどの塩基の存在下に反応させる工程を含む方法によって製造することができる。これは、例えばＷＯ２００９／０６９６８７において類似の化合物について記載されている。
【０１１６】
式
【化９５】
2013538257.tif 000097
［式中、Ａ1およびＡ2は、前記定義の通りであり、Ｒ41、Ｒ42、Ｒ43、Ｒ44、Ｒ45およびＲ46は、Ｃ1〜Ｃ30−アルキル、好ましくはＣ1〜Ｃ6−アルキル、より好ましくはイソプロピルである］の化合物は、
【化９６】
2013538257.tif 000098
の酸化的カップリングを介して製造することができる。
【０１１７】
例えば、式２０ａの化合物は、以下：
【化９７】
2013538257.tif 000099
のように製造することができる。
【０１１８】
式
【化９８】
2013538257.tif 000100
［式中、
Ａ1およびＡ2は、同一または異なってよく、かつＳまたはＳｅであり、
Ｅは、
【化９９】
2013538257.tif 000101
からなる群から選択され、その式中、
Ｒ1、Ｒ2、Ｒ3、Ｒ4、Ｒ5、Ｒ19、Ｒ20およびＲ21は、前記定義の通りであり、
Ｇ1およびＧ2は、前記定義の通りであり、
ｑおよびｓは、前記定義の通りであり、かつ
Ｈａｌは、ハロゲンである］の化合物は、式
【化１００】
2013538257.tif 000102
［式中、Ａ1およびＡ2は、前記定義の通りであり、かつＨａｌは、ハロゲンである］の化合物と、Ｇ1およびＧ2の導入に好適な化合物、例えばスタニル官能化されたＧ1およびＧ2またはボレート官能化されたＧ1またはＧ2またはグリニャール官能化されたＧ1およびＧ2とを、金属触媒の存在下で反応させ、引き続きハロゲン化することによって製造することができる。
【０１１９】
例えば、式８ａの化合物は、以下：
【化１０１】
2013538257.tif 000103
のように製造することができる。
【０１２０】
また、発明の部分は、式
【化１０２】
2013538257.tif 000104
［式中、
Ａ1およびＡ2は、同一または異なってよく、かつＳまたはＳｅであり、
Ｅは、
【化１０３】
2013538257.tif 000105
からなる群から選択され、その式中、
Ｒ1、Ｒ2、Ｒ3、Ｒ4、Ｒ5、Ｒ19、Ｒ20およびＲ21は、前記定義の通りであり、かつ
Ｈａｌは、ハロゲンである］の化合物である。
【０１２１】
また、本発明の部分は、式
【化１０４】
2013538257.tif 000106
［式中、
Ａ1およびＡ2は、同一または異なってよく、かつＳまたはＳｅであり、
Ｅは、
【化１０５】
2013538257.tif 000107
であり、かつ
Ｒ41、Ｒ42、Ｒ43、Ｒ44、Ｒ45およびＲ46は、Ｃ1〜Ｃ30−アルキル、好ましくはＣ1〜Ｃ6−アルキル、より好ましくはイソプロピルである］の化合物である。
【０１２２】
また、本発明の部分は、式
【化１０６】
2013538257.tif 000108
［式中、
Ａ1およびＡ2は、同一または異なってよく、かつＳまたはＳｅであり、
Ｒ41、Ｒ42、Ｒ43、Ｒ44、Ｒ45およびＲ46は、Ｃ1〜Ｃ30−アルキル、好ましくはＣ1〜Ｃ6−アルキル、より好ましくはイソプロピルであり、かつ
Ｈａｌは、ハロゲン、好ましくは−Ｂｒである］の化合物である。
【０１２３】
また、本発明の部分は、本発明の化合物、オリゴマーおよびポリマーを含む電子デバイスである。
【０１２４】
前記電子デバイスは、有機光起電性（ＯＰＶ）セル、有機電界効果トランジスタ（ＯＦＥＴ）または有機発光ダイオード（ＯＬＥＤ）などの任意の電子デバイスであってよい。好ましくは、前記デバイスは、有機電界効果トランジスタである。
【０１２５】
本発明の化合物、オリゴマーおよびポリマーを含む有機電界効果トランジスタは、本発明の化合物、オリゴマーおよびポリマーを、好適な溶剤中に溶かした溶液の溶液堆積によって製造できる。該溶剤は、有機溶剤、例えば１，２−ジクロロベンゼンであってよい。溶液堆積は、当該技術分野で公知の方法によって、例えばスピンコーティングによって、例えば２０００ｒｐｍ、２５５ａｃｃ（ａｃｃ：スピン加速度）で１分にわたってスピンコーティングすることによって実施することができる。
【０１２６】
有機電界効果トランジスタは、当該技術分野で公知の任意の構造、例えば図１に示されるようなボトムゲート・ボトムコンタクト型（ＢＧＢＣ）構造を有してよい。有機電界効果トランジスタがボトムゲート・ボトムコンタクト型（ＢＧＢＣ）構造を有する場合に、基板（またはゲート電極）と、ゲート誘電体と、ソース電極およびドレイン電極は、当該技術分野で公知の任意の基板、ゲート誘電体、ソース電極およびドレイン電極であってよい。例えば、基板（またはゲート電極）は、高濃度ドープされたシリコンウェハであってよく、ゲート誘電体は、熱成長されたシリカであってよく、かつソース電極およびドレイン電極は、リソグラフィーによりパターニングされた金から製造できる。本発明の化合物、オリゴマーおよびポリマーを半導体として堆積させる前に、該デバイスを、ヘキサメチルジシラザン（ＨＭＤＳ）で蒸気処理することができる。
【０１２７】
また、本発明の部分は、本発明の化合物、オリゴマーまたはポリマーの、有機半導体材料としての使用である。
【０１２８】
本発明の化合物、オリゴマーおよびポリマーは、驚くべきほど高いイオン化ポテンシャルを示し、それが、より良好な周囲酸化的安定性に貢献しうる。本発明の化合物、オリゴマーおよびポリマーは、液体プロセシング技術と適合性がよく、有機電界効果トランジスタにおける半導体として使用するために適している。本発明の化合物、オリゴマーおよびポリマーを半導体として使用した有機電界効果トランジスタは、良好な電界効果移動度とオン／オフ比を示す。
【図面の簡単な説明】
【０１２９】
【図１】図１は、ボトムゲート・ボトムコンタクト型（ＢＧＢＣ）構造を有する有機電界効果トランジスタを示す。
【０１３０】
実施例
例１
２，２′−ジブロモ−（５，６−ジヘキシルベンゾ［２，１−ｄ；３，４−ｄ′］ビスチアゾール）（２ａ）の製造
【化１０７】
2013538257.tif 000109
【０１３１】
４，４′−ジブロモ−５，５′−ビチアゾール（６ａ）の製造
Ｎ−ブロモスクシンイミド（６．３５ｇ、３５．６６ミリモル、４当量）を、５，５′−ビチアゾール（７ａ）（１．５ｇ、８．９ミリモル）を無水ＤＭＦ（１２５ｍＬ）中に溶かした撹拌された均質な溶液に添加する。その反応混合物を、６０℃で３時間にわたり加熱する。その反応混合物を、引き続き、１０％重炭酸ナトリウムの水溶液（２００ｍＬ）で洗浄し、ジクロロメタン（２００ｍＬ）で抽出し、水（３×１００ｍＬ）および塩化ナトリウム飽和水（１００ｍＬ）で洗浄し、そして無水硫酸ナトリウム上で乾燥させる。粗生成物を、ジクロロメタン／ｎ−ヘキサン（１：１０）から再結晶化させる。帯黄色の結晶が得られる。
1Ｈ−ＮＭＲ（ｄ−クロロホルム）（４００ＭＨｚ）：δ ８．８７（ｓ，２Ｈ）
13Ｃ−ＮＭＲ（ｄ−クロロホルム）（４００ＭＨｚ）：δ １５４．８，１２９．３，１２２．５
【０１３２】
２，２′−ビス（トリイソプロピルシリル）−４，４′−ジブロモ−５，５′−ビチアゾール（５ａ）の製造
リチウムジイソプロピルアミド（０．３９ｇ、３．６８ミリモル、２．４当量）をＴＨＦ中に溶かした２Ｍの溶液１．８４ｍＬを、４，４′−ジブロモ−５，５′−ビチアゾール（６ａ）（０．５ｇ、１．５３ミリモル）を無水ＴＨＦ（２０ｍＬ）中に溶かした溶液に、−７８℃で１０分かけて滴加する。その反応混合物を、３時間にわたり撹拌させ、次いで塩化トリイソプロピルシリル（０．７０９ｇ、０．７９ｍＬ、３．６８ミリモル、２．４当量）をゆっくりと添加する。その反応混合物を、一晩かけて室温にまで加温する。その反応混合物を、酢酸エチル（１４０ｍＬ）で希釈し、そして有機層を、重炭酸ナトリウム飽和水（７０ｍＬ）および塩化ナトリウム飽和水（７０ｍＬ）で洗浄し、硫酸マグネシウム上で乾燥させ、そして真空中で濃縮する。ｎ−ヘキサンから酢酸エチル／ｎ−ヘキサン（５／９５）までの勾配溶媒を用いたカラムクロマトグラフィーによって、黄色の固体が得られる。
1Ｈ−ＮＭＲ（ｄ−クロロホルム）（４００ＭＨｚ）：δ ２．４３−１．５（ｍ，Ｊ＝８Ｈｚ，６Ｈ），δ １．１６−１．１８（ｄ，Ｊ＝７．６Ｈｚ，３６Ｈ）
13Ｃ−ＮＭＲ（ｄ−クロロホルム）（４００ＭＨｚ）：δ １７２．７，１３０．５，１２５．１，１８．７，１１．８
【０１３３】
２，２′−ビス（トリイソプロピルシリル）−（５，６−ジヘキシルベンゾ［２，１−ｄ；３，４−ｄ′］ビスチアゾール）（４ａ）の製造
化合物５ａ（０．５ｇ、０．７８３ミリモル）とテトラキス（トリフェニルホスフィン）パラジウム（０）（０．０９０ｇ、０．０７８ミリモル、０．１当量）との混合物を、３回にかけて脱ガスする。ｖｉｃ−ビス（ピナコラトボリル）−７−テトラデセン（０．４５６ｇ、１．０１８ミリモル、１．３当量）を無水トルエン（５ｍＬ）中に溶かした溶液を添加し、引き続き、１２ｍＬのトルエン（合計で１７ｍＬの無水トルエン）を添加する。引き続き、炭酸カリウム（０．６４ｇ、４．７０ミリモル、６当量）の脱ガスされた水溶液２．８ｍＬを添加する。その反応混合物を撹拌し、そして一晩かけて１００℃で加熱する。その反応混合物を、室温にまで冷却させ、そして酢酸エチル（５０ｍＬ）で希釈する。得られた反応混合物を、塩化アンモニウム飽和水（５０ｍＬ）で洗浄し、そして水層を、酢酸エチル（３×５０ｍＬ）で抽出する。合した有機層を、塩化ナトリウム飽和水（２５ｍＬ）で洗浄し、硫酸マグネシウム上で乾燥させ、そして真空中で濃縮する。ｎ−ヘキサンから酢酸エチル／ｎ−ヘキサン（１０／９０）までの勾配溶媒を使用したカラムクロマトグラフィーによって、オフホワイト色の固体が得られる。
1Ｈ−ＮＭＲ（ｄ−クロロホルム）（４００ＭＨｚ）：δ ３．３７（ｄｄ，Ｊ＝８Ｈｚ，４Ｈ），δ １．７４−１．７６（ｍ，Ｊ＝８Ｈｚ，４Ｈ），δ １．４７−１．５５（ｍ，Ｊ＝８Ｈｚ，６Ｈ），δ １．３３−１．３７（ｍ，Ｊ＝８Ｈｚ，１２Ｈ），δ １．２−１．２２（ｄ，Ｊ＝８Ｈｚ，３６Ｈ）、δ ０．８７−０．９２（ｔ，Ｊ＝７．６Ｈｚ，６Ｈ）
ＬＣ−ＭＳ：ｍ／ｚ６７３．４で９５％純度
【０１３４】
２，２′−ジブロモ−（５，６−ジヘキシルベンゾ［２，１−ｄ；３，４−ｄ′］ビスチアゾール）（２ａ）の製造
臭素（０．３４ｇ、０．１１ｍＬ、２．１１ミリモル、４当量）をクロロホルム（５ｍＬ）中に溶かしたトリクロロ酢酸（７ｍｇ）を含有する溶液を、化合物４ａ（０．３５５ｇ、０．５２７ミリモル）をクロロホルム（８ｍＬ）中に溶かした溶液に０℃でゆっくりと滴加する。その反応混合物を、室温で３日間にわたって撹拌する。その反応混合物を、ジクロロメタン（５０ｍＬ）で希釈し、２０質量%のチオ硫酸ナトリウムの水溶液（５０ｍＬ）で洗浄し、そして１０質量%の重炭酸ナトリウムの水溶液（５０ｍＬ）で洗浄する。引き続き、有機層を、硫酸マグネシウム上で乾燥させ、そして真空中で濃縮する。カラムクロマトグラフィー（酢酸エチル／ｎ−ヘキサン（１０／９０））により精製し、引き続きエタノールから再結晶化させることで、淡褐色の結晶が得られる。
1Ｈ−ＮＭＲ（ｄ−クロロホルム）（４００ＭＨｚ）：δ ３．１７（ｄｄ，Ｊ＝８Ｈｚ，４Ｈ），δ １．６６（ｍ，Ｊ＝８Ｈｚ，４Ｈ），δ １．４７（ｍ，Ｊ＝８Ｈｚ，４Ｈ），δ １．３５（ｍ，Ｊ＝８Ｈｚ，８Ｈ），δ ０．９２（ｔ，Ｊ＝７．６Ｈｚ，６Ｈ）
ＬＣ−ＭＳ：ｍ／ｚ５１９で９８％純度
元素分析（計算値）：Ｃ，４６．３４（４６．３６）；Ｈ，５．０６（５．０９）
【０１３５】
例２
ポリ（ベンゾビスチアゾール−シクロペンタジチオフェン）（１ａ）の製造
【化１０８】
2013538257.tif 000110
【０１３６】
ジブロモ−ベンゾビスチアゾール（２ａ）（６０ｍｇ、０．１１６ミリモル、１当量）、ビス（トリメチルスタニル）シクロペンタジチオフェン（３ａ）（１１０ｍｇ、０．１１６ミリモル、１当量）、トリス（ジベンジリデン−アセトン）ジパラジウム（０）（３．２ｍｇ、０．００３ミリモル、３％当量）およびトリ−ｏ−トリルホスフィン（２．１ｍｇ、０．００７ミリモル、６％当量）をシュレンクフラスコ中に添加し、そして３回にわたって脱ガスする。クロロベンゼン（４ｍＬ）を添加し、その反応混合物を、１００℃で一晩にわたり、次いで１３０℃で２日間にわたり撹拌する。２−ブロモチオフェン（０．０１ｍＬ）および２−トリブチルスタニルチオフェン（０．０１ｍＬ）を、末端封鎖剤として添加する。その際、最初に２−ブロモチオフェンを添加し、引き続き２時間後に２−トリブチルスタニルチオフェンを添加する。さらに２時間撹拌した後に、その反応混合物を室温に冷却する。次いで、その反応混合物を、メタノール（２００ｍＬ）に滴加し、濾過し、次いでアセトンを用いたソックスレー抽出にかける。ポリマーは固形分として回収され、該ポリマーは、Ｍｎ＝８３６０ｇ／モル（Ｍｗ＝２４２６４ｇ／モルとＰＤＩ＝２．９２）を示した。
元素分析（計算値）：Ｃ，７０．７７（７４．４８）；Ｈ，８．９３（９．６３）
【０１３７】
例３
ポリ（ベンゾビスチアゾール−ビスチエニルエチレン）（１ｂ）の製造
【化１０９】
2013538257.tif 000111
【０１３８】
例１に記載のように製造したジブロモ−ベンゾビスチアゾール（２ａ）（５５ｍｇ、０．１０６ミリモル、１当量）、ビス（２−トリメチルスタニル−４−ドデシルチエニル）エチレン（３ｂ）（９０．７ｍｇ、０．１０６ミリモル、１当量）、トリス（ジベンジリデンアセトン）ジパラジウム（０）（２．９ｍｇ、０．００３ミリモル、３％当量）およびトリ−ｏ−トリルホスフィン（１．９ｍｇ、０．００６ミリモル、６％当量）をシュレンクフラスコ中に添加し、そして３回にわたって脱ガスする。クロロベンゼン（２ｍＬ）を添加し、その反応混合物を、１３０℃で２日間にわたり撹拌する。２−ブロモチオフェン（０．０１ｍＬ）および２−トリブチルスタニルチオフェン（０．０１ｍＬ）を、末端封鎖剤として添加する。その際、最初に２−ブロモチオフェンを添加し、引き続き２時間後に２−トリブチルスタニルチオフェンを添加する。さらに２時間撹拌した後に、その反応混合物を室温に冷却する。その混合物を濾過し、そして濾液を濃縮し、そしてメタノール（２００ｍＬ）に滴加し、濾過し、次いでアセトンを用いたソックスレー抽出にかける。ポリマーは固形分として回収され、該ポリマーは、Ｍｎ＝３３６８ｇ／モル（Ｍｗ＝４７４９ｇ／モルとＤ＝１．４１）を示した。
【０１３９】
例４
ポリ（ベンゾビスチアゾール−ビチオフェン）（１ｃ）の製造
【化１１０】
2013538257.tif 000112
【０１４０】
２，２′−ジブロモ−（５，６−ジメチルベンゾ［２，１−ｄ；３，４−ｄ′］ビスチアゾール）（２ｂ）の製造
ジブロモ−ベンゾビスチアゾール（２ｂ）を、例１における２，２′−ジブロモ（５，６−ジヘキシル−ベンゾ［２，１−ｄ；３，４−ｄ′］ビスチアゾール）（２ａ）と同様にして製造するが、但し、ｖｉｃ−ビス（ピナコラトボリル）−２−ブテン（基質５ａに対して１．３当量で）を、ｖｉｃ−ビス（ピナコラトボリル）−７−テトラデセン（基質５ａに対して１．３当量で）の代わりに使用する。
【０１４１】
ポリ（ベンゾビスチアゾール−ビチオフェン）（１ｃ）の製造
ジブロモ−ベンゾビスチアゾール（２ｂ）（７９ｍｇ、０．２０９ミリモル、１当量）を、４．２ｍＬのクロロベンゼン溶液として、ビス（２−トリメチルスタニル−２−ドデシルチオフェン）（３ｃ）（１７３．１ｍｇ、０．２０９ミリモル、１当量）、トリス（ジベンジリデンアセトン）ジパラジウム（０）（５．７ｍｇ、０．００３ミリモル、３％当量）およびトリ−ｏ−トリルホスフィン（３．８ｍｇ、０．００６ミリモル、６％当量）の予め脱ガスされた混合物中に添加する。その反応混合物を、１３０℃で２日間にわたり撹拌する。２日間の反応の後に、トリス（ジベンジリデンアセトン）ジパラジウム（０）（５．７ｍｇ、０．００３ミリモル、３％当量）およびトリ−ｏ−トリルホスフィン（３．８ｍｇ、０．００６ミリモル、６％当量）を添加する。４日間の反応の後に、トリス（ジベンジリデンアセトン）ジパラジウム（０）（５．７ｍｇ、０．００３ミリモル、３％当量）およびトリ−ｏ−トリルホスフィン（３．８ｍｇ、０．００６ミリモル、６％当量）をもう一回添加する。全体で６日間の後に、その重合を、２−ブロモチオフェン（０．０１ｍＬ）および２−トリブチルスタニルチオフェン（０．０１ｍＬ）の添加によって停止させる。まず、２−ブロモチオフェンが添加され、引き続き４時間後に２−トリブチルスタニルチオフェンが添加される。さらに２４時間撹拌した後に、その反応混合物を室温に冷却する。その混合物を濾過し、そして濾液を濃縮し、そして５質量%ＨＣｌのメタノール性溶液（２００ｍＬ）に滴加する。ポリマーを濾過し、アセトン中でのソックスレー抽出の前に該ポリマーは、Ｍｎ＝９５９ｇ／モル（Ｍｗ＝１４１０ｇ／モルとＤ＝１．４７）を示した。
【０１４２】
例５
Ｎ−４−デシルアニリン−２，６−ジブロモジチアゾロ［２，３−ｄ；３′，２′−ｂ］ピロール（２ｃ）の製造
【化１１１】
2013538257.tif 000113
【０１４３】
Ｎ−４−デシルアニリン−２，６−ビス（トリイソプロピルシリル）ジチアゾロ［２，３−ｄ；３′，２′−ｂ］ピロール（４ｂ）の製造
ビス（トリイソプロピルシリル）ジブロモビチアゾール（５ａ）（７９０ｍｇ、１．２３７ミリモル）と、トリス（ジベンジリデンアセトン）ジパラジウム（０）（１１３ｍｇ、０．１２３ミリモル、０．１当量）と、ナトリウム ｔ−ブトキシド（２００ｍｇ、２．９６８ミリモル、２．４当量）と、ｒａｃ−ＢＩＮＡＰ（１５３ｍｇ、０．３４７ミリモル、０．２当量）との混合物を、３回にかけて脱ガスする。４−ｎ−デシルアニリン（３６０ｍｇ、１．５４６ミリモル、１．２５当量）を無水トルエン（１８ｍＬ）中に入れたものを添加する。その反応混合物を撹拌し、そして窒素下で２日間にわたり１００℃で加熱する。モノアミノ化された中間物質が形成した後に、トリス（ジベンジリデンアセトン）ジパラジウム（０）（５６ｍｇ、０．０６１ミリモル、０．０５当量）およびトリ−ｔ−ブチルホスフィン（２４ｍｇ、０．１７３ミリモル、０．１当量）をｎ−ヘキサン中に溶かした１０質量%溶液０．３６ｍＬを添加する。その反応混合物を、窒素下で２日間にわたり１００℃で撹拌する。その後に、その反応混合物を、酢酸エチル（１００ｍＬ）で希釈する。得られた反応混合物を、塩化アンモニウム飽和水（１００ｍＬ）で洗浄し、そして水層を、酢酸エチル（３×７０ｍＬ）で抽出する。合した有機層を、塩化ナトリウム飽和水（５０ｍＬ）で洗浄し、硫酸マグネシウム上で乾燥させ、そして真空中で濃縮する。酢酸エチル／ｎ−ヘキサン（２／９８）を使用したカラムクロマトグラフィーによって、オフホワイト色の固体が得られる。
1Ｈ−ＮＭＲ（ｄ−クロロホルム）（４００ＭＨｚ）：δ ８．５８（ｄ，Ｊ＝９．６Ｈｚ，２Ｈ），δ ７．３４（ｄ，Ｊ＝８．４Ｈｚ，２Ｈ），δ ２．２８（ｄｄ，Ｊ＝８Ｈｚ，２Ｈ），δ １．６５（ｍ，Ｊ＝８Ｈｚ，２Ｈ），δ １．５２−１．４６（ｍ，Ｊ＝８Ｈｚ，６Ｈ），δ １．２７（ｓ，１４Ｈ），δ １．１９−１．２１（ｄ，Ｊ＝８Ｈｚ，３６Ｈ），δ ０．８８（ｔ，Ｊ＝７．６Ｈｚ，３Ｈ）
【０１４４】
Ｎ−４−デシルアニリン−２，６−ジブロモジチアゾロ［２，３−ｄ；３′，２′−ｂ］ピロール（２ｃ）の製造
臭素（０．１６ｇ、０．０５ｍＬ、１．０１ミリモル、４当量）をクロロホルム（３ｍＬ）中に溶かしたトリクロロ酢酸（４ｍｇ）を含有する溶液を、化合物４ｂ（０．１８０ｇ、０．２５３ミリモル）をクロロホルム（４ｍＬ）中に溶かした溶液に０℃でゆっくりと滴加する。その反応混合物を、室温で２日間にわたって撹拌する。その反応混合物を、ジクロロメタン（５０ｍＬ）で希釈し、２０質量%のチオ硫酸ナトリウムの水溶液（５０ｍＬ）で洗浄し、そして１０質量%の重炭酸ナトリウムの水溶液（５０ｍＬ）で洗浄する。引き続き、有機層を、硫酸マグネシウム上で乾燥させ、そして真空中で濃縮する。ｎ−ヘキサンを使用したカラムクロマトグラフィーにより精製し、引き続きｎ−ヘキサンから再結晶化させることで、白色のフレーク状物が得られる。
1Ｈ−ＮＭＲ（ｄ−クロロホルム）（４００ＭＨｚ）：δ ７．８８（ｄ，Ｊ＝８．４Ｈｚ，２Ｈ），δ ７．３５（ｄ，Ｊ＝８Ｈｚ，２Ｈ），δ ２．６６（ｄｄ，Ｊ＝７．６Ｈｚ，２Ｈ），δ １．６３（ｍ，Ｊ＝７．６Ｈｚ，２Ｈ），δ １．２８（ｓ，１４Ｈ），δ ０．８８（ｔ，Ｊ＝７．６Ｈｚ，３Ｈ）
ＬＣ−ＭＳ：ｍ／ｚ５５６で９７．２％純度
元素分析（計算値）：Ｃ，４７．５４（４７．５８）；Ｈ，４．４６（４．５４）
【０１４５】
例６
ポリ（ジチアゾロピロール−ビスチエニルエチレン）（１ｄ）の製造
【化１１２】
2013538257.tif 000114
【０１４６】
例５に記載のように製造したジブロモ−ジチアゾロピロール（２ｃ）（３６ｍｇ、０．０６５ミリモル、１当量）、ビス（２−トリメチルスタニル−４−ドデシルチエニル）エチレン（３ｄ）（５５．４ｍｇ、０．０６５ミリモル、１当量）、トリス（ジベンジリデンアセトン）ジパラジウム（０）（３．６ｍｇ、０．００４ミリモル、６％当量）およびトリ−ｏ−トリルホスフィン（２．４ｍｇ、０．００８ミリモル、１２％当量）をシュレンクフラスコ中に添加し、そして３回にわたって脱ガスする。クロロベンゼン（１．５ｍＬ）を添加し、その反応混合物を、１３０℃で２日間にわたり撹拌する。２日間の反応の後に、トリス（ジベンジリデンアセトン）ジパラジウム（０）（３．６ｍｇ、０．００４ミリモル、６％当量）およびトリ−ｏ−トリルホスフィン（２．４ｍｇ、０．００８ミリモル、１２％当量）を添加した。全体で３日間の反応の後に、その重合を、２−ブロモチオフェン（０．０１ｍＬ）を添加し、引き続き３時間後に２−トリブチルスタニルチオフェン（０．０１ｍＬ）を添加することによって停止させる。さらに３時間の撹拌の後に、その反応混合物を、室温に冷却し、そしてメタノール（１００ｍＬ）に滴加し、濾過し、次いでアセトンを用いたソックスレー抽出にかける。ポリマーは固形分として回収され、該ポリマーは、Ｍｎ＝４３０５ｇ／モル（Ｍｗ＝７５７１ｇ／モルとＤ＝１．７６）を示した。
【０１４７】
ポリマー１ａのイオン化ポテンシャルの測定
π共役ポリマーの酸化的安定性は、真空に対する、そのイオン化ポテンシャル（ＩＰ）によって、つまり最高占有分子軌道（ＨＯＭＯ）のエネルギーで与えられうる。また、イオン化ポテンシャル（ＩＰ）は、分子、オリゴマーまたはポリマーのＨＯＭＯエネルギー準位（ＥHOMO）の負の値として表され、
ＩＰ＝−ＥHOMO
そのポテンシャルは、サイクリックボルタンメトリー（ＣＶ）によって測定できる。
【０１４８】
例２に記載されるように製造されるポリ（ベンゾジチアゾール−シクロペンタジチオフェン）（１ａ）およびXiao, S; Zhou H.; You, W.によってMacromolecules 2008, 41, 5688-5696において記載される比較ポリマー２２ａのＨＯＭＯエネルギー準位（ＥHOMO）は、サイクリックボルタンメトリー（ＣＶ）によって測定される。
【０１４９】
【化１１３】
2013538257.tif 000115
【０１５０】
サイクリックボルタンメトリーは、０．５ｍｇ／ｍＬのクロロホルム溶液からドロップキャストされた、ポリマー１ａの薄膜、あるいは比較ポリマー２２ａの薄膜から記録する。Ｐｔディスクを作用電極として使用し、そしてＡｇ／ＡｇＣｌ参照電極を使用する。その測定は、電解質としてのテトラブチルアンモニウムテトラフルオロボレート中で行われ、そしてフェロセン／フェロセニウムのレドックス対（Ｆｃ／Ｆｃ+）を内部参照として使用する。それは、４．８ｅＶの既知の還元電位を有する。電気化学的（酸化および還元）の立ち上がりを、電流が基準線から相違し始める位置で測定し、そしてＨＯＭＯエネルギー準位（ＥHOMO）を、立ち上がりの酸化電位（ＥOx）から、以下の方程式：
ＥHOMO＝−（ＥOx＋４．８）［ｅＶ］
に示されるようにして計算する。
【０１５１】
結果を、第１表にまとめる。
【０１５２】
【表１】
2013538257.tif 000116
【０１５３】
第１表から導き出せるように、ポリマー１ａのＨＯＭＯエネルギー準位（ＥHOMO)は、比較ポリマー２２ａのＨＯＭＯエネルギー準位（ＥHOMO）と比較して０．４ｅＶだけ減少し、このようにポリマー１ａのイオン化ポテンシャル（ＩＰ）、ひいては酸化的安定性は、比較ポリマー２２ａのそれよりも高い。
【０１５４】
ポリマー１ａを半導体として使用した有機電界効果トランジスタの作製
有機電界効果トランジスタは、図１に示されるようなボトムゲート・ボトムコンタクト型（ＢＧＢＣ）構造で作製する。高濃度ドープされたシリコンウェハを基板として使用し、そしてゲート誘電体として熱成長された２００ｎｍのＳｉＯ2を有するゲート電極を使用する。ソース電極およびドレイン電極は、リソグラフィーでパターニングされた金から製造される。半導体堆積の前に、基板を、ヘキサメチルジシラザン（ＨＭＤＳ）で蒸気処理する。ポリマー１ａ溶液は、ポリマー１ａを１，２−ジクロロベンゼン中に溶解させ、それを炉内で溶解性になるまで加熱することによって製造される。引き続き、ポリマー１ａの半導体溶液堆積は、スピンコーティング（堆積条件：２０００ｒｐｍ、２５５ａｃｃ、１分）によって行われる。有機電界効果トランジスタは、周囲環境で作製する。
【０１５５】
ポリマー１ａを半導体として使用した有機電界効果トランジスタの試験
正孔移動度（μp）と、立ち上がり電圧（Ｖon、ドレイン電流が突然高まって測定できる電圧）と、ポリマー１ａを半導体として使用した有機電界効果トランジスタのオン／オフ比は、半導体性能に対する焼鈍の効果を観察するために、室温においてと、２００℃で３０分間焼鈍した後とで測定する。有機電界効果トランジスタは、周囲環境で試験する。チャネル長さ（Ｌ）＝５μｍ、チャネル幅（Ｗ）＝３５０μｍ、Ｗ／Ｌ＝７０。測定は、ゲート電圧（Ｖg)を２０Ｖから−９０Ｖにまでスイープし、ドレイン電圧（Ｖd）は−９０Ｖで行われる。
【０１５６】
結果を、第２表にまとめる。
【０１５７】
【表２】
2013538257.tif 000117
【図１】
2013538257.tif 000132
【国際調査報告】
2013538257.tif 000133
2013538257.tif 000134
2013538257.tif 000135
2013538257.tif 000136
2013538257.tif 000137